(57)【要約】  本発明の実施形態は、通信分野に関するものであり、通信方法、装置、及びデバイスを提供する。本方法は、第２のメッセージを第３のノードに送信する段階を含み、第２のメッセージは、第３のノードを呼び出してネットワークにアクセスするよう指示するか、又は第１のノードが中継サービスを第３のノードに提供することを示すか、又は第１のノードと通信を行うよう第３のノードに指示するか、又は第３のノードを低コンフィギュレーションモード若しくは高コンフィギュレーションモードに設定するよう指示するか、又はシステム情報を更新するよう第３のノードに指示するために用いられる。本発明において、第１のノードは第２のメッセージを第３のノードに送信する。第２のメッセージは、対応するオペレーションを行うよう第３のノードに指示するために用いられる。これにより、第３のノードがＤ２Ｄ通信プロセスにおいてＤ２Ｄ通信を行う場合、第２のノードが送信するメッセージを第３のノードが周期的にリッスンする必要がある場合に発生する比較的高い電力消費の問題が解決され、またＤ２Ｄ通信の間に第２のノードが送信する情報を第３のノードが受信する場合に電力を効果的に節約するという目的及び効果が実現される。
2019525624.tif 000002
【特許請求の範囲】
【請求項１】
第１のノードに適用される通信方法であって、
前記方法は、第２のメッセージを第３のノードに送信する段階を備え、
前記第２のメッセージは、ネットワークにアクセスするよう前記第３のノードに指示するか、又は前記第１のノードを用いて第２のノードと通信を行うよう前記第３のノードに指示するか、又は前記第３のノードを低コンフィギュレーションモードに設定するよう指示するか、又は前記第３のノードを高コンフィギュレーションモードに設定するよう指示するか、又はシステム情報を更新するよう前記第３のノードに指示するために用いられ、
前記第２のノードは前記第１のノードのサービングノードであるか、又は前記第２のノードは前記第３のノードのサービング局であるか、又は前記第２のノードは前記第１のノード及び前記第３のノードのサービング局である、方法。
【請求項２】
第２のメッセージを第３のノードに送信する前記段階の前に、
前記方法は、
前記第２のノードが送信する第１のメッセージを受信する段階であって、前記第１のメッセージは、前記第３のノードを呼び出すか、又は前記ネットワークにアクセスするよう前記第３のノードに指示するか、又は中継サービスを前記第３のノードに提供するよう前記第１のノードに指示するか、又は前記第３のノードを前記低コンフィギュレーションモードに設定するよう指示するか、又は前記第３のノードを前記高コンフィギュレーションモードに設定するよう指示するか、又は前記システム情報を更新するよう指示するために用いられる、段階と、
前記第１のメッセージに基づいて前記第２のメッセージを前記第３のノードに送信する段階と
を備える、請求項１に記載の方法。
【請求項３】
前記第２のメッセージを前記第３のノードに送信する前記段階は、
前記ネットワークにアクセスするよう前記第３のノードに指示するために前記第１のメッセージが用いられる場合、前記第２のメッセージを前記第３のノードに送信する段階であって、前記第２のメッセージは、前記第２のノードへの通信接続を確立するよう前記第３のノードに指示するために用いられる、段階、又は、
前記第３のノードを呼び出すために前記第１のメッセージが用いられる場合、前記第２のメッセージを前記第３のノードに送信する段階であって、前記第２のメッセージは、前記ネットワークにアクセスするよう前記第３のノードに指示するか、若しくは前記第１のノードと通信を行うよう前記第３のノードに指示するために用いられる、段階、又は、
前記中継サービスを前記第３のノードに提供するよう前記第１のノードに指示するために前記第１のメッセージが用いられる場合、前記第２のメッセージを前記第３のノードに送信する段階であって、前記第２のメッセージは、前記第１のノードと通信を行うよう前記第３のノードに指示するために用いられる、段階、又は、
前記第３のノードを前記低コンフィギュレーションモードに設定するよう指示するために前記第１のメッセージが用いられる場合、前記第２のメッセージを前記第３のノードに送信する段階であって、前記第２のメッセージは、前記第３のノードを前記低コンフィギュレーションモードに設定するよう指示するために用いられる、段階、又は、
前記第３のノードを前記高コンフィギュレーションモードに設定するよう指示するために前記第１のメッセージが用いられる場合、前記第２のメッセージを前記第３のノードに送信する段階であって、前記第２のメッセージは、前記第３のノードを前記高コンフィギュレーションモードに設定するよう指示するために用いられる、段階、又は、
前記システム情報を更新するよう指示するために前記第１のメッセージが用いられる場合、前記第２のメッセージを前記第３のノードに送信する段階であって、前記第２のメッセージは、前記システム情報を更新するよう前記第３のノードに指示するために用いられる、段階
を有する、請求項２に記載の方法。
【請求項４】
前記第１のメッセージが前記第３のノードを呼び出すために用いられる場合、
前記方法は、
前記第３のノードを呼び出すために前記第１のメッセージが用いられる場合、前記第３のノードのサービス優先度に基づいて前記第２のメッセージを前記第３のノードに送信する段階を備え、前記第２のメッセージは、前記ネットワークにアクセスするよう前記第３のノードに指示するか、又は前記第１のノードと通信を行うよう前記第３のノードに指示するために用いられる、請求項２又は３に記載の方法。
【請求項５】
前記方法はさらに、
前記第３のノードが送信する第６のメッセージを受信する段階であって、前記第６のメッセージは、前記第３のノードが前記第１のノードからページングメッセージを受信することを示すか、又は前記第３のノードが前記第１のノードから前記システム情報を受信することを示すか、又は前記第３のノードのモードが前記高コンフィギュレーションモードに設定されることを示すか、又は前記第３のノードのモードが前記低コンフィギュレーションモードに設定されることを示すために用いられる、段階、又は、
第７のメッセージを前記第３のノードに送信する段階であって、前記第７のメッセージは、前記第１のノードからページングメッセージを受信するよう前記第３のノードに指示するか、又は前記第１のノードから前記システム情報を受信するよう前記第３のノードに指示するか、又は前記第３のノードのモードを前記高コンフィギュレーションモードに設定するよう指示するか、又は前記第３のノードのモードを前記低コンフィギュレーションモードに設定するよう指示する、段階
を備える、請求項１に記載の方法。
【請求項６】
前記第２のメッセージは、以下に挙げるもの、すなわち、前記第１のノードの識別子、前記第１のノードの識別子、前記第３のノードの識別子、システム情報更新指示、前記システム情報、ページング指示、前記第３のノードのサービスタイプ、及び前記第３のノードの前記サービス優先度のうちの少なくとも１つを含む、請求項１から５のいずれか一項に記載の方法。
【請求項７】
第３のノードに適用される通信方法であって、
前記方法は、
第１のノード又は第２のノードが送信する第２のメッセージを受信する段階であって、前記第２のメッセージは、ネットワークにアクセスするよう前記第３のノードに指示するか、又は前記第１のノードと通信を行うよう前記第３のノードに指示するか、又は前記第３のノードを高コンフィギュレーションモードに設定するよう指示するか、又は前記第３のノードを低コンフィギュレーションモードに設定するよう指示するか、又はシステム情報を更新するよう指示するために用いられる、段階と、
前記第２のメッセージに従って通信を行う段階と
を備え、
前記第２のノードは前記第１のノードのサービング局であるか、又は前記第２のノードは前記第３のノードのサービング局であるか、又は前記第２のノードは前記第１のノード及び前記第３のノードのサービング局である、方法。
【請求項８】
前記第２のメッセージに従って通信を行う前記段階は、
前記ネットワークにアクセスするよう前記第３のノードに指示するために前記第２のメッセージが用いられる場合、前記ネットワークにアクセスするか、若しくは前記第２のノードにアクセスして前記第２のノードと通信を行う段階、又は、
前記第１のノードと通信を行うよう前記第３のノードに指示するために前記第２のメッセージが用いられる場合、前記第１のノードとＤ２Ｄ通信を行うか、若しくは前記第３のノードが前記第１のノードへのデバイス間Ｄ２Ｄ接続を確立しているかどうかを検出して、前記第３のノードが前記第１のノードへのＤ２Ｄ接続を確立していない場合には前記第１のノードへのＤ２Ｄ接続を確立し、若しくは前記第３のノードが前記第１のノードへのＤ２Ｄ接続を確立している場合には前記第１のノードとＤ２Ｄ通信を行う段階、又は、
前記第２のメッセージが前記第３のノードを前記高コンフィギュレーションモードに設定するよう指示した場合、前記第３のノードの通信モードを前記高コンフィギュレーションモードに設定する段階、又は、
前記第２のメッセージが前記第３のノードを前記低コンフィギュレーションモードに設定するよう指示した場合、前記第３のノードの通信モードを前記低コンフィギュレーションモードに設定する段階、又は、
前記第２のメッセージが前記システム情報を更新するよう前記第３のノードに指示した場合、前記システム情報をリッスンして、前記システム情報を更新するか、若しくは前記第３のノードの通信モードを前記高コンフィギュレーションモードに設定する段階
を有する、請求項７に記載の方法。
【請求項９】
第１のノードが送信する第２のメッセージを受信する前記段階の後に、
前記方法はさらに、
第３のメッセージを前記第１のノードに送信する段階、又は、
前記第２のメッセージの受信から始まる所定の期間内に前記ネットワークへのアクセスに成功した場合、若しくは前記第２のノードへの通信接続の確立に成功した場合、第３のメッセージを前記第１のノードに送信する段階
を備え、
前記第３のメッセージは、前記第３のノードが前記ネットワークへのアクセスに成功したことを示すか、又は前記第３のノードの呼び出しに成功したことを示すか、又は前記第３のノードが前記第２のノードへの前記通信接続の確立に成功したことを示すか、又は前記第３のノードが既に前記高コンフィギュレーションモードに設定されていることを示すか、又は前記第１のノードと通信を行うことを確認して返信するために用いられるか、又は前記第３のノードが前記システム情報を更新したことを示すために用いられる、請求項７又は８に記載の方法。
【請求項１０】
前記方法はさらに、
第１のノードが送信する第２のメッセージを受信する前記段階の前に、前記第３のノードは低コンフィギュレーションモードにある段階、又は、
第１のノードが送信する第２のメッセージを受信する前記段階の後に、前記第３のノードの通信モードを前記低コンフィギュレーションモードに設定するか、若しくは前記第３のノードを前記高コンフィギュレーションモードに設定する段階、又は、
第１のノードが送信する第２のメッセージを受信する前記段階の間に、前記第３のノードは低コンフィギュレーションモードにある段階
を備える、請求項７に記載の方法。
【請求項１１】
前記システム情報をリッスンする前記段階の後に、
前記方法はさらに、
前記システム情報を更新した後に、前記第３のノードを前記低コンフィギュレーションモードに設定する段階、又は、
前記システム情報を更新して前記第３のノードが所定の条件を満たした後に、前記第３のノードを前記低コンフィギュレーションモードに設定する段階
を備える、請求項８に記載の方法。
【請求項１２】
前記方法はさらに、
第６のメッセージを前記第１のノードに送信する段階であって、前記第６のメッセージは、前記第３のノードが前記第１のノードからページングメッセージを受信することを示すか、若しくは前記第３のノードが前記第１のノードから前記システム情報を受信することを示すか、若しくは前記第３のノードのモードが前記高コンフィギュレーションモードに設定されることを示すか、若しくは前記第３のノードのモードが前記低コンフィギュレーションモードに設定されることを示すために用いられる、段階、又は、
前記第１のノードもしくは前記第２のノードが送信する第７のメッセージを受信する段階であって、前記第７のメッセージは、前記第１のノードからページングメッセージを受信するよう前記第３のノードに指示するか、若しくは前記第１のノードから前記システム情報を受信するよう前記第３のノードに指示するか、若しくは前記第３のノードのモードを前記高コンフィギュレーションモードに設定するよう指示するか、若しくは前記第３のノードのモードを前記低コンフィギュレーションモードに設定するよう指示するために用いられる、段階
を備える、請求項７に記載の方法。
【請求項１３】
前記低コンフィギュレーションモードは以下に挙げることのうちの少なくとも１つであり、それらは、
前記第３のノードは前記第１のノードのカバレッジ内に留まること、又は、
前記第３のノードは前記第１のノードが送信する情報のみを受信すること、又は、
前記第３のノードは前記第１のノードが送信するシグナリング及び／若しくはデータのみを受信すること、又は、
前記第３のノードはＤ２Ｄ通信ノードが送信するシグナリング及び／若しくはデータのみを受信すること、又は、
前記第３のノードは前記第１のノードが送信するシグナリング及び／若しくはデータを受信すること、又は、
前記第３のノードはＤ２Ｄ通信ノードが送信するシグナリング及び／若しくはデータを受信すること、又は、
前記第３のノードは前記第１のノードが送信するページングメッセージを受信すること、又は、
前記第３のノードは前記第１のノードが送信する前記システム情報を受信すること、又は、
前記第３のノードは前記第１のノードが送信する同期信号を受信すること、又は、
前記第３のノードはセルが送信するシステム情報を受信しないこと、又は、
前記第３のノードはセルが送信するページングメッセージを受信しないこと、又は、
前記第３のノードはセルが送信する同期信号を受信しないこと、又は、
前記第３のノードは前記第１のノードが送信する情報を受信するが、以下に挙げるオペレーション、すなわち、セルのカバレッジ内に留まること、セルが送信するシステム情報を受信すること、セルが送信するページングメッセージを受信すること、セルが送信する同期信号を受信すること、局が送信するシステム情報を受信すること、局が送信するページングメッセージを受信すること、局が送信する同期信号を受信すること、隣接セル測定を行うこと、同一周波数内セル測定を行うこと、及び異周波数間セル測定を行うことのうちの少なくとも１つを行わないこと、又は、
前記第３のノードはＤ２Ｄ通信ノードが送信する情報を受信するが、以下に挙げるオペレーション、すなわち、セルのカバレッジ内に留まること、セルが送信するシステム情報を受信すること、セルが送信するページングメッセージを受信すること、セルが送信する同期信号を受信すること、局が送信するシステム情報を受信すること、局が送信するページングメッセージを受信すること、局が送信する同期信号を受信すること、隣接セル測定を行うこと、同一周波数内セル測定を行うこと、及び異周波数間セル測定を行うことのうちの少なくとも１つを行わないことであり、
前記高コンフィギュレーションモードは以下に挙げることのうちの少なくとも１つを含み、それらは、
前記第３のノードは、セルのカバレッジ内に留まること、又はセルが送信するシステム情報を受信すること、又はセルが送信する同期信号を受信すること、又はセルが送信するページングメッセージを受信すること、又は局が送信するシステム情報を受信すること、又は局が送信する同期信号を受信すること、又は局が送信するページングメッセージを受信すること、又はセル選択を行うこと、若しくはセル再選択を行うこと、又は隣接セル測定を行うこと、又は同一周波数内セル測定を行うこと、又は異周波数間セル測定を行うことである、請求項７から１２のいずれか一項に記載の方法。
【請求項１４】
第２のノードに適用される通信方法であって、
前記方法は、
第１のメッセージを第１のノード又は第３のノードに送信する段階であって、前記第１のメッセージは、前記第３のノードを呼び出すために用いられるか、又はネットワークにアクセスするよう前記第３のノードに指示するために用いられるか、又は前記第２のノードと通信を行うよう前記第３のノードに指示するために用いられるか、又は中継サービスを前記第３のノードに提供するよう前記第１のノードに指示するために用いられるか、又は前記第３のノードを高コンフィギュレーションモードに設定するよう指示するために用いられるか、又は前記第３のノードを低コンフィギュレーションモードに設定するよう指示するために用いられるか、又はシステム情報を更新するよう指示するために用いられる、段階と、
前記第１のメッセージに基づいて通信を行う段階と
を備え、
前記第１のノードは前記中継サービスを前記第３のノードに提供し、前記第２のノードは前記第１のノードのサービング局であるか、又は前記第２のノードは前記第３のノードのサービング局であるか、又は前記第２のノードは前記第１のノード及び前記第３のノードのサービング局である、方法。
【請求項１５】
前記方法はさらに、
第１０のメッセージを受信する段階であって、前記第１０のメッセージは、前記第３のノードと前記第１のノードとの間のペアリング情報を示すために用いられる、段階、及び／又は、
第８のメッセージをＭＭＥに送信する段階であって、前記第８のメッセージは、前記第３のノードに関する情報及び前記第１のノードに関する情報を前記ＭＭＥに通知するために用いられ、前記第１のノードは前記第３のノードの中継ノードである、段階、及び／又は、
前記ＭＭＥが送信する第９のメッセージを受信する段階であって、前記第９のメッセージは前記第１のノードを呼び出すよう前記第２のノードに指示するために用いられ、前記第９のメッセージは前記第３のノード及び前記第１のノードに関する情報を含む、段階
を備える、請求項１４に記載の方法。
【請求項１６】
前記第１のメッセージは、以下に挙げるもの、すなわち、前記第１のノードの識別子、前記第１のノードの識別子、前記第３のノードの識別子、システム情報更新指示、システム情報、ページング指示、前記第３のノードのサービスタイプ、及び前記第３のノードのサービス優先度のうちの少なくとも１つを含む、請求項１４又は１５に記載の方法。
【請求項１７】
第１のノードであって、前記第１のノードは、プロセッサと、メモリと、送受信機とを備え、前記メモリは１つ又は複数の命令を格納するように構成され、前記命令は前記プロセッサによって実行されるように構成され、
前記プロセッサは、第２のメッセージを第３のノードに送信するように構成され、前記第２のメッセージは、ネットワークにアクセスするよう前記第３のノードに指示するか、又は前記第１のノードを用いて第２のノードと通信を行うよう前記第３のノードに指示するか、又は前記第３のノードを低コンフィギュレーションモードに設定するよう指示するか、又は前記第３のノードを高コンフィギュレーションモードに設定するよう指示するか、又はシステム情報を更新するよう前記第３のノードに指示するために用いられ、
前記第２のノードは前記第１のノードのサービング局であるか、又は前記第２のノードは前記第３のノードのサービング局であるか、又は前記第２のノードは前記第１のノード及び前記第３のノードのサービング局である、第１のノード。
【請求項１８】
前記プロセッサはさらに、
前記第２のノードが送信する第１のメッセージを受信することであって、前記第１のメッセージは、前記第３のノードを呼び出すために前記第１のメッセージが用いられることを示すか、又は前記ネットワークにアクセスするよう前記第３のノードに指示するか、又は中継サービスを前記第３のノードに提供するよう前記第１のノードに指示するか、又は前記第３のノードを前記低コンフィギュレーションモードに設定するよう指示するか、又は前記第３のノードを前記高コンフィギュレーションモードに設定するよう指示するか、又は前記システム情報を更新するよう指示するために用いられる、受信することと、
前記第１のメッセージに基づいて、前記第２のメッセージを前記第３のノードに送信することと
を行うように構成される、請求項１７に記載の第１のノード。
【請求項１９】
前記プロセッサはさらに、
前記ネットワークにアクセスするよう前記第３のノードに指示するために前記第１のメッセージが用いられる場合、前記第２のメッセージを前記第３のノードに送信することであって、前記第２のメッセージは、前記第２のノードへの通信接続を確立するよう前記第３のノードに指示するために用いられる、送信すること、又は、
前記第３のノードを呼び出すために前記第１のメッセージが用いられる場合、前記第２のメッセージを前記第３のノードに送信することであって、前記第２のメッセージは、前記ネットワークにアクセスするよう前記第３のノードに指示するか、若しくは前記第１のノードと通信を行うよう前記第３のノードに指示するために用いられる、送信すること、又は、
前記中継サービスを前記第３のノードに提供するよう前記第１のノードに指示するために前記第１のメッセージが用いられる場合、前記第２のメッセージを前記第３のノードに送信することであって、前記第２のメッセージは、前記第１のノードと通信を行うよう前記第３のノードに指示するために用いられる、送信すること、又は、
前記第３のノードを前記低コンフィギュレーションモードに設定するよう指示するために前記第１のメッセージが用いられる場合、前記第２のメッセージを前記第３のノードに送信することであって、前記第２のメッセージは、前記第３のノードを前記低コンフィギュレーションモードに設定するよう指示するために用いられる、送信すること、又は、
前記第３のノードを前記高コンフィギュレーションモードに設定するよう指示するために前記第１のメッセージが用いられる場合、前記第２のメッセージを前記第３のノードに送信することであって、前記第２のメッセージは、前記第３のノードを前記高コンフィギュレーションモードに設定するよう指示するために用いられる、送信すること、又は、
前記システム情報を更新するよう指示するために前記第１のメッセージが用いられる場合、前記第２のメッセージを前記第３のノードに送信することであって、前記第２のメッセージは、前記システム情報を更新するよう前記第３のノードに指示するために用いられる、送信すること
を行うように構成される、請求項１８に記載のネットワーク制御装置。
【請求項２０】
前記プロセッサはさらに、
前記第３のノードを呼び出すために前記第１のメッセージが用いられる場合、前記第３のノードのサービス優先度に基づいて、前記第２のメッセージを前記第３のノードに送信するように構成され、前記第２のメッセージは、前記ネットワークにアクセスするよう前記第３のノードに指示するか、又は前記第１のノードと通信を行うよう前記第３のノードに指示するために用いられる、請求項１８又は１９に記載の第１のノード。
【請求項２１】
前記プロセッサはさらに、
前記第３のノードが送信する第６のメッセージを受信することであって、前記第６のメッセージは、前記第３のノードが前記第１のノードからページングメッセージを受信することを示すか、又は前記第３のノードが前記第１のノードから前記システム情報を受信することを示すか、又は前記第３のノードのモードが前記高コンフィギュレーションモードに設定されることを示すか、又は前記第３のノードのモードが前記低コンフィギュレーションモードに設定されることを示すために用いられる、受信すること、又は、
第７のメッセージを前記第３のノードに送信することであって、前記第７のメッセージは、前記第１のノードからページングメッセージを受信するよう前記第３のノードに指示するか、又は前記第１のノードから前記システム情報を受信するよう前記第３のノードに指示するか、又は前記第３のノードのモードを前記高コンフィギュレーションモードに設定するよう指示するか、又は前記第３のノードのモードを前記低コンフィギュレーションモードに設定するよう指示する、送信すること
を行うように構成される、請求項１７に記載の第１のノード。
【請求項２２】
前記第２のメッセージは、以下に挙げるもの、すなわち、前記第１のノードの識別子、前記第１のノードの識別子、前記第３のノードの識別子、システム情報更新指示、前記システム情報、ページング指示、前記第３のノードのサービスタイプ、及び前記第３のノードの前記サービス優先度のうちの少なくとも１つを含む、請求項１７から２１のいずれか一項に記載の第１のノード。
【請求項２３】
第３のノードであって、前記第３のノードは、プロセッサと、メモリと、送受信機とを備え、前記メモリは１つ又は複数の命令を格納するように構成され、前記命令は前記プロセッサによって実行されるように構成され、
前記プロセッサは、
第１のノード又は第２のノードが送信する第２のメッセージを受信することであって、前記第２のメッセージは、ネットワークにアクセスするよう前記第３のノードに指示するか、又は前記第１のノードと通信を行うよう前記第３のノードに指示するか、又は前記第３のノードを高コンフィギュレーションモードに設定するよう指示するか、又は前記第３のノードを低コンフィギュレーションモードに設定するよう指示するか、又はシステム情報を更新するよう指示するために用いられる、受信することと、
前記第２のメッセージに従って通信を行うことと
を行うように構成され、
前記第２のノードは前記第１のノードのサービング局であるか、又は前記第２のノードは前記第３のノードのサービング局であるか、又は前記第２のノードは前記第１のノード及び前記第３のノードのサービング局である、第３のノード。
【請求項２４】
前記プロセッサはさらに、
前記ネットワークにアクセスするよう前記第３のノードに指示するために前記第２のメッセージが用いられる場合、前記ネットワークにアクセスするか、若しくは前記第２のノードにアクセスして前記第２のノードと通信を行う、又は、
前記第１のノードと通信を行うよう前記第３のノードに指示するために前記第２のメッセージが用いられる場合、前記第１のノードとＤ２Ｄ通信を行うか、若しくは前記第３のノードが前記第１のノードへのデバイス間Ｄ２Ｄ接続を確立しているかどうかを検出して、前記第３のノードが前記第１のノードへのＤ２Ｄ接続を確立していない場合には前記第１のノードへのＤ２Ｄ接続を確立し、若しくは前記第３のノードが前記第１のノードへのＤ２Ｄ接続を確立している場合には前記第１のノードとＤ２Ｄ通信を行う、又は、
前記第２のメッセージが前記第３のノードを前記高コンフィギュレーションモードに設定するよう指示する場合、前記第３のノードの通信モードを前記高コンフィギュレーションモードに設定する、又は、
前記第２のメッセージが前記第３のノードを前記低コンフィギュレーションモードに設定するよう指示する場合、前記第３のノードの通信モードを前記低コンフィギュレーションモードに設定する、又は、
前記第２のメッセージが前記システム情報を更新するよう前記第３のノードに指示する場合、前記システム情報をリッスンし、前記システム情報を更新するか、若しくは前記第３のノードの通信モードを前記高コンフィギュレーションモードに設定する
ように構成される、請求項２３に記載のネットワーク制御装置。
【請求項２５】
前記プロセッサはさらに、
第３のメッセージを前記第１のノードに送信する、又は、
前記第２のメッセージの受信から始まる所定の期間内に前記ネットワークへのアクセスに成功した場合、若しくは前記第２のノードへの通信接続の確立に成功した場合、第３のメッセージを前記第１のノードに送信する
ように構成され、
前記第３のメッセージは、前記第３のノードが前記ネットワークへのアクセスに成功したことを示すか、又は前記第３のノードの呼び出しに成功したことを示すか、又は前記第３のノードが前記第２のノードへの前記通信接続の確立に成功したことを示すか、又は前記第３のノードが既に前記高コンフィギュレーションモードに設定されていることを示すか、又は前記第１のノードと通信を行うことを確認して返信するために用いられるか、又は前記第３のノードが前記システム情報を更新したことを示すために用いられる、請求項２３又は２４に記載の第３のノード。
【請求項２６】
前記プロセッサはさらに、
前記第１のノードが送信する前記第２のメッセージを受信する前に、前記第３のノードは低コンフィギュレーションモードにある、又は、
前記第１のノードが送信する前記第２のメッセージを受信した後に、前記第３のノードの通信モードを前記低コンフィギュレーションモードに設定するか、若しくは前記第３のノードを前記高コンフィギュレーションモードに設定する、又は、
前記第１のノードが送信する前記第２のメッセージを受信する場合、前記第３のノードは低コンフィギュレーションモードにある、
ように構成される、請求項２３に記載の第３のノード。
【請求項２７】
前記プロセッサはさらに、
前記システム情報を更新した後に、前記第３のノードを前記低コンフィギュレーションモードに設定する、又は、
前記システム情報を更新して前記第３のノードが所定の条件を満たした後に、前記第３のノードを前記低コンフィギュレーションモードに設定する
ように構成される、請求項２４に記載のネットワーク制御装置。
【請求項２８】
前記プロセッサはさらに、
第６のメッセージを前記第１のノードに送信することであって、前記第６のメッセージは、前記第３のノードが前記第１のノードからページングメッセージを受信することを示すか、若しくは前記第３のノードが前記第１のノードから前記システム情報を受信することを示すか、若しくは前記第３のノードのモードが前記高コンフィギュレーションモードに設定されることを示すか、若しくは前記第３のノードのモードが前記低コンフィギュレーションモードに設定されることを示すために用いられる、送信すること、又は、
前記第１のノードもしくは前記第２のノードが送信する第７のメッセージを受信することであって、前記第７のメッセージは、前記第１のノードからページングメッセージを受信するよう前記第３のノードに指示するか、若しくは前記第１のノードから前記システム情報を受信するよう前記第３のノードに指示するか、若しくは前記第３のノードのモードを前記高コンフィギュレーションモードに設定するよう指示するか、若しくは前記第３のノードのモードを前記低コンフィギュレーションモードに設定するよう指示するために用いられる、受信すること
を行うように構成される、請求項２３に記載の第３のノード。
【請求項２９】
前記低コンフィギュレーションモードは以下に挙げることのうちの少なくとも１つであり、それらは、
前記第３のノードは前記第１のノードのカバレッジ内に留まる（ｓｔａｙ）こと、又は、
前記第３のノードは前記第１のノードが送信する情報のみを受信すること、又は、
前記第３のノードは前記第１のノードが送信するシグナリング及び／若しくはデータのみを受信すること、又は、
前記第３のノードはＤ２Ｄ通信ノードが送信するシグナリング及び／若しくはデータのみを受信すること、又は、
前記第３のノードは前記第１のノードが送信するシグナリング及び／若しくはデータを受信すること、又は、
前記第３のノードはＤ２Ｄ通信ノードが送信するシグナリング及び／若しくはデータを受信すること、又は、
前記第３のノードは前記第１のノードが送信するページングメッセージを受信すること、又は、
前記第３のノードは前記第１のノードが送信する前記システム情報を受信すること、又は、
前記第３のノードは前記第１のノードが送信する同期信号を受信すること、又は、
前記第３のノードはセルが送信するシステム情報を受信しないこと、又は、
前記第３のノードはセルが送信するページングメッセージを受信しないこと、又は、
前記第３のノードはセルが送信する同期情報を受信しないこと、又は、
前記第３のノードは前記第１のノードが送信する情報を受信するが、以下に挙げるオペレーション、すなわち、セルのカバレッジ内に留まること、セルが送信するシステム情報を受信すること、セルが送信するページングメッセージを受信すること、セルが送信する同期信号を受信すること、局が送信するシステム情報を受信すること、局が送信するページングメッセージを受信すること、局が送信する同期信号を受信すること、隣接セル測定を行うこと、同一周波数内セル測定を行うこと、及び異周波数間セル測定を行うことのうちの少なくとも１つを行わないこと、又は、
前記第３のノードはＤ２Ｄ通信ノードが送信する情報を受信するが、以下に挙げるオペレーション、すなわち、セルのカバレッジ内に留まること、セルが送信するシステム情報を受信すること、セルが送信するページングメッセージを受信すること、セルが送信する同期信号を受信すること、局が送信するシステム情報を受信すること、局が送信するページングメッセージを受信すること、局が送信する同期信号を受信すること、隣接セル測定を行うこと、同一周波数内セル測定を行うこと、及び異周波数間セル測定を行うことのうちの少なくとも１つを行わないことであり、
前記高コンフィギュレーションモードは以下に挙げることのうちの少なくとも１つを含み、それらは、
前記第３のノードは、セルのカバレッジ内に留まること、又はセルが送信するシステム情報を受信すること、又はセルが送信する同期信号を受信すること、又はセルが送信するページングメッセージを受信すること、又は局が送信するシステム情報を受信すること、又は局が送信する同期信号を受信すること、又は局が送信するページングメッセージを受信すること、又はセル選択を行うこと、又はセル再選択を行うこと、又は隣接セル測定を行うこと、又は同一周波数内セル測定を行うこと、又は異周波数間セル測定を行うことである、請求項２３から２８のいずれか一項に記載の第３のノード。
【請求項３０】
第２のノードであって、前記第２のノードは、プロセッサと、メモリと、送受信機とを備え、前記メモリは１つ又は複数の命令を格納するように構成され、前記命令は前記プロセッサによって実行されるように構成され、
前記プロセッサは、
第１のメッセージを第１のノード又は第３のノードに送信することであって、前記第１のメッセージは、前記第３のノードを呼び出すために用いられるか、又はネットワークにアクセスするよう前記第３のノードに指示するために用いられるか、又は前記第２のノードと通信を行うよう前記第３のノードに指示するために用いられるか、又は中継サービスを前記第３のノードに提供するよう前記第１のノードに指示するために用いられるか、又は前記第３のノードを高コンフィギュレーションモードに設定するよう指示するために用いられるか、又は前記第３のノードを低コンフィギュレーションモードに設定するよう指示するために用いられるか、又はシステム情報を更新するよう指示するために用いられる、送信することと、
前記第１のメッセージに基づいて通信を行うことと
を行うように構成され、
前記第１のノードは前記中継サービスを前記第３のノードに提供し、前記第２のノードは前記第１のノードのサービング局であるか、又は前記第２のノードは前記第３のノードのサービング局であるか、又は前記第２のノードは前記第１のノード及び前記第３のノードのサービング局である、第２のノード。
【請求項３１】
前記プロセッサはさらに、
第１０のメッセージを受信することであって、前記第１０のメッセージは、前記第３のノードと前記第１のノードとの間のペアリング情報を示すために用いられる、受信すること、及び／又は、
第８のメッセージをＭＭＥに送信することであって、前記第８のメッセージは、前記第３のノードに関する情報及び前記第１のノードに関する情報を前記ＭＭＥに通知するために用いられ、前記第１のノードは前記第３のノードの中継ノードである、送信すること、及び／又は、
前記ＭＭＥが送信する第９のメッセージを受信することであって、前記第９のメッセージは前記第１のノードを呼び出すよう前記第２のノードに指示するために用いられ、前記第９のメッセージは前記第３のノード及び前記第１のノードに関する情報を含む、受信すること
を行うように構成される、請求項３０に記載のネットワーク制御装置。
【請求項３２】
前記第１のメッセージは、以下に挙げるもの、すなわち、前記第１のノードの識別子、前記第１のノードの識別子、前記第３のノードの識別子、システム情報更新指示、システム情報、ページング指示、前記第３のノードのサービスタイプ、及び前記第３のノードのサービス優先度のうちの少なくとも１つを含む、請求項３０又は３１に記載の方法。
【発明の詳細な説明】
【技術分野】
【０００１】
本発明の実施形態は、通信分野に関するものであり、詳細には、通信方法、装置、及びデバイスに関するものである。
【背景技術】
【０００２】
ネットワークサービスのカバレッジを拡大するために、ユーザ機器−ネットワーク間の中継（英文：ＵＥ−ｔｏ−ｎｅｔｗｏｒｋ  ｒｅｌａｙ）技術が先行技術に導入されている。
【０００３】
ユーザ機器−ネットワーク間の中継技術では、通常、中継デバイスが基地局のカバレッジ内に配置されるが、ネットワークに接続する必要があるデバイスは、基地局のカバレッジ内に配置されていなくてもよい。ネットワークに接続する必要があるデバイスが基地局に接続できるようにするために、中継デバイスは、基地局と基地局に接続する必要があるデバイスとの間で、データを転送する必要がある。例えば、中継デバイスとして第１のノードが用いられ、ネットワークに接続する必要があるデバイスとして第３のノードが用いられる。第１のノードは、第３のノードへのデバイス間（英文：Ｄｅｖｉｃｅ−ｔｏ−Ｄｅｖｉｃｅ、Ｄ２Ｄ）接続を確立する。第１のノードは、基地局が送信するダウンリンクデータを第３のノードに転送するか、又は第３のノードが送信するアップリンクデータを基地局に転送する。これにより、ネットワークサービスを基地局及び第３のノードに提供することが可能になる。
【０００４】
第３のノードが第１のノードを中継デバイスとして用い、第３のノードと基地局との間の通信を実現する場合、第３のノードと第１のノードとの間のＤ２Ｄ接続を維持する必要があり、さらに、第３のノードと基地局との間のリンクも維持する必要がある。第３のノードは、第３のノードと基地局との間のリンクを維持する場合、少なくとも基地局のシステム情報及びページングメッセージなどを周期的にリッスンする必要がある。したがって、Ｄ２Ｄ通信プロセスでは、第３のノードの電力消費が比較的高い。
【発明の概要】
【０００５】
先行技術の問題を解決するために、本発明の実施形態が、通信方法、装置、及びデバイスを提供する。技術的解決手段は以下の通りである。
【０００６】
第１の態様によれば、通信方法が提供され、第１のノードに適用される。本方法は、第２のメッセージを第３のノードに送信する段階を含み、第２のメッセージは、ネットワークにアクセスするよう第３のノードに指示するか、又は第１のノードを用いて第２のノードと通信を行うよう第３のノードに指示するか、又は第３のノードを低コンフィギュレーションモードに設定するように指示するか、又は第３のノードを高コンフィギュレーションモードに設定するように指示するか、又はシステム情報を更新するよう第３のノードに指示するために用いられる。第２のノードは、第１のノードのサービング局であるか、又は第２のノードは第３のノードのサービング局であるか、又は第２のノードは第１のノード及び第３のノードのサービング局である。
【０００７】
第２のメッセージが、ネットワークにアクセスするよう第３のノードに指示するために用いられる場合、第３のノードは、第１のノードが送信する第２のメッセージに従って遅滞なくネットワークにアクセスすることができ、第２のノードが送信するネットワークアクセスメッセージを継続してリッスンする必要はない。これにより、第３のノードが第２のノードをリッスンするプロセスを効果的に回避し、第３のノードがリッスンするために電力消費を発生させないようにする。
【０００８】
第２のメッセージが、第１のノードを用いて第２のノードと通信を行うよう第３のノードに指示するために用いられる場合、第３のノードは、第２のノードが送信する情報をリッスンすることも、又はリッスンするための電力消費を発生させることもなく、第２のノードが送信し且つ第１のノードが中継する情報を受信することができる。
【０００９】
第２のメッセージが、第３のノードを低コンフィギュレーションモードに設定するよう指示するために用いられる場合、第３のノードは、第２のノードが送信する情報を受信しない。したがって、第３のノードは、第２のノードが送信する情報を積極的にリッスンしないので、リッスンするための電力消費を発生させることはない。
【００１０】
第２のメッセージが、第３のノードを高コンフィギュレーションモードに設定するよう指示するために用いられる場合、第３のノードは、第２のノードが送信する情報を直接受信するので、第２のノードが送信する情報を常にリッスンする必要はない。したがって、長期間リッスンすることで生じる、リッスンするための電力消費も回避される。
【００１１】
第２のメッセージが、システム情報を更新するよう第３のノードに指示するために用いられる場合、第３のノードは、第１のノードが送信する第２のメッセージに従ってシステム情報を更新することができるので、第２のノードが送信するシステム情報を常にリッスンする必要はない。これにより、第３のノードが第２のノードをリッスンするプロセスを効果的に回避し、第３のノードがリッスンするために電力消費を発生させないようにする。
【００１２】
第３のノードがリッスンするために発生させる電力消費が、ある程度削減され得るか、又は様々なタイプのコンテンツを示す前述の第２のメッセージを用いることで回避され得るので、これにより、第３のノードがＤ２Ｄ通信プロセスにおいてＤ２Ｄ通信を行う場合、第２のノードが送信するメッセージを第３のノードが周期的にリッスンする必要があるときに発生する比較的高い電力消費の問題が解決される。
【００１３】
第１の態様の第１の実行可能な実施例において、第２のメッセージを第３のノードに送信する段階の前に、本方法は、第２のノードが送信する第１のメッセージを受信する段階であって、第１のメッセージは、第３のノードを呼び出すか、又はネットワークにアクセスするよう第３のノードに指示するか、又は中継サービスを第３のノードに提供するよう第１のノードに指示するか、又は第３のノードを低コンフィギュレーションモードに設定するよう指示するか、又は第３のノードを高コンフィギュレーションモードに設定するよう指示するか、又はシステム情報を更新するよう指示するために第１のメッセージが用いられることを示すのに用いられる、段階と、第１のメッセージに基づいて第２のメッセージを第３のノードに送信する段階とを含む。第１のノードは、第２のノードが送信する第１のメッセージを受信した後、これに対応して、第１のメッセージが示すコンテンツに従って第２のメッセージを第３のノードに送信することができる。したがって、第２のメッセージを用いることによって、第３のノードが第２のノードをリッスンする期間をある程度削減することができるので、第３のノードがリッスンするために発生させる電力消費が削減される。
【００１４】
第１の態様の第１の実行可能な実施例に関連して、第１の態様の第２の実行可能な実施例では、第２のノードが送信する第１のメッセージを受信する段階は、第２のノードが送信する第１のメッセージを第３のノードのページング期間に受信するか、又は第２のノードが送信する第１のメッセージを第１のノードのページング期間に受信する段階を含む。第１のノードは、第２のノードが送信する第１のメッセージを第１のノード又は第３のノードのページング期間にのみ受信するので、第１のノードの電力消費が削減され得る。
【００１５】
第１の態様の第１の実行可能な実施例に関連して、第１の態様の第３の実行可能な実施例では、第２のメッセージを第３のノードに送信する段階は、ネットワークにアクセスするよう第３のノードに指示するために第１のメッセージが用いられる場合、第２のメッセージを第３のノードに送信する段階であって、第２のメッセージは、第２のノードへの通信接続を確立するよう第３のノードに指示するために用いられる、段階、又は第３のノードを呼び出すために第１のメッセージが用いられる場合、第２のメッセージを第３のノードに送信する段階であって、第２のメッセージは、ネットワークにアクセスするよう第３のノードに指示するか、若しくは第１のノードと通信を行うよう第３のノードに指示するために用いられる、段階、又は中継サービスを第３のノードに提供するよう第１のノードに指示するために第１のメッセージが用いられる場合、第２のメッセージを第３のノードに送信する段階であって、第２のメッセージは、第１のノードと通信を行うよう第３のノードに指示するために用いられる、段階、又は、第３のノードを低コンフィギュレーションモードに設定するよう指示するために第１のメッセージが用いられる場合、第２のメッセージを第３のノードに送信する段階であって、第２のメッセージは、第３のノードを低コンフィギュレーションモードに設定するよう指示するために用いられる、段階、又は第３のノードを高コンフィギュレーションモードに設定するよう指示するために第１のメッセージが用いられる場合、第２のメッセージを第３のノードに送信する段階であって、第２のメッセージは、第３のノードを高コンフィギュレーションモードに設定するよう指示するために用いられる、段階、又はシステム情報を更新するよう指示するために第１のメッセージが用いられる場合、第２のメッセージを第３のノードに送信する段階であって、第２のメッセージは、システム情報を更新するよう第３のノードに指示するために用いられる、段階を含む。第２のノードが送信する第１のメッセージを受信した後に、第１のノードは、第１のメッセージが示す情報に対応する第２のメッセージを第３のノードに送信するので、第３のノードは、第１のメッセージに示された情報に従って、対応するオペレーションを遅滞なく行うことができる。したがって、第３のノードは、第２のノードが送信する情報を継続してリッスンする必要はないので、リッスンするための電力消費が削減される。
【００１６】
第１の態様の第１の実行可能な実施例と第１の態様の第３の実行可能な実施例とに関連して、第１の態様の第４の実行可能な実施例では、第３のノードを呼び出すために第１のメッセージが用いられる場合、本方法は、第３のノードを呼び出すために第１のメッセージが用いられる場合、第３のノードのサービス優先度に基づいて第２のメッセージを第３のノードに送信する段階を含み、第２のメッセージは、ネットワークにアクセスするよう第３のノードに指示するか、又は第１のノードと通信を行うよう第３のノードに指示するために用いられる。
【００１７】
第１の態様の第５の実行可能な実施例では、第２のメッセージを第３のノードに送信する段階の後に、本方法はさらに、第１のノードと第３のノードとの間のＤ２Ｄ接続を解放するか、又は第１のノードと第３のノードとの間のＤ２Ｄ通信を中断するか、又は第１のノードと第３のノードとの間のＤ２Ｄ通信を確保するか、又は第１のノードと第３のノードとの間のＤ２Ｄ接続を維持するか、又は第１のノードと第３のノードとの間のＤ２Ｄ接続を一時中断する段階を含む。第２のメッセージを第３のノードに送信した後に、第２のノードは、第１のノードと第３のノードとの間のＤ２Ｄ接続を解放しても、終了しても、又は一時中断してもよい。これにより、Ｄ２Ｄ通信における第３のノードの電力消費が削減される。第２のノードは、Ｄ２Ｄ接続を確保しても又は維持してもよいので、第３のノードは、第２のノードが送信する情報を引き続き受信することができる。
【００１８】
第１の態様の第６の実行可能な実施例では、第２のメッセージを第３のノードに送信する段階の後に、本方法はさらに、第３のノードが送信する第３のメッセージを受信する段階を含む。第３のメッセージは、第３のノードがネットワークへのアクセスに成功したことを示すか、若しくは第３のノードの呼び出しに成功したことを示すか、若しくは第３のノードが第２のノードへの通信接続の確立に成功したことを示すか、若しくは第３のノードが既に高コンフィギュレーションモードに設定されていることを示す。又は第３のメッセージは、第１のノードとの通信の実行を確認して返信するために用いられるか、若しくは第３のノードがシステム情報を更新したことを示すために用いられる。第２のメッセージを第３のノードに送信した後に、第１のノードは、第３のノードが送信する第３のメッセージが受信されたかどうかに従って、第３のノードが行うオペレーション又は第３のノードの現在の通信モードを決定してよい。これにより、第１のノードが第３のノードに同じオペレーションを行うよう何度も指示することが防止されるので、第３のノードがオペレーションを繰り返し行う場合に発生する電力消費が回避される。
【００１９】
第１の態様の第６の実行可能な実施例に関連して、第１の態様の第７の実行可能な実施例では、第３のノードが送信する第３のメッセージを受信する段階の後に、本方法はさらに、第１のノードとの通信の実行を確認して返信するために第３のメッセージが用いられる場合、第１のノードと第３のノードとの間のＤ２Ｄ通信を確保するか、又は第１のノードと第３のノードとの間のＤ２Ｄ接続を維持する段階を含む。第１のメッセージが、第１のノードとの通信の実行を確認して返信した場合、それは、第３のノードが第１のノードと引き続きＤ２Ｄ通信を行う必要があることを示す。この場合、第１のノードは、第１のノードと第３のノードとの間のＤ２Ｄ接続を確保するか又は維持するので、第３のノードは、第１のノードと引き続き通信を行うことができる。
【００２０】
第１の態様の第８の実行可能な実施例では、第２のメッセージを第３のノードに送信する段階の後に、本方法はさらに、第２のノードが送信する第４のメッセージを受信する段階であって、第４のメッセージは、第３のノードがネットワークへのアクセスに成功したことを示すか、又は第３のノードの呼び出しに成功したことを示す、段階、又は第１のノードと第３のノードとの間のＤ２Ｄ接続を解放する段階、又は第１のノードと第３のノードとの間のＤ２Ｄ通信を中断する段階、又は第１のノードと第３のノードとの間のＤ２Ｄ通信を確保する段階、又は第１のノードと第３のノードとの間のＤ２Ｄ接続を維持する段階を含む。第２のノードが送信する第４のメッセージを第１のノードが受信した場合、それは、第３のノードが第２のノードへの通信接続を確立したことを示す。この場合、第３のノードは通常、第１のノードと通信することはもうないので、第１のノードは、第１のノードと第３のノードとの間のＤ２Ｄ接続を解放するか又は終了するかしてよい。これにより、Ｄ２Ｄ通信における第３のノードの電力消費が削減される。第２のノードは、Ｄ２Ｄ接続を確保しても又は維持してもよいので、第３のノードは、第２のノードが第１のノードとの通信を中断した後に、第２のノードが送信する情報を直接受信することができる。
【００２１】
第１の態様の第９の実行可能な実施例では、第２のメッセージを第３のノードに送信する段階の後に、本方法はさらに、第５のメッセージを第２のノードに送信する段階を含む。第５のメッセージは、第１のノードと第３のノードとの間のＤ２Ｄ接続に関連したコンフィギュレーションを解放するよう指示するか、又は第１のノードと第３のノードとの間のＤ２Ｄ接続を解放するよう指示する。第１のノード又は第３のノードが、第１のノードと第３のノードとの間のＤ２Ｄ接続を解放する権限を持っていないという事態を回避するために、第１のノードは第５のメッセージを第２のノードに送信して、Ｄ２Ｄ接続又はＤ２Ｄ接続に関連したコンフィギュレーションを解放するよう第２のノードに指示してよい。これにより、Ｄ２Ｄ通信における第３のノードの電力消費が削減される。
【００２２】
第１の態様の第１の実行可能な実施例に関連して、第１の態様の第１０の実行可能な実施例では、中継サービスを第３のノードに提供するよう第１のノードに指示するために第１のメッセージが用いられる場合、第１のノードはデータ中継サービスを第３のノードに提供する。
【００２３】
第１の態様の第１１の実行可能な実施例では、本方法はさらに、第３のノードが送信する第６のメッセージを受信する段階であって、第６のメッセージは、第３のノードが第１のノードからページングメッセージを受信することを示すか、若しくは第３のノードが第１のノードからシステム情報を受信することを示すか、若しくは第３のノードのモードが高コンフィギュレーションモードに設定されることを示すか、若しくは第３のノードのモードが低コンフィギュレーションモードに設定されることを示すために用いられる、段階、又は第７のメッセージを第３のノードに送信する段階であって、第７のメッセージは、第１のノードからページングメッセージを受信するよう第３のノードに指示するか、若しくは第１のノードからシステム情報を受信するよう第３のノードに指示するか、若しくは第３のノードのモードを高コンフィギュレーションモードに設定するよう指示するか、若しくは第３のノードのモードを低コンフィギュレーションモードに設定するよう指示する、段階とを含む。第１のノードは、受信された、第３のノードが送信した第６のメッセージによって示されるコンテンツに従って、第３のノードの現在の通信モード又は第３のノードが現在行っているオペレーションを認識し得る。これにより、第１のノードが第３のノードに同じオペレーションを行うよう何度も指示することが防止されるので、第３のノードがオペレーションを繰り返し行う場合に発生する電力消費が回避される。第１のノードは、第７のメッセージを第３のノードに送信して、対応するオペレーションを行うよう第３のノードに指示することができるので、第３のノードは、第２のノードが送信する情報をリッスンする必要はない。これにより、第３のノードがリッスンするために電力消費を発生させないようにする。
【００２４】
第１の態様及び第１の態様の第１の実行可能な実施例から第１の態様の第１１の実行可能な実施例までのうちのいずれか１つに関連して、第１の態様の第１２の実行可能な実施例では、第１のノードが第１のメッセージを受信する前に、第１のノードは中継サービスを第３のノードに提供する。
【００２５】
第１の態様及び第１の態様の第１の実行可能な実施例から第１の態様の第１２の実行可能な実施例までのうちのいずれか１つに関連して、第１の態様の第１３の実行可能な実施例では、低コンフィギュレーションモードは以下に挙げることのうちの少なくとも１つであり、それらは、第３のノードは第１のノードのカバレッジ内に留まる（ｓｔａｙ）こと、又は第３のノードは第１のノードが送信する情報のみを受信すること、又は第３のノードは第１のノードが送信するシグナリング及び／若しくはデータのみを受信すること、又は第３のノードはＤ２Ｄ通信ノードが送信するシグナリング及び／若しくはデータのみを受信すること、又は第３のノードは第１のノードが送信するシグナリング及び／若しくはデータを受信すること、又は第３のノードはＤ２Ｄ通信ノードが送信するシグナリング及び／若しくはデータを受信すること、又は第３のノードは第１のノードが送信するページングメッセージを受信すること、又は第３のノードは第１のノードが送信するシステム情報を受信すること、又は第３のノードは第１のノードが送信する同期信号を受信すること、又は第３のノードはセルが送信するシステム情報を受信しないこと、又は第３のノードはセルが送信するページングメッセージを受信しないこと、又は第３のノードはセルが送信する同期情報を受信しないこと、又は第３のノードは第１のノードが送信する情報を受信するが、以下に挙げるオペレーション、すなわち、セルのカバレッジ内に留まること、セルが送信するシステム情報を受信すること、セルが送信するページングメッセージを受信すること、セルが送信する同期信号を受信すること、局が送信するシステム情報を受信すること、局が送信するページングメッセージを受信すること、局が送信する同期信号を受信すること、隣接セル測定を行うこと、同一周波数内セル測定を行うこと、及び異周波数間セル測定を行うことのうちの少なくとも１つを行わないこと、又は第３のノードはＤ２Ｄ通信ノードが送信する情報を受信するが、以下に挙げるオペレーション、すなわち、セルのカバレッジ内に留まること、セルが送信するシステム情報を受信すること、セルが送信するページングメッセージを受信すること、セルが送信する同期信号を受信すること、局が送信するシステム情報を受信すること、局が送信するページングメッセージを受信すること、局が送信する同期信号を受信すること、隣接セル測定を行うこと、同一周波数内セル測定を行うこと、及び異周波数間セル測定を行うことのうちの少なくとも１つを行わないことである。また、高コンフィギュレーションモードは以下に挙げることのうちの少なくとも１つを含み、それらは、第３のノードは、セルのカバレッジ内に留まること、又はセルが送信するシステム情報を受信すること、又はセルが送信する同期信号を受信すること、又はセルが送信するページングメッセージを受信すること、又は局が送信するシステム情報を受信すること、又は局が送信する同期信号を受信すること、又は局が送信するページングメッセージを受信すること、又はセル選択を行うこと、又はセル再選択を行うこと、又は隣接セル測定を行うこと、又は同一周波数内セル測定を行うこと、又は異周波数間セル測定を行うことである。低コンフィギュレーションモードにある第３のノードは、第２のノードが送信する情報を受信しないので、第３のノードは、第２のノードが送信する情報を積極的にリッスンしないが、第３のノードが高コンフィギュレーションモードに設定された後に、第２のノードが送信する情報を直接受信するので、第３のノードが高コンフィギュレーションモードに設定される前に、第２のノードが送信する情報をリッスンする必要もない。
【００２６】
第１の態様及び第１の態様の第１の実行可能な実施例から第１の態様の第１３の実行可能な実施例までのうちのいずれか１つに関連して、第１の態様の第１４の実行可能な実施例では、第２のメッセージは、以下に挙げるもの、すなわち、第１のノードの識別子、第３のノードの識別子、システム情報更新指示、システム情報、ページング指示、第３のノードのサービスタイプ、及び第３のノードのサービス優先度のうちの少なくとも１つを含む。第１のノードが送信する第２のメッセージを受信した後に、第３のノードは、第３のノードのサービスタイプ又は第３のノードのサービス優先度などの情報に従って、中継するために第１のノードを用いるか又は第２のノードにアクセスするかを選択してよい。例えば、サービス優先度の低いサービスの場合、第１のノードは、中継サービスを第３のノードに直接提供してよい。これにより、第３のノードが第２のノードに通信可能に接続された後に発生する高い電力消費が回避される。
【００２７】
第１の態様の第４の実行可能な実施例に関連して、第１の態様の第１５の実行可能な実施例では、第２のメッセージを第３のノードのサービス優先度に基づいて第３のノードに送信する段階は、第３のノードのサービス優先度が第１の優先度である場合、第３のノードを呼び出すために第１のメッセージが用いられるときに、第２のメッセージを第３のノードに送信する段階であって、第２のメッセージは、ネットワークにアクセスするよう第３のノードに指示するために用いられる、段階、又は第３のノードのサービス優先度が第２の優先度である場合、第３のノードを呼び出すために第１のメッセージが用いられるときに、第２のメッセージを第３のノードに送信する段階であって、第２のメッセージは、第１のノードと通信を行うよう第３のノードに指示するために用いられ、第１の優先度は第２の優先度より高い、段階を含む。第２のノードが送信する第１のメッセージを受信した後に、第１のノードは、第３のノードのサービスタイプ又は第３のノードのサービス優先度などの情報に従って、中継サービスを第３のノードに提供するか又は第２のノードにアクセスするよう第３のノードに指示するかを選択してよい。例えば、サービス優先度の低いサービスの場合、第１のノードは、中継サービスを第３のノードに直接提供してよい。これにより、第３のノードが第２のノードに通信可能に接続された後に発生する高い電力消費が回避される。
【００２８】
第２の態様によれば、通信方法が提供され、第３のノードに適用される。本方法は、第１のノード又は第２のノードが送信する第２のメッセージを受信する段階であって、第２のメッセージは、ネットワークにアクセスするよう第３のノードに指示するか、又は第１のノードと通信を行うよう第３のノードに指示するか、又は第３のノードを高コンフィギュレーションモードに設定するよう指示するか、又は第３のノードを低コンフィギュレーションモードに設定するよう指示するか、又はシステム情報を更新するよう指示するために用いられる、段階と、第２のメッセージに従って通信を行う段階であって、第２のノードは第１のノードのサービング局であるか、又は第２のノードは第３のノードのサービング局であるか、又は第２のノードは第１のノード及び第３のノードのサービング局である、段階とを含む。
【００２９】
第２のメッセージが、ネットワークにアクセスするよう第３のノードに指示するために用いられる場合、第３のノードは、第１のノードが送信する第２のメッセージに従って遅滞なくネットワークにアクセスすることができるので、第２のノードが送信するネットワークアクセスメッセージを継続してリッスンする必要はない。これにより、第３のノードが第２のノードをリッスンするプロセスを効果的に回避し、第３のノードがリッスンするために電力消費を発生させないようにする。
【００３０】
第２のメッセージが、第１のノードを用いて第２のノードと通信を行うよう第３のノードに指示するために用いられる場合、第３のノードは、第２のノードが送信する情報をリッスンすることも、又はリッスンするための電力消費を発生させることもなく、第２のノードが送信し且つ第１のノードが中継する情報を受信することができる。
【００３１】
第２のメッセージが、第３のノードを低コンフィギュレーションモードに設定するよう指示するために用いられる場合、第３のノードは、第２のノードが送信する情報を受信しない。したがって、第３のノードは、第２のノードが送信する情報を積極的にリッスンしないので、リッスンするための電力消費を発生させることはない。
【００３２】
第２のメッセージが、第３のノードを高コンフィギュレーションモードに設定するよう指示するために用いられる場合、第３のノードは、第２のノードが送信する情報を直接受信するので、第２のノードが送信する情報を常にリッスンする必要はない。したがって、長期間リッスンすることで生じる、リッスンするための電力消費も回避される。
【００３３】
第２のメッセージが、システム情報を更新するよう第３のノードに指示するために用いられる場合、第３のノードは、第１のノードが送信する第２のメッセージに従ってシステム情報を更新することができるので、第２のノードが送信するシステム情報を常にリッスンする必要はない。これにより、第３のノードが第２のノードをリッスンするプロセスを効果的に回避し、第３のノードがリッスンするために電力消費を発生させないようにする。
【００３４】
第３のノードがリッスンするために発生させる電力消費が、ある程度削減され得るか、又は様々なタイプのコンテンツを示す前述の第２のメッセージを用いることで回避され得るので、これにより、第３のノードがＤ２Ｄ通信プロセスにおいてＤ２Ｄ通信を行う場合、第２のノードが送信するメッセージを第３のノードが周期的にリッスンする必要があるときに発生する比較的高い電力消費の問題が解決される。
【００３５】
第２の態様の第１の実行可能な実施例では、第２のメッセージに従って通信を行う段階は、ネットワークにアクセスするよう第３のノードに指示するために第２のメッセージが用いられる場合、ネットワークにアクセスするか、若しくは第２のノードにアクセスして第２のノードと通信を行う段階、又は第１のノードと通信を行うよう第３のノードに指示するために第２のメッセージが用いられる場合、第１のノードとＤ２Ｄ通信を行う段階、又は第３のノードが第１のノードへのＤ２Ｄ接続を確立しているかどうかを検出して、第３のノードが第１のノードへのＤ２Ｄ接続を確立していない場合には第１のノードへのＤ２Ｄ接続を確立し、若しくは第３のノードが第１のノードへのＤ２Ｄ接続を確立している場合には第１のノードとＤ２Ｄ通信を行う段階、又は第２のメッセージが第３のノードを高コンフィギュレーションモードに設定するよう指示した場合、第３のノードの通信モードを高コンフィギュレーションモードに設定する段階、又は第２のメッセージが第３のノードを低コンフィギュレーションモードに設定するよう指示した場合、第３のノードの通信モードを低コンフィギュレーションモードに設定する段階、又は第２のメッセージがシステム情報を更新するよう第３のノードに指示した場合、システム情報をリッスンしてシステム情報を更新するか、若しくは第３のノードの通信モードを高コンフィギュレーションモードに設定する段階を含む。第３のノードは、第２のメッセージに示される情報を用いて、第２のノードへの通信接続を確立するかどうか、通信モードを高コンフィギュレーションモードに設定するかどうか、又はシステム情報を更新するかどうかを判定することができる。したがって、第３のノードは、第２のノードが送信する情報を継続してリッスンする必要はない。これにより、リッスンするために発生する電力消費が削減又は回避される。
【００３６】
第２の態様の第１の実行可能な実施例に関連して、第２の態様の第２の実行可能な実施例では、第１のノードが送信する第２のメッセージを受信する段階の後に、本方法はさらに、第３のメッセージを第１のノードに送信する段階、又は第２のメッセージの受信から始まる所定の期間内にネットワークへのアクセスに成功した場合、若しくは第２のノードへの通信接続の確立に成功した場合、第３のメッセージを第１のノードに送信する段階を含む。第３のメッセージは、第３のノードがネットワークへのアクセスに成功したことを示すか、又は第３のノードの呼び出しに成功したことを示すか、又は第３のノードが第２のノードへの通信接続の確立に成功したことを示すか、又は第３のノードが既に高コンフィギュレーションモードに設定されていることを示すか、又は第１のノードと通信を行うことを確認して返信するために用いられるか、又は第３のノードがシステム情報を更新したことを示すために用いられる。第２のノードへの接続を確立したか又は所定の期間内にネットワークにアクセスした場合、第３のノードは、第３のメッセージを第１のノードに送信し、第３のノードが行うオペレーション又は現在の通信モードを第１のノードに通知してよい。これにより、第１のノードが第３のノードに同じオペレーションを行うよう何度も指示することが防止されるので、第３のノードがオペレーションを繰り返し行う場合に発生する電力消費が回避される。
【００３７】
第２の態様、第２の態様の第１の実行可能な実施例、又は第２の態様の第２の実行可能な実施例に関連して、第２の態様の第３の実行可能な実施例では、本方法はさらに、第１のノードと第３のノードとの間のＤ２Ｄ接続を維持するか、又は第１のノードと第３のノードとの間のＤ２Ｄ接続を解放する段階を含む。
【００３８】
第２の態様の第４の実行可能な実施例では、本方法はさらに、第１のノードが送信する第２のメッセージを受信する前に、第３のノードは低コンフィギュレーションモードにある段階、又は第１のノードが送信する第２のメッセージを受信する段階の後に、第３のノードの通信モードを低コンフィギュレーションモードに設定するか、若しくは第３のノードを高コンフィギュレーションモードに設定する段階、又は第１のノードが送信する第２のメッセージを受信している間、第３のノードは低コンフィギュレーションモードにある段階を含む。第３のノードの電力消費を削減するために、第１のノードが送信する第２のメッセージを受信した後に、第３のノードは、通信モードを低コンフィギュレーションモードに設定してよい。第１のノードと第３のノードとの間の通信を保証するために、第１のノードが送信する第２のメッセージを受信した後に、第３のノードは、通信モードを高コンフィギュレーションモードに設定してよい。第３のノードは、第２のメッセージに従って高コンフィギュレーションモード又は低コンフィギュレーションモードに設定されるので、第３のノードは、第２のノードが送信する情報を常にリッスンする必要はない。これにより、第３のノードがリッスンするために電力消費を発生させないようにすることができる。
【００３９】
第２の態様の第１の実行可能な実施例に関連して、第２の態様の第５の実行可能な実施例では、システム情報をリッスンする段階の後に、本方法はさらに、システム情報を更新した後に第３のノードを低コンフィギュレーションモードに設定する段階、又はシステム情報を更新して第３のノードが所定の条件を満たした後に第３のノードを低コンフィギュレーションモードに設定する段階を含む。第３のノードの電力消費を削減するために、第３のノードは、システム情報を更新した後に、通信モードを低コンフィギュレーションモードに設定してよい。
【００４０】
第２の態様の第６の実行可能な実施例では、本方法はさらに、第６のメッセージを第１のノードに送信する段階であって、第６のメッセージは、第３のノードが第１のノードからページングメッセージを受信することを示すか、又は第３のノードが第１のノードからシステム情報を受信することを示すか、又は第３のノードのモードが高コンフィギュレーションモードに設定されることを示すか、又は第３のノードのモードが低コンフィギュレーションモードに設定されることを示すために用いられる、段階、又は第１のノード若しくは第２のノードが送信する第７のメッセージを受信する段階であって、第７のメッセージは、第１のノードからページングメッセージを受信するよう第３のノードに指示するか、又は第１のノードからシステム情報を受信するよう第３のノードに指示するか、又は第３のノードのモードを高コンフィギュレーションモードに設定するよう指示するか、又は第３のノードのモードを低コンフィギュレーションモードに設定するよう指示するために用いられる、段階を含む。第１のノードは、受信された、第３のノードが送信した第６のメッセージによって示されるコンテンツに従って、第３のノードの現在の通信モード又は第３のノードが現在行っているオペレーションを認識し得る。これにより、第１のノードが第３のノードに同じオペレーションを行うよう何度も指示することが防止されるので、第３のノードがオペレーションを繰り返し行う場合に発生する電力消費が回避される。第１のノードは、第７のメッセージを第３のノードに送信して、対応するオペレーションを行うよう第３のノードの指示することができるので、第３のノードは、第２のノードが送信する情報をリッスンする必要はない。これにより、第３のノードがリッスンするために電力消費を発生させないようにする。
【００４１】
第２の態様及び第２の態様の第１の実行可能な実施例から第２の態様の第６の実行可能な実施例までのうちのいずれか１つに関連して、第２の態様の第７の実行可能な実施例では、第１のノードは、中継サービスを第３のノードに提供するノードである。
【００４２】
第２の態様及び第２の態様の第１の実行可能な実施例から第２の態様の第７の実行可能な実施例までのうちのいずれか１つに関連して、第２の態様の第８の実行可能な実施例では、低コンフィギュレーションモードは以下に挙げることのうちの少なくとも１つであり、それらは、第３のノードは第１のノードのカバレッジ内に留まる（ｓｔａｙ）こと、又は第３のノードは第１のノードが送信する情報のみを受信すること、又は第３のノードは第１のノードが送信するシグナリング及び／又はデータのみを受信すること、又は第３のノードはＤ２Ｄ通信ノードが送信するシグナリング及び／又はデータのみを受信すること、又は第３のノードは第１のノードが送信するシグナリング及び／又はデータを受信すること、又は第３のノードはＤ２Ｄ通信ノードが送信するシグナリング及び／又はデータを受信すること、又は第３のノードは第１のノードが送信するページングメッセージを受信すること、又は第３のノードは第１のノードが送信するシステム情報を受信すること、又は第３のノードは第１のノードが送信する同期信号を受信すること、又は第３のノードはセルが送信するシステム情報を受信しないこと、又は第３のノードはセルが送信するページングメッセージを受信しないこと、又は第３のノードはセルが送信する同期情報を受信しないこと、又は第３のノードは第１のノードが送信する情報を受信するが、以下に挙げるオペレーション、すなわち、セルのカバレッジ内に留まること、セルが送信するシステム情報を受信すること、セルが送信するページングメッセージを受信すること、セルが送信する同期信号を受信すること、局が送信するシステム情報を受信すること、局が送信するページングメッセージを受信すること、局が送信する同期信号を受信すること、隣接セル測定を行うこと、同一周波数内セル測定を行うこと、及び異周波数間セル測定を行うことのうちの少なくとも１つを行わないこと、又は第３のノードはＤ２Ｄ通信ノードが送信する情報を受信するが、以下に挙げるオペレーション、すなわち、セルのカバレッジ内に留まること、セルが送信するシステム情報を受信すること、セルが送信するページングメッセージを受信すること、セルが送信する同期信号を受信すること、局が送信するシステム情報を受信すること、局が送信するページングメッセージを受信すること、局が送信する同期信号を受信すること、隣接セル測定を行うこと、同一周波数内セル測定を行うこと、及び異周波数間セル測定を行うことのうちの少なくとも１つを行わないことである。また、高コンフィギュレーションモードは以下に挙げることのうちの少なくとも１つを含み、それらは、第３のノードは、セルのカバレッジ内に留まること、又はセルが送信するシステム情報を受信すること、又はセルが送信する同期信号を受信すること、又はセルが送信するページングメッセージを受信すること、又は局が送信するシステム情報を受信すること、又は局が送信する同期信号を受信すること、又は局が送信するページングメッセージを受信すること、又はセル選択を行うこと、又はセル再選択を行うこと、又は隣接セル測定を行うこと、又は同一周波数内セル測定を行うこと、又は異周波数間セル測定を行うことである。低コンフィギュレーションモードにある第３のノードは、第２のノードが送信する情報を受信しないので、第３のノードは、第２のノードが送信する情報を積極的にリッスンしないが、第３のノードが高コンフィギュレーションモードに設定された後に、第２のノードが送信する情報を直接受信するので、第３のノードが高コンフィギュレーションモードに設定される前に、第２のノードが送信する情報をリッスンする必要もない。
【００４３】
第２の態様及び第２の態様の第１の実行可能な実施例から第２の態様の第８の実行可能な実施例までのうちのいずれか１つに関連して、第２の態様の第９の実行可能な実施例では、第１のメッセージは、以下に挙げるもの、すなわち、第１のノードの識別子、第３のノードの識別子、システム情報更新指示、システム情報、ページング指示、第３のノードのサービスタイプ、及び第３のノードのサービス優先度のうちの少なくとも１つを含む。第２のノードが送信する第１のメッセージを受信した後に、第１のノードは、第３のノードのサービスタイプ又は第３のノードのサービス優先度などの情報に従って、中継サービスを第３のノードに提供するか又は第２のノードにアクセスするよう第３のノードに指示するかを選択してよい。例えば、サービス優先度の低いサービスの場合、第１のノードは、中継サービスを第３のノードに直接提供してよい。これにより、第３のノードが第２のノードに通信可能に接続された後に発生する高い電力消費が回避される。
【００４４】
第３の態様によれば、通信方法が提供され、第２のノードに適用される。本方法は、第１のメッセージを第１のノード又は第３のノードに送信する段階であって、第１のメッセージは、第３のノードを呼び出すために用いられるか、又はネットワークにアクセスするよう第３のノードに指示するために用いられるか、又は第２のノードと通信を行うよう第３のノードに指示するために用いられるか、又は中継サービスを第３のノードに提供するよう第１のノードに指示するために用いられるか、又は第３のノードを高コンフィギュレーションモードに設定するよう指示するために用いられるか、又は第３のノードを低コンフィギュレーションモードに設定するよう指示するために用いられるか、又はシステム情報を更新するよう指示するために用いられる、段階と、第１のメッセージに基づいて通信を行う段階であって、第１のノードは中継サービスを第３のノードに提供し、第２のノードは第１のノードのサービング局であるか、又は第２のノードは第３のノードのサービング局であるか、又は第２のノードは第１のノード及び第３のノードのサービング局である、段階とを含む。
【００４５】
第３のノードを呼び出すために第１のメッセージが用いられる場合、第３のノードは、直接又は第２のノードが中継する第１のメッセージを受信することにより、遅滞なく第２のノードにアクセスすることができるので、第２のノードが送信するページングメッセージを継続してリッスンする必要はない。これにより、第３のノードがリッスンするために電力消費を発生させないようにする。
【００４６】
ネットワークにアクセスするよう第３のノードに指示するために第１のメッセージが用いられる場合、第３のノードは、直接又は第２のノードが中継する第１のメッセージを直接受信することができるので、第２のノードが送信するネットワークアクセスメッセージを継続してリッスンする必要はない。これにより、第３のノードが第２のノードをリッスンするプロセスを効果的に回避し、第３のノードがリッスンするために電力消費を発生させないようにする。
【００４７】
第２のノードと通信を行うよう第３のノードに指示するために第１のメッセージが用いられる場合、第３のノードは、第２のノードが送信する情報をリッスンすることも、又はリッスンするための電力消費を発生させることもなく、第２のノードが送信する情報を直接受信するか、又は第２のノードが送信し且つ第１のノードが中継する情報を受信することができる。
【００４８】
中継サービスを第３のノードに提供するよう第１のノードに指示するために第１のメッセージが用いられる場合、第３のノードは、第２のノードが送信する情報をリッスンすることも、又はリッスンするための電力消費を発生させることもなく、第２のノードが送信し且つ第１のノードが中継する情報を受信する。
【００４９】
第１のメッセージが、第３のノードを高コンフィギュレーションモードに設定するよう指示するために用いられる場合、第３のノードは、第２のノードが送信する情報を直接受信するので、第２のノードが送信する情報を常にリッスンする必要はない。したがって、長期間リッスンすることで生じる、リッスンするための電力消費も回避される。
【００５０】
第１のメッセージが、第３のノードを低コンフィギュレーションモードに設定するよう指示するために用いられる場合、第３のノードは、第２のノードが送信する情報を受信しない。したがって、第３のノードは、第２のノードが送信する情報を積極的にリッスンしないので、リッスンするための電力消費を発生させることはない。
【００５１】
第１のメッセージが、システム情報を更新するよう指示するために用いられる場合、第３のノードは、第２のノードが送信する第１のメッセージを直接受信するか、又は第２のノードが送信し且つ第１のノードが中継する第１のメッセージを受信することにより、システムを更新することができるので、第２のノードが送信するシステム情報を常にリッスンする必要はない。これにより、第３のノードが第２のノードをリッスンするプロセスを効果的に回避し、第３のノードがリッスンするために電力消費を発生させないようにする。
【００５２】
第３のノードがリッスンするために発生させる電力消費が、ある程度削減され得るか、又は様々なタイプのコンテンツを示す前述の第１のメッセージを用いることで回避され得るので、これにより、第３のノードがＤ２Ｄ通信プロセスにおいてＤ２Ｄ通信を行う場合、第２のノードが送信するメッセージを第３のノードが周期的にリッスンする必要があるときに発生する比較的高い電力消費の問題が解決される。
【００５３】
第３の態様の第１の実行可能な実施例では、第１のメッセージを第１のノードに送信する段階は、第３のノードのページング期間に第１のメッセージを送信するか、又は第１のノードのページング期間に第１のメッセージを送信する段階を含む。第２のノードは、第３のノード又は第１のノードのページング期間にのみ、第１のメッセージを第１のノードに送信するので、第１のノードは、第１のノード又は第３のノードのページング期間に第２のメッセージを第３のノードに送信することができる。これにより、第３のノードを呼び出す回数が削減され、ページングプロセスにおいて第３のノードが発生させる電力消費が削減される。
【００５４】
第３の態様の第２の実行可能な実施例では、本方法はさらに、第１０のメッセージを受信する段階であって、第１０のメッセージは、第３のノードと第１のノードとの間のペアリング情報を示すために用いられる、段階、及び／又は、第８のメッセージをＭＭＥに送信する段階であって、第８のメッセージは、第３のノードに関する情報及び第１のノードに関する情報をＭＭＥに通知するために用いられ、第１のノードは第３のノードの中継ノードである、段階、及び／又は、ＭＭＥが送信する第９のメッセージを受信する段階であって、第９のメッセージは、第１のノードを呼び出すよう第２のノードに指示するために用いられ、第９のメッセージは第３のノード及び第１のノードに関する情報を含む、段階を含む。第２のノードが第３のノードと第１のノードとの間のペアリング情報を取得した後に、ＭＭＥは通知されてよく、ＭＭＥは、第１のノードを呼び出すよう第２のノードに指示するかどうかを判定する。
【００５５】
第３の態様の第３の実行可能な実施例では、本方法はさらに、第４のメッセージを第１のノードに送信する段階であって、第４のメッセージは、第３のノードがネットワークへのアクセスに成功したことを示すか、若しくは第３のノードの呼び出しに成功したことを示すために用いられる、段階、又は第１のノードと第３のノードとの間のＤ２Ｄ接続を解放する段階、又は第１のノードと第３のノードとの間のＤ２Ｄ通信を中断する段階、又は第１のノードと第３のノードとの間のＤ２Ｄ通信を確保する段階、又は第１のノードと第３のノードとの間のＤ２Ｄ接続を維持する段階、又は第１のノードが送信する第５のメッセージを受信する段階であって、第５のメッセージは、第１のノードと第３のノードとの間のＤ２Ｄ接続に関連したコンフィギュレーションを解放するよう指示するか、若しくは第１のノードと第３のノードとの間のＤ２Ｄ接続を解放するよう指示するために用いられる、段階を含む。第２のノードが送信する第４のメッセージを第１のノードが受信した場合、それは、第３のノードが第２のノードへの通信接続の確立に成功したことを示す。この場合、第１のノードは、第１のノードと第３のノードとの間のＤ２Ｄ接続を解放するか又は終了するかして、Ｄ２Ｄ通信における第３のノードの電力消費を削減してよい。第２のノードは、Ｄ２Ｄ接続を確保しても又は維持してもよいので、第３のノードは、第２のノードが送信する情報を引き続き受信する。第１のノード又は第３のノードが、第１のノードと第３のノードとの間のＤ２Ｄ接続を解放する権限を持っていないという事態を回避するために、第１のノードが送信する第５のメッセージを第２のノードが受信した場合、第２のノードは、第１のノードと第３のノードとの間のＤ２Ｄ接続又はＤ２Ｄ接続に関連したコンフィギュレーションを解放してよい。これにより、Ｄ２Ｄ通信における第３のノードの電力消費が削減される。
【００５６】
第３の態様及び第３の態様の第１の実行可能な実施例から第３の態様の第３の実行可能な実施例までのうちのいずれか１つに関連して、第３の態様の第４の実行可能な実施例では、第２のノードは第１のノードのサービング局であるか、又は第２のノードは第３のノードのサービング局であるか、又は第２のノードは第１のノード及び第３のノードのサービング局であり、第１のノードが第１のメッセージの受信する前に、第１のノードは中継サービスを第３のノードに提供する。
【００５７】
第３の態様及び第３の態様の第１の実行可能な実施例から第３の態様の第４の実行可能な実施例までのうちのいずれか１つに関連して、第３の態様の第５の実行可能な実施例では、第１のメッセージは、以下に挙げるもの、すなわち、第１のノードの識別子、第３のノードの識別子、システム情報更新指示、システム情報、ページング指示、第３のノードのサービスタイプ、及び第３のノードのサービス優先度のうちの少なくとも１つを含む。第２のノードが送信する第１のメッセージを受信した後に、第１のノードは、第３のノードのサービスタイプ又は第３のノードのサービス優先度などの情報に従って、中継サービスを第３のノードに提供するか又は第２のノードにアクセスするよう第３のノードに指示するかを選択してよい。例えば、サービス優先度の低いサービスの場合、第１のノードは、中継サービスを第３のノードに直接提供してよい。これにより、第３のノードが第２のノードに通信可能に接続された後に発生する高い電力消費が回避される。
【００５８】
第４の態様によれば、通信装置が提供され、第１のノードに適用される。この通信装置は少なくとも１つのユニットを含み、少なくとも１つのユニットはこれに対応して、第１の態様又は第１の態様の実行可能な実施例のうちのいずれか１つによって提供される通信方法を実現する。
【００５９】
第５の態様によれば、通信装置が提供され、第３のノードに適用される。この通信装置は少なくとも１つのユニットを含み、少なくとも１つのユニットはこれに対応して、第２の態様又は第２の態様の実行可能な実施例のうちのいずれか１つによって提供される通信方法を実現する。
【００６０】
第６の態様によれば、通信装置が提供され、第２のノードに適用される。この通信装置は少なくとも１つのユニットを含み、少なくとも１つのユニットはこれに対応して、第３の態様又は第３の態様の実行可能な実施例のうちのいずれか１つによって提供される通信方法を実現する。
【００６１】
第７の態様によれば、第１のノードが提供される。第１のノードは、プロセッサと、メモリと、送受信機とを含む。メモリは１つ又は複数の命令を格納するように構成され、命令はプロセッサが実行するように構成され、これに対応して命令は、第１の態様又は第１の態様の実行可能な実施例のうちのいずれか１つによって提供される通信方法を実現する。
【００６２】
第８の態様によれば、第３のノードが提供される。第３のノードは、プロセッサと、メモリと、送受信機とを含む。メモリは１つ又は複数の命令を格納するように構成され、命令はプロセッサが実行するように構成され、これに対応して命令は、第２の態様又は第２の態様の実行可能な実施例のうちのいずれか１つによって提供される通信方法を実現する。
【００６３】
第９の態様によれば、第２のノードが提供される。第２のノードは、プロセッサと、メモリと、送受信機とを含む。メモリは１つ又は複数の命令を格納するように構成され、命令はプロセッサが実行するように構成され、これに対応して命令は、第３の態様又は第３の態様の実行可能な実施例のうちのいずれか１つによって提供される通信方法を実現する。
【図面の簡単な説明】
【００６４】
本発明の実施形態における技術的解決手段をより明確に説明するために、以下では、これらの実施形態を説明するのに必要な添付図面を簡潔に説明する。以下に説明する添付図面は、単に本発明の一部の実施形態を示しているだけであり、当業者であれば、創造的努力をすることなく、これらの添付図面から他の図面を導き出し得ることは明らかである。
【００６５】
【図１】本発明の例示的な一実施形態による通信システムの概略構造図である。
【００６６】
【図２Ａ】本発明の例示的な一実施形態による通信方法のフローチャートである。
【図２Ｂ】本発明の例示的な一実施形態による通信方法のフローチャートである。
【図２Ｃ】本発明の例示的な一実施形態による通信方法のフローチャートである。
【００６７】
【図３】本発明の別の例示的な実施形態による通信方法のフローチャートである。
【００６８】
【図４Ａ】本発明のさらに別の例示的な実施形態による通信方法のフローチャートである。
【図４Ｂ】本発明のさらに別の例示的な実施形態による通信方法のフローチャートである。
【００６９】
【図５】本発明のさらに別の例示的な実施形態による通信方法のフローチャートである。
【００７０】
【図６】本発明のさらに別の例示的な実施形態による通信方法のフローチャートである。
【００７１】
【図７】本発明のさらに別の例示的な実施形態による通信方法のフローチャートである。
【００７２】
【図８】本発明のさらに別の例示的な実施形態による通信方法のフローチャートである。
【００７３】
【図９】本発明の例示的な一実施形態に従って、第３のノードがシステム情報を更新する方法のフローチャートである。
【００７４】
【図１０】本発明の一実施形態によるデバイスのブロック図である。
【００７５】
【図１１】本発明の一実施形態による通信装置のブロック図である。
【００７６】
【図１２】本発明の別の実施形態による通信装置のブロック図である。
【００７７】
【図１３】本発明のさらに別の実施形態による通信装置のブロック図である。
【発明を実施するための形態】
【００７８】
本発明の実施形態による技術的解決手段が、添付図面を参照して、以下に明確且つ十分に説明される。説明される実施形態は、本発明の実施形態の全てではなく、一部だけであることは明らかである。本発明の実施形態に基づいて、当業者が創造的努力をすることなく取得する他の全ての実施形態は、本発明の保護範囲に含まれることになる。
【００７９】
図１を参照すると、図１は、本発明の例示的な一実施形態による通信システムの概略構造図である。この通信システムは、第１のノード１２０と、第２のノード１４０と、第３のノード１６０とを含む。
【００８０】
第１のノード１２０は、第３のノード１６０の中継ノードである。
【００８１】
第２のノード１４０は、本システムにおいて第１のノード１２０とやり取りするネットワークエレメントである。
【００８２】
任意選択的に、第２のノード１４０は、例えば基地局、例えばロングタームエボリューション（英文：Ｌｏｎｇ  Ｔｅｒｍ  Ｅｖｏｌｕｔｉｏｎ、略してＬＴＥ）における進化型ＮｏｄｅＢ（英文：ｅｖｏｌｖｅｄ  Ｎｏｄｅ  Ｂ，  略してｅＮＢ又はｅ−ＮｏｄｅＢ）であってよく、又は第２のノード１４０は広帯域符号分割多元接続（英文：Ｗｉｄｅｂａｎｄ  Ｃｏｄｅ  Ｄｉｖｉｓｉｏｎ  Ｍｕｌｔｉｐｌｅ  Ａｃｃｅｓｓ、略してＷＣＤＭＡ（登録商標））におけるＮｏｄｅＢ（英文：ＮｏｄｅＢ）であり、又は第２のノード１４０は移動体通信用グローバルシステム（英文：Ｇｌｏｂａｌ  Ｓｙｓｔｅｍ  ｆｏｒ  Ｍｏｂｉｌｅ  Ｃｏｍｍｕｎｉｃａｔｉｏｎｓ、略してＧＳＭ（登録商標））若しくは符号分割多元接続（英文：Ｃｏｄｅ  Ｄｉｖｉｓｉｏｎ  Ｍｕｌｔｉｐｌｅ  Ａｃｃｅｓｓ、略してＣＤＭＡ）におけるベーストランシーバ基地局（英文：Ｂａｓｅ  Ｔｒａｎｓｃｅｉｖｅｒ  Ｓｔａｔｉｏｎ、略してＢＴＳ）である。
【００８３】
任意選択的に、第２のノード１４０は第１のノード１２０のサービング局であるか、又は第２のノード１４０は第３のノード１６０にサービング局であるか、又は第２のノード１４０は第１のノード１２０若しくは第３のノード１６０のサービング局である。
【００８４】
第３のノード１６０は、第２のノード１４０のカバレッジ１８０内に配置されてよく、又は第２のノード１４０のカバレッジ１８０の外に配置されてもよい。
【００８５】
第３のノード１６０が第２のノード１４０のカバレッジ内に配置されている場合、第１のノード１２０は中継サービスを第３のノード１６０に提供してよく、又は第３のノード１６０は第２のノード１４０と直接通信を行ってもよい。
【００８６】
第３のノード１６０が第２のノード１４０のカバレッジの外に配置されている場合、第１のノード１２０は中継を第３のノード１６０に提供する。
【００８７】
第１のノード１２０が第３のノードに中継サービスを提供するための前提条件は、第１のノード１２０が第２のノード１２０のカバレッジ内に配置されていなければならないということであることに留意されたい。
【００８８】
第１のノード１２０は、Ｄ２Ｄリンクを用いて第３のノード１６０と通信を行う。
【００８９】
任意選択的に、第１のノード１２０及び第３のノード１６０は、無線ネットワーク通信機能を有する電子デバイス、例えば、端末デバイス、ユーザ機器、携帯電話、タブレットコンピュータ、マルチメディアプレーヤ、電子書籍リーダ、ラップトップ型ポータブルコンピュータ、又は車載デバイスである。
【００９０】
任意選択的に、この通信システムは、複数の第２のノード１４０、複数の第１のノード１２０、及び複数の第３のノード１６０を含んでよく、１つの第２のノード１４０が複数の第１のノード１２０及び複数の第３のノード１６０と個別にデータ通信を行ってもよい。図１は、説明の一例として、１つの第２のノード１４０、２つの第１のノード１２０、及び２つの第３のノード１６０のみを示している。このことは、本出願の各実施形態において再度説明しない。
【００９１】
実際の応用において、第２のノードは、第３のノードを呼び出すための第１のメッセージを第１のノードに送信して、第３のノードを呼び出してもよい。図２Ａ、図２Ｂ、及び図２Ｃを参照すると、図２Ａ、図２Ｂ、及び図２Ｃは、本発明の例示的な一実施形態による通信方法のフローチャートである。この実施形態を説明するために、本方法は、図１に示す通信システムに適用される。本方法は以下に挙げる段階を含む。
【００９２】
段階２０１：第２のノードは第１のメッセージを第１のノードに送信する。第１のメッセージは、第３のノードを呼び出すのに第１のメッセージが用いられることを示すために用いられる。
【００９３】
任意選択的に、第１のメッセージは以下に挙げるもの、すなわち、第１のノードの識別子、第３のノードの識別子、システム情報更新指示、システム情報、ページング指示、第３のノードのサービスタイプ、及び第３のノードのサービス優先度のうちの少なくとも１つを含む。第１のメッセージは、第３のノードに関連したフィールド、例えば、マスターシステムブロック（英文：Ｍａｓｔｅｒ  Ｉｎｆｏｒｍａｔｉｏｎ  Ｂｌｏｃｋ、略してＭＩＢ）、及びシステム情報ブロック（英文：Ｓｉｍｐｌｅ  Ｂｉｏｓｐｈｅｒｅ  Ｍｏｄｅ、略してＳＩＢ）を搬送する。
【００９４】
任意選択的に、第１のメッセージを第１のノードに送信する場合、第２のノードは、第３のノードのページング期間に第１のメッセージを送信しても、又は第１のノードのページング期間に第１のメッセージを送信してもよい。
【００９５】
段階２０２：第１のノードは第２のノードが送信する第１のメッセージを受信する。
【００９６】
任意選択的に、第１のノードが第１のメッセージを受信する前に、第１のノードは中継サービスを第３のノードに提供する。
【００９７】
第１のノードが受信する第１のメッセージは、第３のノードを呼び出すために用いられるので、第１のノードは第３のノードに通知する必要がある。任意選択的に、この場合、第１のノードは第３のノードへのＤ２Ｄ接続を確立している。
【００９８】
段階２０３：任意選択的に、第１のノードは第３のノードへのＤ２Ｄ接続を確立する。
【００９９】
第１のメッセージを受信した後に、第１のノードは、第１のノードが第３のノードへのＤ２Ｄ接続を確立しているかどうかを検出し、第１のノードが第３のノードへのＤ２Ｄ接続を確立している場合、段階２０３を行わなくてよい。しかしながら、第１のノードが第３のノードへのＤ２Ｄ接続を確立していない場合、第１のノードはまず、第３のノードへのＤ２Ｄ接続を確立する必要がある。
【０１００】
任意選択的に、第１のノードが第３のノードへのＤ２Ｄ接続を確立しているということは、第１のノードがＤ２Ｄ通信に関連したコンフィギュレーションを格納していること、及び／又は第１のノードがＤ２Ｄ通信に関連したコンテキスト情報を格納していることを示す。
【０１０１】
任意選択的に、第１のノードが第３のノードへのＤ２Ｄ接続を確立しているということは、第２のノードがＤ２Ｄ通信に関連したコンフィギュレーションを格納していること、及び／又は第２のノードがＤ２Ｄ通信に関連したコンテキスト情報を格納していることを示す。
【０１０２】
任意選択的に、第１のノードが第３のノードへのＤ２Ｄ接続を確立しているということは、第１のノード及び第２のノードが両方とも、第１のノード及び第３のノードを用いて行われるＤ２Ｄ通信に関連したコンフィギュレーションを格納していること、並びに第１のノード及び第２のノードが両方とも、第１のノード及び第３のノードを用いて行われるＤ２Ｄ通信に関連したコンテキスト情報を格納していることを示す。
【０１０３】
段階２０３は、段階２０１の前に実行されても、又は段階２０１の後且つ段階２０２の前に実行されてもよいことは明らかである。この実施形態では、段階２０３と段階２０１及び段階２０２との間の順序が限定されることはない。
【０１０４】
第３のノードを呼び出すために第１のメッセージが用いられ、第１のノードが第１のメッセージを用いて第３のノードと通信する場合、少なくとも以下に挙げる４つの事例が含まれ得る。
【０１０５】
［第１の事例］
【０１０６】
段階２０４ａ：第１のノードは第２のメッセージを第３のノードに送信する。第２のメッセージは、ネットワークにアクセスするよう第３のノードに指示するために用いられる。
【０１０７】
任意選択的に、第２のメッセージは、ネットワークにアクセスするよう第３のノードを呼び出すために用いられるか、又はネットワークにアクセスするよう第３のノードに指示するために用いられる。
【０１０８】
具体的には、第１のメッセージを受信した後に、第１のノードは第２のメッセージを第３のノードに送信する。
【０１０９】
段階２０４ａの後に、すなわち、第１のノードが第２のメッセージを第３のノードに送信した後に、第１のノードは、第１のノードと第３のノードとの間のＤ２Ｄ接続を解放しても、又は第１のノードと第３のノードとの間のＤ２Ｄ通信を中断しても、又は第１のノードと第３のノードとの間のＤ２Ｄ通信を確保しても、又は第１のノードと第３のノードとの間のＤ２Ｄ接続を維持しても、又は第１のノードと第３のノードとの間のＤ２Ｄ接続を一時中断してもよい。
【０１１０】
段階２０５ａ：第３のノードは第１のノードが送信する第２のメッセージを受信する。
【０１１１】
段階２０６ａ：第３のノードは、ネットワークにアクセスするか、又は第１のノードにアクセスして第２のノードと通信を行うか、又は第３のノードの通信モードを高コンフィギュレーションモードに設定する。
【０１１２】
第２のメッセージを受信した後に、第３のノードは、ネットワークにアクセスするか、又は第１のノードにアクセスして第２のノードと通信を行うか、又は第３のノードの通信モードを高コンフィギュレーションモードに設定する。
【０１１３】
高コンフィギュレーションモードには、以下に挙げることのうちの少なくとも１つが含まれる。すなわち、第３のノードが、セルのカバレッジ内に留まること、又はセルが送信するシステム情報を受信すること、又はセルが送信する同期信号を受信すること、又はセルが送信するページングメッセージを受信すること、又は局が送信するシステム情報を受信すること、又は局が送信する同期信号を受信すること、又は局が送信するページングメッセージを受信すること、又はセル選択を行うこと、又はセル再選択を行うこと、又は隣接セル測定を行うこと、又は同一周波数内セル測定を行うこと、又は異周波数間セル測定を行うことである。
【０１１４】
言い換えると、高コンフィギュレーションモードにある第３のノードは通常、局と直接通信する。局は基地局であってもよく、又は第２のノードなどであってもよい。あるいは、高コンフィギュレーションモードにある第３のノードは通常、セルと直接通信する。セルは局のセルであってもよく、又は、例えば、第２のノードのセルであってもよい。
【０１１５】
任意選択的に、第１のノードが送信する第２のメッセージを第３のノードが受信する前に、第３のノードは低コンフィギュレーションモードであってよい。
【０１１６】
低コンフィギュレーションモードは以下に挙げることのうちの少なくとも１つであり、それらは、第３のノードは第１のノードのカバレッジ内に留まる（ｓｔａｙ）こと、又は第３のノードは第１のノードが送信する情報のみを受信すること、又は第３のノードは第１のノードが送信するシグナリング及び／若しくはデータのみを受信すること、又は第３のノードはＤ２Ｄ通信ノードが送信するシグナリング及び／若しくはデータのみを受信すること、又は第３のノードは第１のノードが送信するシグナリング及び／若しくはデータを受信すること、又は第３のノードはＤ２Ｄ通信ノードが送信するシグナリング及び／若しくはデータを受信すること、又は第３のノードは第１のノードが送信するページングメッセージを受信すること、又は第３のノードは第１のノードが送信するシステム情報を受信すること、又は第３のノードは第１のノードが送信する同期信号を受信すること、又は第３のノードはセルが送信するシステム情報を受信しないこと、又は第３のノードはセルが送信するページングメッセージを受信しないこと、又は第３のノードはセルが送信する同期情報を受信しないこと、又は第３のノードは第１のノードが送信する情報を受信するが、以下に挙げるオペレーション、すなわち、セルのカバレッジ内に留まること、セルが送信するシステム情報を受信すること、セルが送信するページングメッセージを受信すること、セルが送信する同期信号を受信すること、局が送信するシステム情報を受信すること、局が送信するページングメッセージを受信すること、局が送信する同期信号を受信すること、隣接セル測定を行うこと、同一周波数内セル測定を行うこと、及び異周波数間セル測定を行うことのうちの少なくとも１つを行わないこと、又は第３のノードはＤ２Ｄ通信ノードが送信する情報を受信するが、以下に挙げるオペレーション、すなわち、セルのカバレッジ内に留まること、セルが送信するシステム情報を受信すること、セルが送信するページングメッセージを受信すること、セルが送信する同期信号を受信すること、局が送信するシステム情報を受信すること、局が送信するページングメッセージを受信すること、局が送信する同期信号を受信すること、隣接セル測定を行うこと、同一周波数内セル測定を行うこと、及び異周波数間セル測定を行うことのうちの少なくとも１つを行わないことである。
【０１１７】
言い換えると、低コンフィギュレーションモードにある第３のノードは通常、第２のノードと直接通信しないが、第１のノードと通信する。
【０１１８】
第３のノードが第１のノードのカバレッジ内に留まる場合、第３のノードは、以下に挙げるオペレーションのうちの少なくとも１つ又は複数を行い、それらのオペレーションは、第３のノードは第１のノードが送信する情報のみを受信すること、又は第３のノードは第１のノードが送信するシグナリング及び／若しくはデータのみを受信すること、又は第３のノードはＤ２Ｄ通信ノードが送信するシグナリング及び／若しくはデータのみを受信すること、又は第３のノードは第１のノードが送信するシグナリング及び／若しくはデータを受信すること、又は第３のノードはＤ２Ｄ通信ノードが送信するシグナリング及び／若しくはデータを受信すること、又は第３のノードは第１のノードが送信するページングメッセージを受信すること、又は第３のノードは第１のノードが送信するシステム情報を受信すること、又は第３のノードは第１のノードが送信する同期信号を受信すること、又は第３のノードはセルが送信するシステム情報を受信しないこと、又は第３のノードはセルが送信するページングメッセージを受信しないこと、又は第３のノードはセルが送信する同期情報を受信しないこと、又は第３のノードは第１のノードが送信する情報を受信するが、以下に挙げるオペレーション、すなわち、セルのカバレッジ内に留まること、セルが送信するシステム情報を受信すること、セルが送信するページングメッセージを受信すること、セルが送信する同期信号を受信すること、局が送信するシステム情報を受信すること、局が送信するページングメッセージを受信すること、局が送信する同期信号を受信すること、隣接セル測定を行うこと、同一周波数内セル測定を行うこと、及び異周波数間セル測定を行うことのうちの少なくとも１つを行わないこと、又は第３のノードはＤ２Ｄ通信ノードが送信する情報を受信するが、以下に挙げるオペレーション、すなわち、セルのカバレッジ内に留まること、セルが送信するシステム情報を受信すること、セルが送信するページングメッセージを受信すること、セルが送信する同期信号を受信すること、局が送信するシステム情報を受信すること、局が送信するページングメッセージを受信すること、局が送信する同期信号を受信すること、隣接セル測定を行うこと、同一周波数内セル測定を行うこと、及び異周波数間セル測定を行うことのうちの少なくとも１つを行わないことである。
【０１１９】
この実施形態において言及される「第３のノードは第１のノードが送信する情報のみを受信する」にある「情報」とは、シグナリング及び／又はデータである。
【０１２０】
例えば「Ｄ２Ｄ通信ノードが送信するシグナリングを受信する」、又は「Ｄ２Ｄノード通信ノードが送信するシグナリングを受信する」といった、この実施形態における低コンフィギュレーションモードにおいて言及されるシグナリングは、ページングメッセージ、若しくはシステム情報、若しくは同期信号、若しくはリコンフィギュレーションメッセージであるか、又はこの実施形態において言及される第２のメッセージ若しくは第７のメッセージであるかであることに留意されたい。この実施形態における「シグナリング」は、例示したメッセージに限定されることはない。
【０１２１】
この実施形態において言及される「局が送信するシステム情報を受信する」、「局が送信するページングメッセージを受信する」、又は「局が送信する同期を受信する」にある局とは、基地局、例えば、ＬＴＥにおけるｅＮＢ、ＷＣＤＭＡ（登録商標）におけるＮｏｄｅＢ、又はＧＳＭ（登録商標）若しくはＣＤＭＡにおけるＢＴＳ、又はマイクロセルであることに留意されたい。局の基地局タイプは、この実施形態において限定されることはない。
【０１２２】
この実施形態において言及される「セルが送信するシステム情報を受信する」は、局が送信するシステム情報を受信することに相当し、「セルが送信するページングメッセージを受信する」は、局が送信するページングメッセージを受信することに相当し、「セルが送信する同期信号を受信する」は、局が送信する同期信号を受信することに相当する。
【０１２３】
この実施形態において言及される「Ｄ２Ｄ通信ノード」は、例えば、第１のノード、又は第１のノードと同期した別のＤ２Ｄデバイス、又は第１のノードと同じ同期源を有するＤ２Ｄデバイスを含むＤ２Ｄ通信デバイスであることに留意されたい。
【０１２４】
第３のノードが第２のメッセージを受信しない場合、第３のノード自体は通信モードを高コンフィギュレーションモードに設定してよいことに留意されたい。
【０１２５】
任意選択的に、段階２０６ａの後に、第３のノードは、第１のノードと第３のノードとの間のＤ２Ｄ接続を解放しても、又は第１のノードと第３のノードとの間のＤ２Ｄ通信を中断しても、又は第１のノードと第３のノードとの間のＤ２Ｄ通信を確保しても、又は第１のノードと第３のノードとの間のＤ２Ｄ接続を維持しても、又は第１のノードと第３のノードとの間のＤ２Ｄ接続を一時中断してもよい。
【０１２６】
［第２の事例］
【０１２７】
段階２０４ｂ：第１のノードは第２のメッセージを第３のノードに送信する。第２のメッセージは、第２のノードへの通信接続を確立するよう第３のノードに指示するために用いられる。
【０１２８】
段階２０４ｂの後に、すなわち、第１のノードが第２のメッセージを第３のノードに送信した後に、第１のノードは任意選択的に、第１のノードと第３のノードとの間のＤ２Ｄ接続を解放しても、又は第１のノードと第３のノードとの間のＤ２Ｄ通信を中断しても、又は第１のノードと第３のノードとの間のＤ２Ｄ通信を確保しても、又は第１のノードと第３のノードとの間のＤ２Ｄ接続を維持しても、又は第１のノードと第３のノードとの間のＤ２Ｄ接続を一時中断してもよい。
【０１２９】
段階２０５ｂ：第３のノードは第１のノードが送信する第２のメッセージを受信する。
【０１３０】
段階２０６ｂ：第３のノードは、第２のノードへの通信接続を確立するか、又は第３のノードの通信モードを高コンフィギュレーションモードに設定する。
【０１３１】
第３のノードが第２のメッセージを受信しない場合、第３のノード自体は通信モードを高コンフィギュレーションモードに設定してよいことに留意されたい。
【０１３２】
［第３の事例］
【０１３３】
段階２０４ｃ：第１のノードは第２のメッセージを第３のノードに送信する。第２のメッセージは、第１のノードと通信を行うよう第３のノードに指示するために用いられるか、又は第３のノードを呼び出すために用いられる。
【０１３４】
この場合、第２のメッセージを第３のノードに送信した後に、第１のノードは通常、第１のノードと第３のノードとの間のＤ２Ｄ接続を引き続き維持する。
【０１３５】
段階２０５ｃ：第３のノードは第１のノードが送信する第２のメッセージを受信する。
【０１３６】
段階２０６ｃ：第３のノードは、第１のノードとＤ２Ｄ通信を行うか、又は第３のノードが第１のノードへのデバイス間Ｄ２Ｄ接続を確立しているかどうかを検出する。第３のノードが第１のノードへのＤ２Ｄ接続を確立していない場合、第３のノードは第１のノードへのＤ２Ｄ接続を確立する、又は第３のノードが第１のノードへのＤ２Ｄ接続を確立している場合、第３のノードは第１のノードとＤ２Ｄ通信を行う。
【０１３７】
［第４の事例］
【０１３８】
段階２０４ｄ：第１のノードは第２のメッセージを第３のノードに送信する。第２のメッセージは、第３のノードを高コンフィギュレーションモードに設定するよう指示するために用いられる。
【０１３９】
段階２０４ｄの後に、すなわち、第１のノードが第２のメッセージを第３のノードに送信した後に、第１のノードは、第１のノードと第３のノードとの間のＤ２Ｄ接続を解放しても、又は第１のノードと第３のノードとの間のＤ２Ｄ通信を中断しても、又は第１のノードと第３のノードとの間のＤ２Ｄ通信を確保しても、又は第１のノードと第３のノードとの間のＤ２Ｄ接続を維持しても、又は第１のノードと第３のノードとの間のＤ２Ｄ接続を一時中断してもよい。
【０１４０】
段階２０５ｄ：第３のノードは第１のノードが送信する第２のメッセージを受信する。
【０１４１】
段階２０６ｄ：第３のノードは、第３のノードの通信モードを高コンフィギュレーションモードに設定する。
【０１４２】
第３のノードが第３のノードの通信モードを高コンフィギュレーションモードに設定した後に、第３のノードは、第３のノードと第１のノードとの間のＤ２Ｄ接続を解放しても、又は第３のノードと第１のノードとの間のＤ２Ｄ通信を中断してもよい。
【０１４３】
第３のノードが第２のメッセージを受信しない場合、第３のノード自体は通信モードを高コンフィギュレーションモードに設定してよいことに留意されたい。
【０１４４】
要約すれば、本発明のこの実施形態によって提供される通信方法では、第１のノードは第２のメッセージを第３のノードに送信し、第２のメッセージは、第３のノードを呼び出してネットワークにアクセスするよう指示するために用いられる。したがって、これにより、第３のノードが第２のノードへの接続を維持してＤ２Ｄ通信プロセスにおいてＤ２Ｄ通信を行う必要がある場合に発生する、比較的高い電力消費の問題が解決される。特に、第１のノードが第２のメッセージを第３のノードに送信する前に、第１のノードは任意選択的に、中継サービスを第３のノードに提供して第３のノードと第２のノードとの間の通信を実現するか、又はネットワークにアクセスして第２のノードと情報通信若しくはサービス通信を直接行うよう第３のノードに指示するかを、第２のノードが送信する第１のメッセージに基づいて判定する。これにより、Ｄ２Ｄ通信の間に基地局が送信する情報を第３のノードが受信する場合、電力を効果的に節約するという目的及び効果が実現される。
【０１４５】
実際の応用において、第２のノードは、ネットワークにアクセスするよう第３のノードに指示するか、又は第２のノードと通信を行うよう第３のノードに指示するために用いられる第１のメッセージを第１のノードに送信して、ネットワークにアクセスするよう第３のノードに指示してよい。図３を参照すると、図３は、本発明の別の例示的な実施形態による通信方法のフローチャートである。この実施形態を説明するために、本方法は、図１に示す通信システムに適用される。本方法は以下に挙げる段階を含む。
【０１４６】
段階３０１：任意選択的に、第２のノードは第１のメッセージを第１のノードに送信する。第１のメッセージは、ネットワークにアクセスするよう第３のノードに指示するか、又は第２のノードと通信を行うよう第３のノードに指示する。
【０１４７】
任意選択的に、第１のメッセージは以下に挙げるもの、すなわち、第１のノードの識別子、第３のノードの識別子、システム情報更新指示、システム情報、ページング指示、第３のノードのサービスタイプ、及び第３のノードのサービス優先度のうちの少なくとも１つを含む。第１のメッセージは、第３のノードに関連したフィールド、例えば、ＭＩＢ又はＳＩＢを搬送する。
【０１４８】
任意選択的に、第１のメッセージを第１のノードに送信する場合、第２のノードは、第３のノードのページング期間に第１のメッセージを送信しても、又は第１のノードのページング期間に第１のメッセージを送信してもよい。
【０１４９】
段階３０２：第１のノードは第２のノードが送信する第１のメッセージを受信する。
【０１５０】
任意選択的に、第１のノードが第１のメッセージを受信する前に、第１のノードは中継サービスを第３のノードに提供する。
【０１５１】
第１のノードが受信する第１のメッセージは、ネットワークにアクセスするよう第３のノードに指示するために用いられるので、第１のノードは第３のノードに通知する必要がある。この場合、第１のノードは、Ｄ２Ｄ接続が第３のノードに対して確立されていることを保証する必要がある。
【０１５２】
段階３０３：任意選択的に、第１のノードは第３のノードへのＤ２Ｄ接続を確立する。
【０１５３】
第１のメッセージを受信した後に、第１のノードは、第１のノードが第３のノードへのＤ２Ｄ接続を確立しているかどうかを検出し、第１のノードが第３のノードへのＤ２Ｄ接続を確立している場合、段階３０３を行わなくてよい。しかしながら、第１のノードが第３のノードへのＤ２Ｄ接続を確立していない場合、第１のノードはまず、第３のノードへのＤ２Ｄ接続を確立する必要がある。
【０１５４】
段階３０３は、段階３０１の前に実行されても、又は段階３０１の後且つ段階３０２の前に実行されてもよいことは明らかである。この実施形態では、段階３０３と段階３０１及び段階３０２との間の順序が限定されることはない。
【０１５５】
第１のメッセージが、ネットワークにアクセスするよう第３のノードに指示するために用いられ、第１のノードが第１のメッセージを用いて第３のノードと通信する場合、少なくとも以下に挙げる２つの事例が含まれ得る。
【０１５６】
［第１の事例］
【０１５７】
段階３０４ａ：第１のノードは第２のメッセージを第３のノードに送信する。第２のメッセージは、第２のノードへの通信接続を確立するよう第３のノードに指示するために用いられる。
【０１５８】
段階３０４ａの後に、すなわち、第１のノードが第２のメッセージを第３のノードに送信した後に、第１のノードは任意選択的に、第１のノードと第３のノードとの間のＤ２Ｄ接続を解放しても、又は第１のノードと第３のノードとの間のＤ２Ｄ通信を中断しても、又は第１のノードと第３のノードとの間のＤ２Ｄ通信を確保しても、又は第１のノードと第３のノードとの間のＤ２Ｄ接続を維持しても、又は第１のノードと第３のノードとの間のＤ２Ｄ接続を一時中断してもよい。
【０１５９】
段階３０５ａ：第３のノードは第１のノードが送信する第２のメッセージを受信する。
【０１６０】
段階３０６ａ：第３のノードは、第２のノードへの通信接続を確立するか、又は第３のノードの通信モードを高コンフィギュレーションモードに設定する。
【０１６１】
第２のメッセージを受信した後に、第３のノードは、ネットワークにアクセスするか、又は第１のノードにアクセスして第２のノードと通信を行う。
【０１６２】
任意選択的に、第１のノードが送信する第２のメッセージを第３のノードが受信する前に、第３のノードは低コンフィギュレーションモードであってよい。
【０１６３】
ネットワークにアクセスするよう第３のノードに指示するために用いられる第２のメッセージを第３のノードが受信した後に、第３のノードは、ネットワークにアクセスしても、又は第２のノードへの通信接続を確立してもよい。この場合、第３のノードは、高コンフィギュレーションモードに入ってよい。
【０１６４】
第３のノードが、第２のノードへの通信接続を確立した、又は第３のノードの通信モードを高コンフィギュレーションモードに設定した後に、第３のノードは任意選択的に、第３のノードと第１のノードとの間のＤ２Ｄ接続を解放しても、又は第３のノードと第１のノードとの間のＤ２Ｄ通信を中断してもよい。
【０１６５】
第３のノードが第２のメッセージを受信しない場合、第３のノード自体は通信モードを高コンフィギュレーションモードに設定してよいことに留意されたい。
【０１６６】
［第２の事例］
【０１６７】
段階３０４ｂ：第１のノードは第２のメッセージを第３のノードに送信する。第２のメッセージは、第３のノードを高コンフィギュレーションモードに設定するよう指示するために用いられる。
【０１６８】
段階３０４ｂの後に、すなわち、第１のノードが第２のメッセージを第３のノードに送信した後に、第１のノードは、第１のノードと第３のノードとの間のＤ２Ｄ接続を解放しても、又は第１のノードと第３のノードとの間のＤ２Ｄ通信を中断しても、又は第１のノードと第３のノードとの間のＤ２Ｄ通信を確保しても、又は第１のノードと第３のノードとの間のＤ２Ｄ接続を維持しても、又は第１のノードと第３のノードとの間のＤ２Ｄ接続を一時中断してもよい。
【０１６９】
段階３０５ｂ：第３のノードは第１のノードが送信する第２のメッセージを受信する。
【０１７０】
段階３０６ｂ：第３のノードは、第３のノードの通信モードを高コンフィギュレーションモードに設定する。
【０１７１】
第３のノードが第３のノードの通信モードを高コンフィギュレーションモードに設定した後に、第３のノードは、第３のノードと第１のノードとの間のＤ２Ｄ接続を解放しても、又は第３のノードと第１のノードとの間のＤ２Ｄ通信を中断してもよい。
【０１７２】
第３のノードが第２のメッセージを受信しない場合、第３のノード自体は通信モードを高コンフィギュレーションモードに設定してよいことに留意されたい。
【０１７３】
要約すれば、本発明のこの実施形態によって提供される通信方法では、第１のノードは第２のメッセージを第３のノードに送信し、第２のメッセージは、第２のノードへの通信接続を確立するよう第３のノードに指示するために用いられる。したがって、これにより、第３のノードが第２のノードへの接続を維持してＤ２Ｄ通信プロセスにおいてＤ２Ｄ通信を行う必要がある場合に発生する比較的高い電力消費の問題が解決される。特に、第１のノードが第２のメッセージを第３のノードに送信する前に、第１のノードは任意選択的に、第３のノードと第２のノードとの間の通信を実現するために中継サービスを第３のノードに提供するかどうかを、第２のノードが送信する第１のメッセージに基づいて判定するか、又はネットワークにアクセスするよう第３のノードに指示して、第２のノードと情報通信若しくはサービス通信を直接行う。これにより、Ｄ２Ｄ通信の間に基地局が送信する情報を第３のノードが受信する場合、電力を効果的に節約するという目的及び効果が実現される。
【０１７４】
実際の応用において、第２のノードは、中継サービスを第３のノードに提供するよう第１のノードに指示するために用いられる第１のメッセージを第１のノードに送信して、中継サービスを第３のノードに提供するよう第１のノードに指示してよい。図４Ａ及び図４Ｂを参照すると、図４Ａ及び図４Ｂは、本発明のさらに別の例示的な実施形態による通信方法のフローチャートである。この実施形態を説明するために、本方法は、図１に示す通信システムに適用される。本方法は以下に挙げる段階を含む。
【０１７５】
段階４０１：任意選択的に、第２のノードは第１のメッセージを第１のノードに送信する。第１のメッセージは、中継サービスを第３のノードに提供するよう第１のノードに指示する。
【０１７６】
任意選択的に、第１のメッセージは以下に挙げるもの、すなわち、第１のノードの識別子、第３のノードの識別子、システム情報更新指示、システム情報、ページング指示、第３のノードのサービスタイプ、及び第３のノードのサービス優先度のうちの少なくとも１つを含む。第１のメッセージは、第３のノードに関連したフィールド、例えば、ＭＩＢ又はＳＩＢを搬送する。
【０１７７】
任意選択的に、第１のメッセージを第１のノードに送信する場合、第２のノードは、第３のノードのページング期間に第１のメッセージを送信しても、又は第１のノードのページング期間に第１のメッセージを送信してもよい。
【０１７８】
段階４０２：第１のノードは第２のノードが送信する第１のメッセージを受信する。
【０１７９】
任意選択的に、第１のノードが第１のメッセージを受信する前に、第１のノードは中継サービスを第３のノードに提供する。
【０１８０】
第１のノードが受信する第１のメッセージは、中継サービスを第３のノードに提供するよう第１のノードに指示するために用いられるので、第１のノードは第３のノードに通知する必要がある。この場合、第１のノードは、Ｄ２Ｄ接続が第３のノードに対して確立されていることを保証する必要がある。
【０１８１】
段階４０３：任意選択的に、第１のノードは第３のノードへのＤ２Ｄ接続を確立する。
【０１８２】
第１のメッセージを受信した後に、第１のノードは、第１のノードが第３のノードへのＤ２Ｄ接続を確立しているかどうかを検出し、第１のノードが第３のノードへのＤ２Ｄ接続を確立している場合、段階４０３を行わなくてよい。しかしながら、第１のノードが第３のノードへのＤ２Ｄ接続を確立していない場合、第１のノードはまず、第３のノードへのＤ２Ｄ接続を確立する必要がある。
【０１８３】
段階４０３は、段階４０１の前に実行されても、又は段階４０１の後且つ段階４０２の前に実行されてもよいことは明らかである。この実施形態では、段階４０３と段階４０１及び段階４０２との間の順序が限定されることはない。
【０１８４】
中継サービスを第３のノードに提供するよう第１のノードに指示するために第１のメッセージが用いられ、第１のノードが第１のメッセージを用いて第３のノードと通信する場合、少なくとも以下に挙げる２つの事例が含まれてよい。
【０１８５】
［第１の事例］
【０１８６】
段階４０４ａ：第１のノードは第２のメッセージを第３のノードに送信する。第２のメッセージは、第１のノードが中継サービスを第３のノードに提供することを示すために用いられる。
【０１８７】
具体的には、第１のノードが第３のノードへのＤ２Ｄ接続を確立した後に、第１のノードは、Ｄ２Ｄリンクを用いて第２のメッセージを第３のノードに送信してよい。
【０１８８】
段階４０４ａの後に、すなわち、第１のノードが第２のメッセージを第３のノードに送信した後に、第１のノードは、第１のノードと第３のノードとの間のＤ２Ｄ接続を解放しても、又は第１のノードと第３のノードとの間のＤ２Ｄ通信を中断しても、又は第１のノードと第３のノードとの間のＤ２Ｄ通信を確保しても、又は第１のノードと第３のノードとの間のＤ２Ｄ接続を維持しても、又は第１のノードと第３のノードとの間のＤ２Ｄ接続を一時中断してもよい。
【０１８９】
段階４０５ａ：第３のノードは第１のノードが送信する第２のメッセージを受信する。
【０１９０】
段階４０６ａ：第３のノードは、ネットワークにアクセスするか、又は第１のノードにアクセスして第２のノードと通信を行うか、又は第３のノードの通信モードを高コンフィギュレーションモードに設定する。
【０１９１】
第２のメッセージを受信した後に、第３のノードは、第１のノードにアクセスして第２のノードと通信を行う。
【０１９２】
任意選択的に、第１のノードが送信する第２のメッセージを第３のノードが受信する前に、第３のノードは低コンフィギュレーションモードであってよい。
【０１９３】
第３のノードが、中継サービスを第３のノードに提供するよう第１のノードに指示するために用いられる第２のメッセージを受信した後に、第３のノードはネットワークにアクセスしてよい。この場合、第３のノードは、高コンフィギュレーションモードに入ってよい。
【０１９４】
第３のノードが第３のノードの通信モードを高コンフィギュレーションモードに設定した後に、第３のノードは、第３のノードと第１のノードとの間のＤ２Ｄ接続を解放しても、又は第３のノードと第１のノードとの間のＤ２Ｄ通信を中断してもよい。
【０１９５】
第３のノードが第２のメッセージを受信しない場合、第３のノード自体は通信モードを高コンフィギュレーションモードに設定してよいことに留意されたい。
【０１９６】
［第２の事例］
【０１９７】
段階４０４ｂ：第１のノードは第２のメッセージを第３のノードに送信する。第２のメッセージは、第１のノードと通信を行うよう第３のノードに指示するために用いられる。
【０１９８】
段階４０４ｂの後に、すなわち、第１のノードが第２のメッセージを第３のノードに送信した後に、第１のノードは、第１のノードと第３のノードとの間のＤ２Ｄ通信を確保しても、又は第１のノードと第３のノードとの間のＤ２Ｄ接続を維持してもよい。
【０１９９】
段階４０５ｂ：第３のノードは第１のノードが送信する第２のメッセージを受信する。
【０２００】
段階４０６ｂ：第３のノードは、第１のノードとＤ２Ｄ通信を行うか、又は第３のノードが第１のノードへのデバイス間Ｄ２Ｄ接続を確立しているかどうかを検出する。第３のノードが第１のノードへのＤ２Ｄ接続を確立していない場合、第３のノードは第１のノードへのＤ２Ｄ接続を確立する、又は第３のノードが第１のノードへのＤ２Ｄ接続を確立している場合、第３のノードは第１のノードとＤ２Ｄ通信を行う。
【０２０１】
要約すれば、本発明のこの実施形態によって提供される通信方法では、第１のノードは第２のメッセージを第３のノードに送信し、第２のメッセージは、中継サービスを第３のノードに提供するよう第１のノードに指示するために用いられる。したがって、これにより、第３のノードが第２のノードへの接続を維持してＤ２Ｄ通信プロセスにおいてＤ２Ｄ通信を行う必要がある場合に発生する比較的高い電力消費の問題が解決される。特に、第１のノードが第２のメッセージを第３のノードに送信する前に、第１のノードは任意選択的に、中継サービスを第３のノードに提供して第３のノードと第２のノードとの間の通信を実現するか、又はネットワークにアクセスして第２のノードと情報通信若しくはサービス通信を直接行うよう第３のノードに指示するかを、第２のノードが送信する第１のメッセージに基づいて判定する。これにより、Ｄ２Ｄ通信の間に基地局が送信する情報を第３のノードが受信する場合、電力を効果的に節約するという目的及び効果が実現される。
【０２０２】
実際の応用において、第２のノードは第３のノードの通信モードを制御してよい。例えば、第２のノードは、第３のノードを低コンフィギュレーションモードに設定するよう指示するために用いられる第１のメッセージを第１のノードに送信して、第３のノードを低コンフィギュレーションモードに設定するよう指示してよい。図５を参照すると、図５は、本発明のさらに別の例示的な実施形態による通信方法のフローチャートである。この実施形態を説明するために、本方法は、図１に示す通信システムに適用される。本方法は以下に挙げる段階を含む。
【０２０３】
段階５０１：任意選択的に、第２のノードが第１のメッセージを第１のノードに送信する。第１のメッセージは、第３のノードを低コンフィギュレーションモードに設定するよう指示する。
【０２０４】
任意選択的に、第１のメッセージは以下に挙げるもの、すなわち、第１のノードの識別子、第３のノードの識別子、システム情報更新指示、システム情報、ページング指示、第３のノードのサービスタイプ、及び第３のノードのサービス優先度のうちの少なくとも１つを含む。第１のメッセージは、第３のノードに関連したフィールド、例えば、ＭＩＢ又はＳＩＢを搬送する。
【０２０５】
任意選択的に、第１のメッセージを第１のノードに送信する場合、第２のノードは、第３のノードのページング期間に第１のメッセージを送信しても、又は第１のノードのページング期間に第１のメッセージを送信してもよい。
【０２０６】
第３のノードが第１のメッセージを受信しない場合、第３のノード自体は通信モードを低コンフィギュレーションモードに設定してよいことに留意されたい。
【０２０７】
段階５０２：第１のノードは第２のノードが送信する第１のメッセージを受信する。
【０２０８】
任意選択的に、第１のノードが第１のメッセージを受信する前に、第１のノードは中継サービスを第３のノードに提供する。
【０２０９】
第１のノードが受信する第１のメッセージは、第３のノードを低コンフィギュレーションモードに設定するよう指示するために用いられるので、第１のノードは第３のノードに通知する必要がある。この場合、第１のノードは、Ｄ２Ｄ接続が第３のノードに対して確立されていることを保証する必要がある。
【０２１０】
段階５０３：任意選択的に、第１のノードは第３のノードへのＤ２Ｄ接続を確立する。
【０２１１】
第１のメッセージを受信した後に、第１のノードは、第１のノードが第３のノードへのＤ２Ｄ接続を確立しているかどうかを検出し、第１のノードが第３のノードへのＤ２Ｄ接続を確立している場合、段階５０３を行わなくてよい。しかしながら、第１のノードが第３のノードへのＤ２Ｄ接続を確立していない場合、第１のノードはまず、第３のノードへのＤ２Ｄ接続を確立する必要がある。
【０２１２】
段階５０３は、段階５０１の前に実行されても、又は段階５０１の後且つ段階５０２の前に実行されてもよいことは明らかである。この実施形態では、段階５０３と段階５０１及び段階５０２との間の順序が限定されることはない。
【０２１３】
段階５０４：第１のノードは第２のメッセージを第３のノードに送信する。第２のメッセージは、第３のノードを低コンフィギュレーションモードに設定するよう指示するために用いられる。
【０２１４】
具体的には、第１のノードが第３のノードへのＤ２Ｄ接続を確立した後に、第１のノードは、Ｄ２Ｄリンクを用いて第２のメッセージを第３のノードに送信してよい。
【０２１５】
段階５０４の後に、すなわち、第１のノードが第２のメッセージを第３のノードに送信した後に、第１のノードは、第１のノードと第３のノードとの間のＤ２Ｄ通信を確保しても、又は第１のノードと第３のノードとの間のＤ２Ｄ接続を維持してもよい。
【０２１６】
段階５０５：第３のノードは第１のノードが送信する第２のメッセージを受信する。
【０２１７】
段階５０６：第３のノードは、第３のノードの通信モードを低コンフィギュレーションモードに設定する。
【０２１８】
第３のノードが第３のノードの通信モードを低コンフィギュレーションモードに設定した後に、第３のノードは第３のノードと第１のノードとの間のＤ２Ｄ接続を引き続き確保する。
【０２１９】
第３のノードが第１のメッセージを受信しない場合、第３のノード自体は通信モードを低コンフィギュレーションモードに設定してよいことに留意されたい。
【０２２０】
要約すれば、本発明のこの実施形態によって提供される通信方法では、第１のノードは第２のメッセージを第３のノードに送信し、第２のメッセージは、第３のノードを低コンフィギュレーションモードに設定するよう指示するために用いられる。したがって、これにより、第３のノードが第２のノードへの接続を維持してＤ２Ｄ通信プロセスにおいてＤ２Ｄ通信を行う必要がある場合に発生する比較的高い電力消費の問題が解決される。特に、第１のノードが第２のメッセージを第３のノードに送信する前に、第１のノードは任意選択的に、中継サービスを第３のノードに提供して第３のノードと第２のノードとの間の通信を実現するか、又はネットワークにアクセスして第２のノードと情報通信若しくはサービス通信を直接行うよう第３のノードに指示するかを、第２のノードが送信する第１のメッセージに基づいて判定する。これにより、Ｄ２Ｄ通信の間に基地局が送信する情報を第３のノードが受信する場合、電力を効果的に節約するという目的及び効果が実現される。
【０２２１】
実際の応用において、第２のノードは第３のノードの通信モードを制御してよい。例えば、第２のノードは、第３のノードを高コンフィギュレーションモードに設定するよう指示するために用いられる第１のメッセージを第１のノードに送信して、第３のノードを高コンフィギュレーションモードに設定するよう指示してよい。図６を参照すると、図６は、本発明のさらに別の例示的な実施形態による通信方法のフローチャートである。この実施形態を説明するために、本方法は、図１に示す通信システムに適用される。本方法は以下に挙げる段階を含む。
【０２２２】
段階６０１：任意選択的に、第２のノードが第１のメッセージを第１のノードに送信する。第１のメッセージは、第３のノードを高コンフィギュレーションモードに設定するよう指示するために用いられる。
【０２２３】
任意選択的に、第１のメッセージは以下に挙げるもの、すなわち、第１のノードの識別子、第３のノードの識別子、システム情報更新指示、システム情報、ページング指示、第３のノードのサービスタイプ、及び第３のノードのサービス優先度のうちの少なくとも１つを含む。第１のメッセージは、第３のノードに関連したフィールド、例えば、ＭＩＢ又はＳＩＢを搬送する。
【０２２４】
任意選択的に、第１のメッセージを第１のノードに送信する場合、第２のノードは、第３のノードのページング期間に第１のメッセージを送信しても、又は第１のノードのページング期間に第１のメッセージを送信してもよい。
【０２２５】
段階６０２：第１のノードは第２のノードが送信する第１のメッセージを受信する。
【０２２６】
任意選択的に、第１のノードが第１のメッセージを受信する前に、第１のノードは中継サービスを第３のノードに提供する。
【０２２７】
第１のノードが受信する第１のメッセージは、第３のノードを高コンフィギュレーションモードに設定するよう指示するために用いられるので、第１のノードは第３のノードに通知する必要がある。この場合、第１のノードは、Ｄ２Ｄ接続が第３のノードに対して確立されていることを保証する必要がある。
【０２２８】
段階６０３：任意選択的に、第１のノードは第３のノードへのＤ２Ｄ接続を確立する。
【０２２９】
第１のメッセージを受信した後に、第１のノードは、第１のノードが第３のノードへのＤ２Ｄ接続を確立しているかどうかを検出し、第１のノードが第３のノードへのＤ２Ｄ接続を確立している場合、段階６０３を行わなくてよい。しかしながら、第１のノードが第３のノードへのＤ２Ｄ接続を確立していない場合、第１のノードはまず、第３のノードへのＤ２Ｄ接続を確立する必要がある。
【０２３０】
段階６０３は、段階６０１の前に実行されても、又は段階６０１の後且つ段階６０２の前に実行されてもよいことは明らかである。この実施形態では、段階６０３と段階６０１及び段階６０２との間の順序が限定されることはない。
【０２３１】
段階６０４：第１のノードは第２のメッセージを第３のノードに送信する。第２のメッセージは、第３のノードを高コンフィギュレーションモードに設定するよう指示するために用いられる。
【０２３２】
段階６０４の後に、すなわち、第１のノードが第２のメッセージを第３のノードに送信した後に、第１のノードは、第１のノードと第３のノードとの間のＤ２Ｄ接続を解放しても、又は第１のノードと第３のノードとの間のＤ２Ｄ通信を中断しても、又は第１のノードと第３のノードとの間のＤ２Ｄ通信を確保しても、又は第１のノードと第３のノードとの間のＤ２Ｄ接続を維持しても、又は第１のノードと第３のノードとの間のＤ２Ｄ接続を一時中断してもよい。
【０２３３】
段階６０５：第３のノードは第１のノードが送信する第２のメッセージを受信する。
【０２３４】
段階６０６：第３のノードは、第３のノードの通信モードを高コンフィギュレーションモードに設定する。
【０２３５】
第３のノードが第３のノードの通信モードを高コンフィギュレーションモードに設定した後に、第３のノードは、第３のノードと第１のノードとの間のＤ２Ｄ接続を解放しても、又は第３のノードと第１のノードとの間のＤ２Ｄ通信を中断してもよい。
【０２３６】
第３のノードが第２のメッセージを受信しない場合、第３のノード自体は通信モードを高コンフィギュレーションモードに設定してよいことに留意されたい。
【０２３７】
要約すれば、本発明のこの実施形態によって提供される通信方法では、第１のノードは第２のメッセージを第３のノードに送信し、第２のメッセージは、第３のノードを高コンフィギュレーションモードに設定するよう指示するために用いられる。したがって、これにより、第３のノードが第２のノードへの接続を維持してＤ２Ｄ通信プロセスにおいてＤ２Ｄ通信を行う必要がある場合に発生する比較的高い電力消費の問題が解決される。特に、第１のノードが第２のメッセージを第３のノードに送信する前に、第１のノードは任意選択的に、中継サービスを第３のノードに提供して第３のノードと第２のノードとの間の通信を実現するか、又はネットワークにアクセスして第２のノードと情報通信若しくはサービス通信を直接行うよう第３のノードに指示するかを、第２のノードが送信する第１のメッセージに基づいて判定する。これにより、Ｄ２Ｄ通信の間に基地局が送信する情報を第３のノードが受信する場合、電力を効果的に節約するという目的及び効果が実現される。
【０２３８】
実行可能な一実施例において、図７は、本発明のさらに別の例示的な実施形態による通信方法のフローチャートである。図７を参照すると、第３のノードは、第６のメッセージを第１のノードに送信して、第３のノードの通信モードを第１のノードに通知するか、又は所定のオペレーションを実行するよう第３のノードに指示するかしてよい。
【０２３９】
段階Ｓ１：第１のノードが第２のメッセージを第３のノードに送信する。
【０２４０】
第２のメッセージは、第３のノードを呼び出してネットワークにアクセスするよう指示するか、又は第２のノードへの通信接続を確立するよう第３のノードに指示するか、又は第１のノードが中継サービスを第３のノードに提供することを示すか、又は第１のノードと通信を行うよう第３のノードに指示するか、又は第３のノードを低コンフィギュレーションモードに設定するよう指示するか、又は第３のノードを高コンフィギュレーションモードに設定するよう指示するか、又はシステム情報を更新するよう第３のノードに指示するために用いられる。
【０２４１】
これに対応して、第３のノードは、第１のノードが送信する第２のメッセージを受信する。
【０２４２】
段階Ｓ２：第３のノードは第６のメッセージを第１のノードに送信する。
【０２４３】
任意選択的に、第６のメッセージは、第３のノードが第１のノードからページングメッセージを受信することを示すか、又は第３のノードが第１のノードからシステム情報を受信することを示すか、又は第３のノードのモードが高コンフィギュレーションモードに設定されることを示すか、又は第３のノードのモードが低コンフィギュレーションモードに設定されることを示すために用いられる。
【０２４４】
これに対応して、第１のノードは、第３のノードが送信する第６のメッセージを受信する。
【０２４５】
この実施形態において、段階Ｓ２は、段階２０４ａ〜段階２０４ｄ、段階３０４ａ〜段階３０４ｂ、段階４０４ａ〜段階４０４ｂ、段階５０４、又は段階６０４の後に行われてよいことに留意されたい。
【０２４６】
第２のノードが第１のメッセージを第１のノードに送信する前に、第１のノードが第３のノードへのＤ２Ｄ接続を確立している場合、段階Ｓ１は、段階２０１、段階２０２、段階３０１、段階３０２、段階４０１、段階４０２、段階５０１、段階５０２、段階６０１、若しくは段階６０２の前又は後に行われてもよい。
【０２４７】
別の実行可能な実施例において、図８は、本発明のさらに別の例示的な実施形態による通信方法のフローチャートである。図８を参照すると、第１のノードが第７のメッセージを第３のノードに送信して、通信モードを変更するか又は所定のオペレーションを行うよう第３のノードに指示してもよい。
【０２４８】
段階Ｓ３：第１のノードが第７のメッセージを第３のノードに送信する。
【０２４９】
任意選択的に、第７のメッセージは、第１のノードからページングメッセージを受信するよう第３のノードに指示するか、又は第１のノードからシステム情報を受信するよう第３のノードに指示するか、又は第３のノードのモードを高コンフィギュレーションモードに設定するよう指示するか、又は第３のノードのモードを低コンフィギュレーションモードに設定するよう指示する。
【０２５０】
これに対応して、第３のノードは、第１のノードが送信する第７のメッセージを受信する。
【０２５１】
段階Ｓ４：第１のノードは第２のメッセージを第３のノードに送信する。
【０２５２】
第２のメッセージは、第３のノードを呼び出してネットワークにアクセスするよう指示するか、又は第２のノードへの通信接続を確立するよう第３のノードに指示するか、又は第１のノードが中継サービスを第３のノードに提供することを示すか、又は第１のノードと通信を行うよう第３のノードに指示するか、又は第３のノードを低コンフィギュレーションモードに設定するよう指示するか、又は第３のノードを高コンフィギュレーションモードに設定するよう指示するか、又はシステム情報を更新するよう第３のノードに指示するために用いられる。
【０２５３】
これに対応して、第３のノードは、第１のノードが送信する第２のメッセージを受信する。
【０２５４】
この実施形態において、段階Ｓ３は、段階２０４ａ〜段階２０４ｄ、段階３０４ａ〜段階３０４ｂ、段階４０４ａ〜段階４０４ｂ、段階５０４、又は段階６０４の後に行われてよいことに留意されたい。
【０２５５】
実行可能な一実施例において、第２のノードが第１のメッセージを第１のノードに送信する前に、第２のノードは、第３のノードに関連した情報及び第１のノードに関連した情報をＭＭＥから取得する。
【０２５６】
段階Ｓ５：任意選択的に、第２のノードは第１０のメッセージを受信する。
【０２５７】
任意選択的に、第１０のメッセージは、第３のノードと第１のノードとの間のペアリング情報を示すために用いられる。ペアリング情報は、第１のノードが第３のノードの中継ノードであるという情報であり、ペアリング情報は、以下に挙げるもの、すなわち、第１のノードの識別子及び第３のノードの識別子のうちの少なくとも１つを含む。
【０２５８】
段階Ｓ６：第２のノードは第８のメッセージをＭＭＥに送信する。
【０２５９】
任意選択的に、第８のメッセージは、第３のノードに関する情報及び第１のノードに関する情報をＭＭＥに通知するために用いられる。
【０２６０】
具体的には、第８のメッセージは、第３のノードと第１のノードとの間のペアリング情報を示すために用いられ、ペアリング情報は、第１のノードが第３のノードの中継ノードであるという情報、第３のノードに関する情報（例えば、第３のノードの識別子）、及び第１のノードに関する情報（例えば、第１のノードの識別子）を含む。第８のメッセージを受信した後に、ＭＭＥは、第３のノードに関する情報によって第３のノードを認識し、第１のノードに関する情報によって第１のノードを認識し、さらに、第３のノードと第１のノードとが一対のＤ２Ｄ通信ノードであると判定する。ここで、第１のノードは第３のノードの中継ノードである。
【０２６１】
第３のノードのサービスがある場合、ＭＭＥはページングメッセージを送信して第３のノードを呼び出す。第１のノードが第３のノードの中継ノードであることをＭＭＥは認識しているので、ＭＭＥは、第３のノードを呼び出すためにページングメッセージを直接送信しないが、第１のノードを呼び出すためにページングメッセージ（例えば、第９のメッセージ）を送信する。ページングメッセージは、第１のノードに関する情報及び第３のノードに関する情報を含む。
【０２６２】
段階Ｓ７：第２のノードは、ＭＭＥが送信する第９のメッセージを受信する。
【０２６３】
任意選択的に、第９のメッセージは第１のノードを呼び出すために用いられる。
【０２６４】
任意選択的に、第９のメッセージは、第１のノードに関する情報及び第３のノードに関する情報を含む。第１のノードに関する情報は、第１のノードの識別子又は第１のノードの識別子である。第３のノードに関する情報は、第３のノードの識別子又は第３のノードの識別子であってよい。
【０２６５】
これに対応して、ＭＭＥが送信する第９のメッセージを第２のノードが受信した後に、第２のノードは、呼び出す必要がある第３のノードを認識する。第１のノードが第３のノードの中継ノードであることを第２のノードが認識すると、第２のノードはページングメッセージ（第１のメッセージ）を第１のノードに送信する。第１のメッセージは、第１のノードのページング期間に送信される。第１のノードが第１のメッセージを受信した後に、第１のノードは、第１のメッセージに含まれるコンテンツに従って、第２のノードが第３のノードを探していることを確認できるので、第２のメッセージを第３のノードに送信する。
【０２６６】
例えば、第１のノードが受信する第１のメッセージが第３のノードを呼び出すために用いられる場合、第１のノードは第２のメッセージを第３のノードに送信する。第２のメッセージは、ネットワークにアクセスするよう第３のノードに指示するか、又は第１のノードと通信を行うよう第３のノードに指示するために用いられる。
【０２６７】
任意選択的に、第９のメッセージは、第３のノードを呼び出すよう第２のノードに指示するために用いられる。
【０２６８】
任意選択的に、第９のメッセージは、第３のノードのサービスを伝える必要があることを示すために用いられる。
【０２６９】
任意選択的に、第９のメッセージは、第３のノードを呼び出すよう第２のノードに指示するために用いられる。
【０２７０】
任意選択的に、第９のメッセージは、第３のノードのサービスを伝える必要があることを示すために用いられる。
【０２７１】
ＭＭＥが送信する第９のメッセージを受信した後に、第２のノードは、第９のメッセージのコンテンツに従って第１のメッセージを第１のノードに送信してよい。第１のメッセージは、第３のノードを呼び出すために第１のメッセージが用いられることを示すか、又はネットワークにアクセスするよう第３のノードに指示するか、又は中継サービスを第３のノードに提供するよう第１のノードに指示するために用いられる。段階Ｓ５、段階Ｓ６、及び段階Ｓ７は、段階２０１、段階３０１、段階４０１、段階５０１、又は段階６０１の前に行われてよい。
【０２７２】
段階Ｓ５、段階Ｓ６、及び段階Ｓ７の実行順序は、この実施形態において特に限定されることはないことに留意されたい。
【０２７３】
この実施形態において、第１のメッセージは以下に挙げるもの、すなわち、第１のノードの識別子、第３のノードの識別子、システム情報更新指示、システム情報、ページング指示、第３のノードのサービスタイプ、及び第３のノードのサービス優先度のうちの少なくとも１つを含むことに留意されたい。
【０２７４】
この実施形態において、第２のメッセージは以下に挙げるもの、すなわち、第１のノードの識別子、第３のノードの識別子、システム情報更新指示、システム情報、ページング指示、第３のノードのサービスタイプ、及び第３のノードのサービス優先度のうちの少なくとも１つを含むことに留意されたい。
【０２７５】
サービス優先度はまた、サービスのＱｏＳに相当し得る。
【０２７６】
実行可能な一実施例において、第３のノードは、第１のノードとＤ２Ｄ通信を行う場合、システム情報を遅滞なく更新してよい。図９を参照すると、図９は、本発明の例示的な一実施形態に従って、第３のノードがシステム情報を更新する方法のフローチャートである。この実施形態では、以下に挙げる段階７０１〜段階７０４を行って、システム情報の更新を実施する。
【０２７７】
段階７０１：第２のノードが第１のメッセージを第１のノードに送信する。第１のメッセージは、システム情報を更新するよう指示する。
【０２７８】
システム情報は、第３のノードに関連した情報、例えば、ＭＩＢ又はＳＩＢを含む。
【０２７９】
段階７０２：第１のメッセージを受信した後に、第１のノードは第２のメッセージを第３のノードに送信する。第２のメッセージは、システム情報を更新するよう第３のノードに指示するために用いられる。
【０２８０】
段階７０３：任意選択的に、第２のメッセージを受信した後に、第３のノードは、システム情報をリッスンし、システム情報を更新するか、又は第３のノードの通信モードを高コンフィギュレーションモードに設定する。
【０２８１】
第３のノードが第２のメッセージを受信しない場合、第３のノード自体は通信モードを高コンフィギュレーションモードに設定してよいことに留意されたい。
【０２８２】
段階７０４：システム情報を更新した後に、第３のノードは第３のノードを低コンフィギュレーションモードに設定する。
【０２８３】
システム情報が更新され、第３のノードが所定の条件を満たした後に、第３のノードは低コンフィギュレーションモードに設定されることが好ましい。
【０２８４】
任意選択的に、所定の条件とは、通信モードを低コンフィギュレーションモードに設定するよう指示するために用いられる指示を第３のノードが受信することである。
【０２８５】
任意選択的に、所定の条件とは、第３のノードの残りの電力が電力閾値より低いことである。
【０２８６】
段階７０１〜段階７０４は、段階２０１〜段階２０３、段階２０４ａ〜段階２０４ｄ、段階２０５ａ〜段階２０５ｄ、及び段階２０６ａ〜段階２０６ｄのうちのいずれか１つの前若しくは後に行われてもよく、又は段階３０１〜段階３０３、段階３０４ａ、段階３０４ｂ、段階３０５ａ、段階３０５ｂ、段階３０６ａ、及び段階３０６ｂのうちのいずれか１つの前若しくは後に行われてもよく、又は段階４０１〜段階４０３、段階４０４ａ、段階４０４ｂ、段階４０５ａ、段階４０５ｂ、段階４０６ａ、及び段階４０６ｂのうちのいずれか１つの前若しくは後に行われてもよく、又は段階５０１〜段階５０６のうちのいずれか１つの前若しくは後に行われてもよく、又は段階６０１〜段階６０６のうちのいずれか１つの前若しくは後に行われてもよいことに留意されたい。
【０２８７】
別の実行可能な実施例において、図２Ａ、図２Ｂ、及び図２Ｃをさらに参照すると、第１のノードが第２のメッセージを第３のノードに送信した後に、第３のノードが送信する第３のメッセージを第１のノードが受信した場合、以下に挙げる段階８０１ａ又は段階８０１ｂが、第１のノードと第３のノードとの間のＤ２Ｄ接続のオペレーションを行うために用いられる。
【０２８８】
段階８０１ａ：第３のノードは第３のメッセージを第１のノードに送信する。
【０２８９】
任意選択的に、第１のノードが送信する第２のメッセージを受信した場合、第３のノードは第３のメッセージを第１のノードに送信する。
【０２９０】
任意選択的に、第２のメッセージを受信した後に、第３のノードがネットワークへのアクセスに成功した場合、又は第３のノードがネットワークにアクセスできなかった場合、又は第３のノードが第２のノードへの通信接続の確立に成功した場合、又は第３のノードが第２のノードへの通信接続を確立できなかった場合、第３のノードは第３のメッセージを第１のノードに送信する。
【０２９１】
任意選択的に、第３のノードが、第２のメッセージを受信した後に、第３のノード自体を高コンフィギュレーションモードに設定した場合、第３のノードは第３のメッセージを第１のノードに送信する。
【０２９２】
任意選択的に、第３のノードが、第２のメッセージを受信した後に、システム情報を受信するか又はシステム情報を更新する場合、第３のノードは第３のメッセージを第１のノードに送信する。
【０２９３】
任意選択的に、第２のメッセージの受信から始まる所定の期間内にネットワークへのアクセスに成功した場合、又は第２のノードへの通信接続の確立に成功した場合、第３のノードは第３のメッセージを第１のノードに送信する。
【０２９４】
任意選択的に、第２のメッセージの受信から始まる所定の期間内にネットワークにアクセスできなかった場合、又は第２のノードへの通信接続を確立できなかった場合、第３のノードは第３のメッセージを第１のノードに送信する。
【０２９５】
「ネットワークにアクセスする」とは、第３のノードが局又は基地局にアクセスすることを意味する。具体的には、局は第２のノードであってよい。
【０２９６】
これに対応して、第１のノードは、第３のノードが送信する第３のメッセージを受信する。
【０２９７】
段階８０１ａは、段階２０５ａ、段階２０６ａ、段階２０５ｂ、段階２０６ｂ、段階２０５ｃ、段階２０６ｃ、段階２０５ｄ、段階２０６ｄ、段階３０５ａ、段階３０６ａ、段階３０５ｂ、段階３０６ｂ、段階４０５ａ、段階４０６ａ、段階４０５ｂ、段階４０６ｂ、段階５０５、段階５０６、段階６０５、又は段階６０６の後に行われてもよいことに留意されたい。
【０２９８】
段階８０１ｂ：第２のメッセージの受信から始まる所定の期間内にネットワークへのアクセスに成功した場合、又は第２のノードへの通信接続の確立に成功した場合、第３のノードは第３のメッセージを第１のノードに送信する。
【０２９９】
任意選択的に、第３のメッセージは、第３のノードがネットワークへのアクセスに成功したことを示す。
【０３００】
任意選択的に、第３のメッセージは、第３のノードの呼び出しに成功したことを示す。
【０３０１】
任意選択的に、第３のメッセージは、第３のノードが第２のノードへの通信接続の確立に成功したことを示す。
【０３０２】
任意選択的に、第３のメッセージは、第３のノードが既に高コンフィギュレーションモードに設定されていることを示す。
【０３０３】
任意選択的に、第３のメッセージは、第１のノードと通信を行うことを確認して返信するために用いられる。
【０３０４】
任意選択的に、第３のメッセージは、第３のノードがシステム情報を更新したことを示す。
【０３０５】
これに対応して、第１のノードは、第３のノードが送信する第３のメッセージを受信する。
【０３０６】
段階８０１ｂは、段階２０５ａ、段階２０６ａ、段階２０５ｂ、段階２０６ｂ、段階２０５ｄ、段階２０６ｄ、段階３０５ａ、段階３０６ａ、段階３０５ｂ、段階３０６ｂ、段階４０５ａ、段階４０６ａ、段階６０５、又は段階６０６の後に行われてもよいことに留意されたい。
【０３０７】
これに対応して、第２のメッセージの送信から始まる所定の期間内に、第３のノードが送信する第３のメッセージを受信した場合、第１のノードは、第１のノードと第３のノードとの間のＤ２Ｄ接続を引き続き維持する。又は第２のメッセージの送信から始まる所定の期間内に、第３のノードが送信する第３のメッセージを受信しなかった場合、第１のノードは、第１のノードと第３のノードとの間のＤ２Ｄ接続の維持を中断する。
【０３０８】
段階８０１ｂは、段階２０４ａの後に行われてもよく、又は段階３０４ａの後に行われてもよく、又は段階４０４ａの後に行われてもよく、又は段階５０４の後に行われてもよく、又は段階６０４の後に行われてもよく、又は段階７０３の後に行われてもよいことに留意されたい。
【０３０９】
さらに別の実行可能な実施例において、第１のノードが第２のメッセージを第３のノードに送信した後に、第２のノードは、第４のメッセージを第１のノードに送信して、第３のノードが第２のノードとのネットワークへのアクセスに成功した又は呼び出しに成功したことを第１のノードに通知してよい。
【０３１０】
第１のノードは、第２のノードが送信する第４のメッセージを受信する。第２のノードが送信する第４のメッセージを受信した後に、第１のノードは以下に挙げるオペレーションの各段階を用いて、第１のノードと第３のノードとの間のＤ２Ｄ接続のオペレーションを実行する。
【０３１１】
段階Ｓ７：第２のノードは第４のメッセージを第１のノードに送信する。
【０３１２】
任意選択的に、第４のメッセージは、第３のノードがネットワークへのアクセスに成功したことを示すために用いられる。
【０３１３】
任意選択的に、第４のメッセージは、第３のノードの呼び出しに成功したことを示すために用いられる。
【０３１４】
これに対応して、第１のノードは、第２のノードが送信する第４のメッセージを受信する。
【０３１５】
任意選択的に、第１のノードは、第１のノードと第３のノードとの間のＤ２Ｄ接続を解放する。
【０３１６】
任意選択的に、第１のノードは、第１のノードと第３のノードとの間のＤ２Ｄ通信を中断する。
【０３１７】
任意選択的に、第１のノードは、第１のノードと第３のノードとの間のＤ２Ｄ通信を確保する。
【０３１８】
任意選択的に、第１のノードは、第１のノードと第３のノードとの間のＤ２Ｄ接続を維持する。
【０３１９】
段階Ｓ７は、段階２０６ａ、段階２０６ｂ、段階２０６ｄ、段階３０６ａ、段階３０６ｂ、段階４０６ａ、又は段階６０６の後に行われてもよいことに留意されたい。
【０３２０】
あるいは、第１のノードが第２のメッセージを第３のノードに送信した後に、第１のノードと第３のノードとの間のＤ２Ｄ接続のオペレーションを行う権限を第１のノードが持っていない場合、第１のノードは、第５のメッセージを第２のノードに送信して、第１のノードと第３のノードとの間のＤ２Ｄリンクのオペレーションを行うよう第２のノードに指示してもよい。
【０３２１】
段階Ｓ８：第１のノードは第５のメッセージを第２のノードに送信する。
【０３２２】
任意選択的に、第５のメッセージは、第１のノードと第３のノードとの間のＤ２Ｄ接続に関連したコンフィギュレーションを解放するよう指示する。
【０３２３】
任意選択的に、第５のメッセージは、第１のノードと第３のノードとの間のＤ２Ｄ接続を解放するよう指示する。
【０３２４】
これに対応して、第２のノードは、第１のノードが送信する第５のメッセージを受信する。
【０３２５】
任意選択的に、第２のノードは、第１のノードと第３のノードとの間のＤ２Ｄ接続に関連したコンフィギュレーションを解放する。
【０３２６】
任意選択的に、第２のノードは、第１のノードと第３のノードとの間のＤ２Ｄ接続を解放する。
【０３２７】
段階Ｓ８は、段階２０４ａ、段階２０４ｂ、段階２０４ｄ、段階３０４ａ、段階３０４ｂ、又は段階６０４の後に行われてもよいことに留意されたい。
【０３２８】
実行可能な一実施例において、第３のノードを呼び出すために第１のメッセージが用いられるときに、サービス優先度が変わった場合、第１のノードが第２のメッセージを第３のノードに送信するときに、少なくとも以下に挙げる事例が存在する。但し、挙げた事例が限定されることはない。
【０３２９】
第３のノードのサービス優先度は第１の優先度と第２の優先度とを含み、第１の優先度は第２の優先度より高い。第３のノードのサービス優先度が第１の優先度である場合、第１の事例及び第３の事例を参照されたい。第３のノードのサービス優先度が第２の優先度である場合、第２の事例及び第４の事例を参照されたい。
【０３３０】
第１の事例では、第３のノードのサービス優先度が第１の優先度である場合、第１のノードは第２のメッセージを第３のノードに送信する。
【０３３１】
任意選択的に、第２のメッセージは、ネットワークにアクセスするよう第３のノードに指示する。
【０３３２】
第２の事例では、第３のノードのサービス優先度が第２の優先度である場合、第１のノードは第２のメッセージを第３のノードに送信する。
【０３３３】
任意選択的に、第２のメッセージは、第１のノードが第２のノード及び第３のノードに中継サービスを提供することを示す。
【０３３４】
第３の事例では、第３のノードを呼び出すために第１のメッセージが用いられる場合、第３のノードのサービス優先度が第１の優先度であるならば、第２のメッセージは第３のノードのサービス優先度に基づいて第３のノードに送信される。第２のメッセージは、ネットワークにアクセスするよう第３のノードに指示するために用いられる。
【０３３５】
第４の事例では、第３のノードを呼び出すために第１のメッセージが用いられる場合、第３のノードのサービス優先度が第２の優先度であるならば、第２のメッセージは第３のノードのサービス優先度に基づいて第３のノードに送信される。第２のメッセージは、第１のノードと通信を行うよう第３のノードに指示するために用いられる。
【０３３６】
任意選択的に、例えば、第１のメッセージは第３のノードのサービス優先度を含むので、第１のノードは、第３のノードの優先度に従って、第２のメッセージを第３のノードに送信する。
【０３３７】
本明細書において用いられる単数形の用語「１つ（ｏｎｅ）（「ａ」、「ａｎ」、又は「ｔｈｅ」）は、複数形を含むことも意図されていることを理解されたい。但し、例外が文脈において明確に裏付けされる場合を除く。本明細書において用いられる用語「及び／又は」は、１つ又は複数の関連する列挙項目のいずれか又は全ての可能な組み合わせを示し、それらを含むことも理解されたい。
【０３３８】
図１０を参照すると、図１０は、本発明の一実施形態によるデバイスのブロック図を示す。本デバイスは、プロセッサ１０１０、メモリ１０２０、送受信機１０３０、バス、及び他の接続装置を含んでよい。メモリ１０２０及び送受信機１０３０は、バス又は他の接続方式でプロセッサ１０１０に接続されている。プロセッサ１０１０は、１つ又は複数の処理コアを含む。プロセッサ１０１０は、ソフトウェアプログラム及びモジュールを実行することにより、様々な機能アプリケーション及びデータ処理を実行する。プロセッサ１０１０は、アルゴリズム論理コンポーネント、レジスタコンポーネント、及び制御コンポーネントなどを含む。プロセッサ１０１０は、独立した中央演算処理装置であってもよく、又は組み込みプロセッサ、例えば、マイクロプロセッサ（英文：Ｍｉｃｒｏｐｒｏｃｅｓｓｏｒ  Ｕｎｉｔ、略してＭＰＵ）、マイクロコントローラ（英文：Ｍｉｃｒｏｃｏｎｔｒｏｌｌｅｒ  Ｕｎｉｔ、略してＭＣＵ）、若しくはデジタル信号プロセッサ（英文：Ｅｍｂｅｄｄｅｄ  Ｄｉｇｉｔａｌ  Ｓｉｇｎａｌ  Ｐｒｏｃｅｓｓｏｒ、略してＥＤＳＰ）であってもよい。
【０３３９】
メモリ１０２０は、任意のタイプの揮発性記憶装置若しくは不揮発性記憶装置又はこれらの組み合わせによって実現されてよく、例えば、スタティックランダムアクセスメモリ（英文：Ｓｔａｔｉｃ  Ｒａｎｄｏｍ  Ａｃｃｅｓｓ  Ｍｅｍｏｒｙ、略してＳＲＡＭ）、電気的消去可能プログラム可能型リードオンリメモリ（英文：Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、略してＥＥＰＲＯＭ）、消去可能プログラム可能型リードオンリメモリ（英文：Ｅｒａｓａｂｌｅ  Ｐｒｏｇｒａｍｍａｂｌｅ  Ｒｅａｄ  Ｏｎｌｙ  Ｍｅｍｏｒｙ、略してＥＰＲＯＭ）、プログラム可能型リードオンリメモリ（英文：Ｐｒｏｇｒａｍｍａｂｌｅ  Ｒｅａｄ−Ｏｎｌｙ  Ｍｅｍｏｒｙ、略してＰＲＯＭ）、リードオンリメモリ（英文：Ｒｅａｄ  Ｏｎｌｙ  Ｍｅｍｏｒｙ、略してＲＯＭ）、磁気メモリ、フラッシュメモリ、磁気ディスク、又は光ディスクといった記憶装置である。メモリ１０２０は、ソフトウェアプログラム及びモジュールによって実行され得る命令を格納するよう構成されてよい。
【０３４０】
本デバイスは、モバイルデバイス及びネットワークデバイスを含んでよく、モバイルデバイスは第１のノード及び第３のノードであり、ネットワークデバイスは第２のノードである。
【０３４１】
本デバイスがモバイルデバイスである場合、本デバイスはさらに、入力／出力コンポーネント、表示装置、又はマイクなどを含む。入力／出力コンポーネントは、情報を表示するためのディスプレイと、例えば、タッチパネル、物理キーボード、ファンクションキー（例えば、音量調節キー又は電源オン／オフキー）、トラックボール、マウス、及びジョイスティックといった、情報を入力するための１つ又は複数の入力装置とを含む。表示装置は、ユーザが入力する情報又はユーザに提供される情報、及びモバイルデバイスの様々なメニューを表示するように構成される。表示装置は、表示パネル４４１を含んでよい。任意選択的に、表示パネルは、液晶ディスプレイ（英文：Ｌｉｑｕｉｄ  Ｃｒｙｓｔａｌ  Ｄｉｓｐｌａｙ、略してＬＣＤ）又は有機発光ダイオード（英文：Ｏｒｇａｎｉｃ  Ｌｉｇｈｔ−Ｅｍｉｔｔｉｎｇ  Ｄｉｏｄｅ、略してＯＬＥＤ）などの形で構成されてよい。マイクは、ユーザと本デバイスとの間の音声インタフェースを提供し得る。表示装置及び入力装置は両方とも、バス又は他の接続方式でプロセッサ１０１０に接続される。
【０３４２】
本デバイスがネットワークデバイスである場合、本デバイスはさらに、電力コンポーネント、有線ネットワークインタフェース又は無線ネットワークインタフェース、及び入力／出力（Ｉ／Ｏ）インタフェースなどを含む。電力コンポーネントは、本デバイスに電力管理機能を提供するように構成される。有線ネットワークインタフェース又は無線ネットワークインタフェースは、本デバイスをネットワークに接続するように構成される。
【０３４３】
図１１を参照すると、図１１は、本発明の一実施形態による通信装置のブロック図を示す。本通信装置は、ソフトウェア、ハードウェア、又はそれらの組み合わせで実現されて、第１のノードの全て又は一部になり得る。第１のノードは、受信ユニット１１０１、実行ユニット１１０２、及び送信ユニット１１０３を含んでよい。
【０３４４】
受信ユニット１１０１は、前述の段階２０２の機能を実現するように構成される。
【０３４５】
実行ユニット１１０２は、前述の段階２０３の機能を実現するように構成される。
【０３４６】
送信ユニット１１０３は、前述の段階２０４ａ〜段階２０４ｄのうちの少なくとも１つの段階の機能を実現するように構成される。
【０３４７】
詳細については、前述の方法の実施形態を参照されたい。
【０３４８】
別の任意選択の実施形態において、受信ユニット１１０１は、段階３０２、段階４０２、段階５０２、及び段階６０２のうちの少なくとも１つの段階の機能を実現するように構成される。
【０３４９】
実行ユニット１１０２は、段階３０３、段階４０３、段階５０３、及び段階６０３のうちの少なくとも１つの段階の機能を実現するように構成される。
【０３５０】
送信ユニット１１０３は、前述の段階３０４ａ〜段階３０４ｂ、段階４０４ａ〜段階４０４ｂ、段階５０４、段階６０４、段階Ｓ１、段階Ｓ３、段階Ｓ４、及び段階７０２のうちの少なくとも１つの段階の機能を実現するように構成される。
【０３５１】
受信ユニット１１０１及び送信ユニット１１０３は、モバイルデバイスの送受信機を用いて実現されてよく、実行ユニット１１０２は、モバイルデバイスのプロセッサを用いて実現されてよいことに留意されたい。
【０３５２】
図１２を参照すると、図１２は、本発明の別の実施形態による通信装置のブロック図を示す。本通信装置は、ソフトウェア、ハードウェア、又はそれらの組み合わせで実現されて、第３のノードの全て又は一部になり得る。第３のノードは、受信ユニット１２０１、実行ユニット１２０２、及び送信ユニット１２０３を含んでよい。
【０３５３】
受信ユニット１２０１は、前述の段階２０５ａ〜段階２０５ｄのうちの少なくとも１つの段階の機能を実現するように構成される。
【０３５４】
実行ユニット１２０２は、前述の段階２０６ａ〜段階２０６ｄのうちの少なくとも１つの段階の機能を実現するように構成される。
【０３５５】
送信ユニット１２０３は、前述の段階８０１ａ〜段階８０１ｂのうちの少なくとも１つの段階の機能を実現するように構成される。
【０３５６】
詳細については、前述の方法の実施形態を参照されたい。
【０３５７】
別の任意選択の実施形態において、受信ユニット１２０１は、段階３０５ａ〜段階３０５ｂ、段階４０５ａ〜段階４０５ｂ、段階５０５、及び段階６０５のうちの少なくとも１つの段階の機能を実現するように構成される。
【０３５８】
実行ユニット１２０２は、段階３０６ａ〜段階３０６ｂ、段階４０６ａ〜段階４０６ｂ、段階５０６、段階６０６、段階７０３、及び段階７０４のうちの少なくとも１つの段階の機能を実現するように構成される。
【０３５９】
送信ユニット１２０３は、前述の段階Ｓ２の機能を実現するように構成される。
【０３６０】
受信ユニット１２０１及び送信ユニット１２０３は、モバイルデバイスの送受信機を用いて実現されてよく、実行ユニット１２０２は、モバイルデバイスのプロセッサを用いて実現されてよいことに留意されたい。
【０３６１】
図１３を参照すると、図１３は、本発明のさらに別の実施形態による通信装置のブロック図を示す。本通信装置は、ソフトウェア、ハードウェア、又はそれらの組み合わせで実現されて、第２のノードの全て又は一部になり得る。第２のノードは送信ユニット１３０１を含んでよい。
【０３６２】
送信ユニット１３０１は、前述の段階２０１の機能を実現するように構成される。
【０３６３】
詳細については、前述の方法の実施形態を参照されたい。
【０３６４】
別の任意選択の実施形態において、送信ユニット１３０１は、前述の段階３０１、段階４０１、段階５０１、段階６０１、及び段階７０１のうちの少なくとも１つの段階の機能を実現するように構成される。
【０３６５】
送信ユニット１３０１は、ネットワークデバイスの送受信機を用いて実現されてよいことに留意されたい。
【０３６６】
前述の本発明の実施形態の連続番号は、単に例示目的のためのものであり、実施形態の優先度を示すことを意図するものではない。
【０３６７】
当業者であれば、各実施形態の段階のうち全て又は一部が、ハードウェア又は関連ハードウェアに命令するプログラムによって実現されてよいことを理解するであろう。このプログラムは、コンピュータ可読記憶媒体に格納されてよい。この記憶媒体は、リードオンリメモリ、磁気ディスク、又は光ディスクを含んでよい。
【０３６８】
前述の説明は、単に本発明の例示的な実施形態に過ぎず、本発明の限定を意図するものではない。本発明の意図及び原理から逸脱することなく行われる、いかなる修正、均等物による置き換え、及び改善も本発明の保護範囲に含まれることになる。
【図１】
2019525624.tif 000003
【図２Ａ】
2019525624.tif 000004
【図２Ｂ】
2019525624.tif 000005
【図２Ｃ】
2019525624.tif 000006
【図３】
2019525624.tif 000007
【図４Ａ】
2019525624.tif 000008
【図４Ｂ】
2019525624.tif 000009
【図５】
2019525624.tif 000010
【図６】
2019525624.tif 000011
【図７】
2019525624.tif 000012
【図８】
2019525624.tif 000013
【図９】
2019525624.tif 000014
【図１０】
2019525624.tif 000015
【図１１】
2019525624.tif 000016
【図１２】
2019525624.tif 000017
【図１３】
2019525624.tif 000018
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
デバイス間通信システムにおける第１のユーザ機器に適用される通信方法であって、
前記通信方法は、
前記第１のユーザ機器又は第３のユーザ機器のページング期間に、基地局から第１のメッセージを受信する段階であって、前記第１のメッセージは、前記第３のユーザ機器のサービス優先度を含み、前記第３のユーザ機器を呼び出して前記基地局と通信するよう指示し、前記基地局は前記第１のユーザ機器にサービスを提供する、段階と、
前記第１のユーザ機器と前記第３のユーザ機器との間のデバイス間接続において、前記第３のユーザ機器の前記サービス優先度に基づいて、第２のメッセージを前記第３のユーザ機器に送信する段階であって、前記第２のメッセージは、前記基地局にアクセスするか、又は前記第１のユーザ機器の中継サービスを通じて前記基地局と通信するよう前記第３のユーザ機器に指示する、段階と
を備える、通信方法。
【請求項２】
前記通信方法はさらに、
前記第３のユーザ機器が前記基地局へのアクセスに成功した場合、前記第１のユーザ機器と前記第３のユーザ機器との間の前記デバイス間接続を解放する段階を備える、請求項１に記載の通信方法。
【請求項３】
前記通信方法はさらに、
前記第３のユーザ機器が前記基地局へのアクセスに成功したことを伝える第３のメッセージを前記第３のユーザ機器から受信する段階を備える、請求項２に記載の通信方法。
【請求項４】
前記通信方法はさらに、
前記第１のユーザ機器と前記第３のユーザ機器との間の前記デバイス間接続を解放するように指示する第４のメッセージを前記基地局から受信する段階を備える、請求項１から３のいずれか一項に記載の通信方法。
【請求項５】
前記通信方法はさらに、
前記第１のユーザ機器と前記第３のユーザ機器との間の前記デバイス間接続の関連コンフィギュレーションを解放するよう前記基地局に指示する第５のメッセージを前記基地局に送信する段階を備える、請求項１から４のいずれか一項に記載の通信方法。
【請求項６】
デバイス間通信システムにおける第１のユーザ機器であって、
前記第１のユーザ機器又は第３のユーザ機器のページング期間に、基地局から第１のメッセージを受信するための手段であって、前記第１のメッセージは、前記第３のユーザ機器のサービス優先度を含み、前記第３のユーザ機器を呼び出して前記基地局と通信するよう指示し、前記基地局は前記第１のユーザ機器にサービスを提供する、手段と、
前記第１のユーザ機器と前記第３のユーザ機器との間のデバイス間接続において、前記第３のユーザ機器の前記サービス優先度に基づいて、第２のメッセージを前記第３のユーザ機器に送信するための手段であって、前記第２のメッセージは、前記基地局にアクセスするか、又は前記第１のユーザ機器の中継サービスを通じて前記基地局と通信するよう前記第３のユーザ機器に指示する、手段と
を備える、第１のユーザ機器。
【請求項７】
前記第１のユーザ機器はさらに、
前記第３のユーザ機器が前記基地局へのアクセスに成功した場合、前記第１のユーザ機器と前記第３のユーザ機器との間の前記デバイス間接続を解放するための手段を備える、請求項６に記載の第１のユーザ機器。
【請求項８】
前記第１のユーザ機器はさらに、
前記第３のユーザ機器が前記基地局へのアクセスに成功したことを伝える第３のメッセージを前記第３のユーザ機器から受信するための手段を備える、請求項７に記載の第１のユーザ機器。
【請求項９】
前記第１のユーザ機器はさらに、
前記第１のユーザ機器と前記第３のユーザ機器との間の前記デバイス間接続を解放するように指示する第４のメッセージを前記基地局から受信するための手段を備える、請求項６に記載の第１のユーザ機器。
【請求項１０】
前記第１のユーザ機器はさらに、
前記第１のユーザ機器と前記第３のユーザ機器との間の前記デバイス間接続の関連コンフィギュレーションを解放するよう前記基地局に指示する第５のメッセージを前記基地局に送信するための手段を備える、請求項６に記載の第１のユーザ機器。
【請求項１１】
請求項１から５のいずれか一項に記載の通信方法をコンピュータに実行させる、プログラム。
【手続補正２】
【補正対象書類名】明細書
【補正対象項目名】００４５
【補正方法】変更
【補正の内容】
【００４５】
第３のノードを呼び出すために第１のメッセージが用いられる場合、第３のノードは、第２のノードが直接送信するか又は中継する第１のメッセージを受信することにより、遅滞なく第２のノードにアクセスすることができるので、第２のノードが送信するページングメッセージを継続してリッスンする必要はない。これにより、第３のノードがリッスンするために電力消費を発生させないようにする。
【手続補正３】
【補正対象書類名】明細書
【補正対象項目名】００４６
【補正方法】変更
【補正の内容】
【００４６】
ネットワークにアクセスするよう第３のノードに指示するために第１のメッセージが用いられる場合、第３のノードは、第２のノードが直接送信するか又は中継する第１のメッセージを受信することができるので、第２のノードが送信するネットワークアクセスメッセージを継続してリッスンする必要はない。これにより、第３のノードが第２のノードをリッスンするプロセスを効果的に回避し、第３のノードがリッスンするために電力消費を発生させないようにする。
【手続補正４】
【補正対象書類名】明細書
【補正対象項目名】００８６
【補正方法】変更
【補正の内容】
【００８６】
第３のノード１６０が第２のノード１４０のカバレッジの外に配置されている場合、第１のノード１２０は中継サービスを第３のノード１６０に提供する。
【手続補正５】
【補正対象書類名】明細書
【補正対象項目名】００８７
【補正方法】変更
【補正の内容】
【００８７】
第１のノード１２０が第３のノードに中継サービスを提供するための前提条件は、第１のノード１２０が第２のノード１４０のカバレッジ内に配置されていなければならないということであることに留意されたい。
【手続補正６】
【補正対象書類名】明細書
【補正対象項目名】００９３
【補正方法】変更
【補正の内容】
【００９３】
任意選択的に、第１のメッセージは以下に挙げるもの、すなわち、第１のノードの識別子、第３のノードの識別子、システム情報更新指示、システム情報、ページング指示、第３のノードのサービスタイプ、及び第３のノードのサービス優先度のうちの少なくとも１つを含む。第１のメッセージは、第３のノードに関連したフィールド、例えば、マスター情報ブロック（英文：Ｍａｓｔｅｒ  Ｉｎｆｏｒｍａｔｉｏｎ  Ｂｌｏｃｋ、略してＭＩＢ）、及びシステム情報ブロック（英文：Ｓｙｓｔｅｍ  Ｉｎｆｏｒｍａｔｉｏｎ  Ｂｌｏｃｋ、略してＳＩＢ）を搬送する。
【手続補正７】
【補正対象書類名】明細書
【補正対象項目名】０１２１
【補正方法】変更
【補正の内容】
【０１２１】
この実施形態において言及される「局が送信するシステム情報を受信する」、「局が送信するページングメッセージを受信する」、又は「局が送信する同期信号を受信する」にある局とは、基地局、例えば、ＬＴＥにおけるｅＮＢ、ＷＣＤＭＡ（登録商標）におけるＮｏｄｅＢ、又はＧＳＭ（登録商標）若しくはＣＤＭＡにおけるＢＴＳ、又はマイクロセルであることに留意されたい。局の基地局タイプは、この実施形態において限定されることはない。
【手続補正８】
【補正対象書類名】明細書
【補正対象項目名】０３６８
【補正方法】変更
【補正の内容】
【０３６８】
前述の説明は、単に本発明の例示的な実施形態に過ぎず、本発明の限定を意図するものではない。本発明の意図及び原理から逸脱することなく行われる、いかなる修正、均等物による置き換え、及び改善も本発明の保護範囲に含まれることになる。
（項目１）
第１のノードに適用される通信方法であって、
上記方法は、第２のメッセージを第３のノードに送信する段階を備え、
上記第２のメッセージは、ネットワークにアクセスするよう上記第３のノードに指示するか、又は上記第１のノードを用いて第２のノードと通信を行うよう上記第３のノードに指示するか、又は上記第３のノードを低コンフィギュレーションモードに設定するよう指示するか、又は上記第３のノードを高コンフィギュレーションモードに設定するよう指示するか、又はシステム情報を更新するよう上記第３のノードに指示するために用いられ、
上記第２のノードは上記第１のノードのサービングノードであるか、又は上記第２のノードは上記第３のノードのサービング局であるか、又は上記第２のノードは上記第１のノード及び上記第３のノードのサービング局である、方法。
（項目２）
第２のメッセージを第３のノードに送信する上記段階の前に、
上記方法は、
上記第２のノードが送信する第１のメッセージを受信する段階であって、上記第１のメッセージは、上記第３のノードを呼び出すか、又は上記ネットワークにアクセスするよう上記第３のノードに指示するか、又は中継サービスを上記第３のノードに提供するよう上記第１のノードに指示するか、又は上記第３のノードを上記低コンフィギュレーションモードに設定するよう指示するか、又は上記第３のノードを上記高コンフィギュレーションモードに設定するよう指示するか、又は上記システム情報を更新するよう指示するために用いられる、段階と、
上記第１のメッセージに基づいて上記第２のメッセージを上記第３のノードに送信する段階と
を備える、項目１に記載の方法。
（項目３）
上記第２のメッセージを上記第３のノードに送信する上記段階は、
上記ネットワークにアクセスするよう上記第３のノードに指示するために上記第１のメッセージが用いられる場合、上記第２のメッセージを上記第３のノードに送信する段階であって、上記第２のメッセージは、上記第２のノードへの通信接続を確立するよう上記第３のノードに指示するために用いられる、段階、又は、
上記第３のノードを呼び出すために上記第１のメッセージが用いられる場合、上記第２のメッセージを上記第３のノードに送信する段階であって、上記第２のメッセージは、上記ネットワークにアクセスするよう上記第３のノードに指示するか、若しくは上記第１のノードと通信を行うよう上記第３のノードに指示するために用いられる、段階、又は、
上記中継サービスを上記第３のノードに提供するよう上記第１のノードに指示するために上記第１のメッセージが用いられる場合、上記第２のメッセージを上記第３のノードに送信する段階であって、上記第２のメッセージは、上記第１のノードと通信を行うよう上記第３のノードに指示するために用いられる、段階、又は、
上記第３のノードを上記低コンフィギュレーションモードに設定するよう指示するために上記第１のメッセージが用いられる場合、上記第２のメッセージを上記第３のノードに送信する段階であって、上記第２のメッセージは、上記第３のノードを上記低コンフィギュレーションモードに設定するよう指示するために用いられる、段階、又は、
上記第３のノードを上記高コンフィギュレーションモードに設定するよう指示するために上記第１のメッセージが用いられる場合、上記第２のメッセージを上記第３のノードに送信する段階であって、上記第２のメッセージは、上記第３のノードを上記高コンフィギュレーションモードに設定するよう指示するために用いられる、段階、又は、
上記システム情報を更新するよう指示するために上記第１のメッセージが用いられる場合、上記第２のメッセージを上記第３のノードに送信する段階であって、上記第２のメッセージは、上記システム情報を更新するよう上記第３のノードに指示するために用いられる、段階
を有する、項目２に記載の方法。
（項目４）
上記第１のメッセージが上記第３のノードを呼び出すために用いられる場合、
上記方法は、
上記第３のノードを呼び出すために上記第１のメッセージが用いられる場合、上記第３のノードのサービス優先度に基づいて上記第２のメッセージを上記第３のノードに送信する段階を備え、上記第２のメッセージは、上記ネットワークにアクセスするよう上記第３のノードに指示するか、又は上記第１のノードと通信を行うよう上記第３のノードに指示するために用いられる、項目２又は３に記載の方法。
（項目５）
上記方法はさらに、
上記第３のノードが送信する第６のメッセージを受信する段階であって、上記第６のメッセージは、上記第３のノードが上記第１のノードからページングメッセージを受信することを示すか、又は上記第３のノードが上記第１のノードから上記システム情報を受信することを示すか、又は上記第３のノードのモードが上記高コンフィギュレーションモードに設定されることを示すか、又は上記第３のノードのモードが上記低コンフィギュレーションモードに設定されることを示すために用いられる、段階、又は、
第７のメッセージを上記第３のノードに送信する段階であって、上記第７のメッセージは、上記第１のノードからページングメッセージを受信するよう上記第３のノードに指示するか、又は上記第１のノードから上記システム情報を受信するよう上記第３のノードに指示するか、又は上記第３のノードのモードを上記高コンフィギュレーションモードに設定するよう指示するか、又は上記第３のノードのモードを上記低コンフィギュレーションモードに設定するよう指示する、段階
を備える、項目１に記載の方法。
（項目６）
上記第２のメッセージは、以下に挙げるもの、すなわち、上記第１のノードの識別子、上記第１のノードの識別子、上記第３のノードの識別子、システム情報更新指示、上記システム情報、ページング指示、上記第３のノードのサービスタイプ、及び上記第３のノードの上記サービス優先度のうちの少なくとも１つを含む、項目１から５のいずれか一項に記載の方法。
（項目７）
第３のノードに適用される通信方法であって、
上記方法は、
第１のノード又は第２のノードが送信する第２のメッセージを受信する段階であって、上記第２のメッセージは、ネットワークにアクセスするよう上記第３のノードに指示するか、又は上記第１のノードと通信を行うよう上記第３のノードに指示するか、又は上記第３のノードを高コンフィギュレーションモードに設定するよう指示するか、又は上記第３のノードを低コンフィギュレーションモードに設定するよう指示するか、又はシステム情報を更新するよう指示するために用いられる、段階と、
上記第２のメッセージに従って通信を行う段階と
を備え、
上記第２のノードは上記第１のノードのサービング局であるか、又は上記第２のノードは上記第３のノードのサービング局であるか、又は上記第２のノードは上記第１のノード及び上記第３のノードのサービング局である、方法。
（項目８）
上記第２のメッセージに従って通信を行う上記段階は、
上記ネットワークにアクセスするよう上記第３のノードに指示するために上記第２のメッセージが用いられる場合、上記ネットワークにアクセスするか、若しくは上記第２のノードにアクセスして上記第２のノードと通信を行う段階、又は、
上記第１のノードと通信を行うよう上記第３のノードに指示するために上記第２のメッセージが用いられる場合、上記第１のノードとＤ２Ｄ通信を行うか、若しくは上記第３のノードが上記第１のノードへのデバイス間Ｄ２Ｄ接続を確立しているかどうかを検出して、上記第３のノードが上記第１のノードへのＤ２Ｄ接続を確立していない場合には上記第１のノードへのＤ２Ｄ接続を確立し、若しくは上記第３のノードが上記第１のノードへのＤ２Ｄ接続を確立している場合には上記第１のノードとＤ２Ｄ通信を行う段階、又は、
上記第２のメッセージが上記第３のノードを上記高コンフィギュレーションモードに設定するよう指示した場合、上記第３のノードの通信モードを上記高コンフィギュレーションモードに設定する段階、又は、
上記第２のメッセージが上記第３のノードを上記低コンフィギュレーションモードに設定するよう指示した場合、上記第３のノードの通信モードを上記低コンフィギュレーションモードに設定する段階、又は、
上記第２のメッセージが上記システム情報を更新するよう上記第３のノードに指示した場合、上記システム情報をリッスンして、上記システム情報を更新するか、若しくは上記第３のノードの通信モードを上記高コンフィギュレーションモードに設定する段階
を有する、項目７に記載の方法。
（項目９）
第１のノードが送信する第２のメッセージを受信する上記段階の後に、
上記方法はさらに、
第３のメッセージを上記第１のノードに送信する段階、又は、
上記第２のメッセージの受信から始まる所定の期間内に上記ネットワークへのアクセスに成功した場合、若しくは上記第２のノードへの通信接続の確立に成功した場合、第３のメッセージを上記第１のノードに送信する段階
を備え、
上記第３のメッセージは、上記第３のノードが上記ネットワークへのアクセスに成功したことを示すか、又は上記第３のノードの呼び出しに成功したことを示すか、又は上記第３のノードが上記第２のノードへの上記通信接続の確立に成功したことを示すか、又は上記第３のノードが既に上記高コンフィギュレーションモードに設定されていることを示すか、又は上記第１のノードと通信を行うことを確認して返信するために用いられるか、又は上記第３のノードが上記システム情報を更新したことを示すために用いられる、項目７又は８に記載の方法。
（項目１０）
上記方法はさらに、
第１のノードが送信する第２のメッセージを受信する上記段階の前に、上記第３のノードは低コンフィギュレーションモードにある段階、又は、
第１のノードが送信する第２のメッセージを受信する上記段階の後に、上記第３のノードの通信モードを上記低コンフィギュレーションモードに設定するか、若しくは上記第３のノードを上記高コンフィギュレーションモードに設定する段階、又は、
第１のノードが送信する第２のメッセージを受信する上記段階の間に、上記第３のノードは低コンフィギュレーションモードにある段階
を備える、項目７に記載の方法。
（項目１１）
上記システム情報をリッスンする上記段階の後に、
上記方法はさらに、
上記システム情報を更新した後に、上記第３のノードを上記低コンフィギュレーションモードに設定する段階、又は、
上記システム情報を更新して上記第３のノードが所定の条件を満たした後に、上記第３のノードを上記低コンフィギュレーションモードに設定する段階
を備える、項目８に記載の方法。
（項目１２）
上記方法はさらに、
第６のメッセージを上記第１のノードに送信する段階であって、上記第６のメッセージは、上記第３のノードが上記第１のノードからページングメッセージを受信することを示すか、若しくは上記第３のノードが上記第１のノードから上記システム情報を受信することを示すか、若しくは上記第３のノードのモードが上記高コンフィギュレーションモードに設定されることを示すか、若しくは上記第３のノードのモードが上記低コンフィギュレーションモードに設定されることを示すために用いられる、段階、又は、
上記第１のノードもしくは上記第２のノードが送信する第７のメッセージを受信する段階であって、上記第７のメッセージは、上記第１のノードからページングメッセージを受信するよう上記第３のノードに指示するか、若しくは上記第１のノードから上記システム情報を受信するよう上記第３のノードに指示するか、若しくは上記第３のノードのモードを上記高コンフィギュレーションモードに設定するよう指示するか、若しくは上記第３のノードのモードを上記低コンフィギュレーションモードに設定するよう指示するために用いられる、段階
を備える、項目７に記載の方法。
（項目１３）
上記低コンフィギュレーションモードは以下に挙げることのうちの少なくとも１つであり、それらは、
上記第３のノードは上記第１のノードのカバレッジ内に留まること、又は、
上記第３のノードは上記第１のノードが送信する情報のみを受信すること、又は、
上記第３のノードは上記第１のノードが送信するシグナリング及び／若しくはデータのみを受信すること、又は、
上記第３のノードはＤ２Ｄ通信ノードが送信するシグナリング及び／若しくはデータのみを受信すること、又は、
上記第３のノードは上記第１のノードが送信するシグナリング及び／若しくはデータを受信すること、又は、
上記第３のノードはＤ２Ｄ通信ノードが送信するシグナリング及び／若しくはデータを受信すること、又は、
上記第３のノードは上記第１のノードが送信するページングメッセージを受信すること、又は、
上記第３のノードは上記第１のノードが送信する上記システム情報を受信すること、又は、
上記第３のノードは上記第１のノードが送信する同期信号を受信すること、又は、
上記第３のノードはセルが送信するシステム情報を受信しないこと、又は、
上記第３のノードはセルが送信するページングメッセージを受信しないこと、又は、
上記第３のノードはセルが送信する同期信号を受信しないこと、又は、
上記第３のノードは上記第１のノードが送信する情報を受信するが、以下に挙げるオペレーション、すなわち、セルのカバレッジ内に留まること、セルが送信するシステム情報を受信すること、セルが送信するページングメッセージを受信すること、セルが送信する同期信号を受信すること、局が送信するシステム情報を受信すること、局が送信するページングメッセージを受信すること、局が送信する同期信号を受信すること、隣接セル測定を行うこと、同一周波数内セル測定を行うこと、及び異周波数間セル測定を行うことのうちの少なくとも１つを行わないこと、又は、
上記第３のノードはＤ２Ｄ通信ノードが送信する情報を受信するが、以下に挙げるオペレーション、すなわち、セルのカバレッジ内に留まること、セルが送信するシステム情報を受信すること、セルが送信するページングメッセージを受信すること、セルが送信する同期信号を受信すること、局が送信するシステム情報を受信すること、局が送信するページングメッセージを受信すること、局が送信する同期信号を受信すること、隣接セル測定を行うこと、同一周波数内セル測定を行うこと、及び異周波数間セル測定を行うことのうちの少なくとも１つを行わないことであり、
上記高コンフィギュレーションモードは以下に挙げることのうちの少なくとも１つを含み、それらは、
上記第３のノードは、セルのカバレッジ内に留まること、又はセルが送信するシステム情報を受信すること、又はセルが送信する同期信号を受信すること、又はセルが送信するページングメッセージを受信すること、又は局が送信するシステム情報を受信すること、又は局が送信する同期信号を受信すること、又は局が送信するページングメッセージを受信すること、又はセル選択を行うこと、若しくはセル再選択を行うこと、又は隣接セル測定を行うこと、又は同一周波数内セル測定を行うこと、又は異周波数間セル測定を行うことである、項目７から１２のいずれか一項に記載の方法。
（項目１４）
第２のノードに適用される通信方法であって、
上記方法は、
第１のメッセージを第１のノード又は第３のノードに送信する段階であって、上記第１のメッセージは、上記第３のノードを呼び出すために用いられるか、又はネットワークにアクセスするよう上記第３のノードに指示するために用いられるか、又は上記第２のノードと通信を行うよう上記第３のノードに指示するために用いられるか、又は中継サービスを上記第３のノードに提供するよう上記第１のノードに指示するために用いられるか、又は上記第３のノードを高コンフィギュレーションモードに設定するよう指示するために用いられるか、又は上記第３のノードを低コンフィギュレーションモードに設定するよう指示するために用いられるか、又はシステム情報を更新するよう指示するために用いられる、段階と、
上記第１のメッセージに基づいて通信を行う段階と
を備え、
上記第１のノードは上記中継サービスを上記第３のノードに提供し、上記第２のノードは上記第１のノードのサービング局であるか、又は上記第２のノードは上記第３のノードのサービング局であるか、又は上記第２のノードは上記第１のノード及び上記第３のノードのサービング局である、方法。
（項目１５）
上記方法はさらに、
第１０のメッセージを受信する段階であって、上記第１０のメッセージは、上記第３のノードと上記第１のノードとの間のペアリング情報を示すために用いられる、段階、及び／又は、
第８のメッセージをＭＭＥに送信する段階であって、上記第８のメッセージは、上記第３のノードに関する情報及び上記第１のノードに関する情報を上記ＭＭＥに通知するために用いられ、上記第１のノードは上記第３のノードの中継ノードである、段階、及び／又は、
上記ＭＭＥが送信する第９のメッセージを受信する段階であって、上記第９のメッセージは上記第１のノードを呼び出すよう上記第２のノードに指示するために用いられ、上記第９のメッセージは上記第３のノード及び上記第１のノードに関する情報を含む、段階
を備える、項目１４に記載の方法。
（項目１６）
上記第１のメッセージは、以下に挙げるもの、すなわち、上記第１のノードの識別子、上記第１のノードの識別子、上記第３のノードの識別子、システム情報更新指示、システム情報、ページング指示、上記第３のノードのサービスタイプ、及び上記第３のノードのサービス優先度のうちの少なくとも１つを含む、項目１４又は１５に記載の方法。
（項目１７）
第１のノードであって、上記第１のノードは、プロセッサと、メモリと、送受信機とを備え、上記メモリは１つ又は複数の命令を格納するように構成され、上記命令は上記プロセッサによって実行されるように構成され、
上記プロセッサは、第２のメッセージを第３のノードに送信するように構成され、上記第２のメッセージは、ネットワークにアクセスするよう上記第３のノードに指示するか、又は上記第１のノードを用いて第２のノードと通信を行うよう上記第３のノードに指示するか、又は上記第３のノードを低コンフィギュレーションモードに設定するよう指示するか、又は上記第３のノードを高コンフィギュレーションモードに設定するよう指示するか、又はシステム情報を更新するよう上記第３のノードに指示するために用いられ、
上記第２のノードは上記第１のノードのサービング局であるか、又は上記第２のノードは上記第３のノードのサービング局であるか、又は上記第２のノードは上記第１のノード及び上記第３のノードのサービング局である、第１のノード。
（項目１８）
上記プロセッサはさらに、
上記第２のノードが送信する第１のメッセージを受信することであって、上記第１のメッセージは、上記第３のノードを呼び出すために上記第１のメッセージが用いられることを示すか、又は上記ネットワークにアクセスするよう上記第３のノードに指示するか、又は中継サービスを上記第３のノードに提供するよう上記第１のノードに指示するか、又は上記第３のノードを上記低コンフィギュレーションモードに設定するよう指示するか、又は上記第３のノードを上記高コンフィギュレーションモードに設定するよう指示するか、又は上記システム情報を更新するよう指示するために用いられる、受信することと、
上記第１のメッセージに基づいて、上記第２のメッセージを上記第３のノードに送信することと
を行うように構成される、項目１７に記載の第１のノード。
（項目１９）
上記プロセッサはさらに、
上記ネットワークにアクセスするよう上記第３のノードに指示するために上記第１のメッセージが用いられる場合、上記第２のメッセージを上記第３のノードに送信することであって、上記第２のメッセージは、上記第２のノードへの通信接続を確立するよう上記第３のノードに指示するために用いられる、送信すること、又は、
上記第３のノードを呼び出すために上記第１のメッセージが用いられる場合、上記第２のメッセージを上記第３のノードに送信することであって、上記第２のメッセージは、上記ネットワークにアクセスするよう上記第３のノードに指示するか、若しくは上記第１のノードと通信を行うよう上記第３のノードに指示するために用いられる、送信すること、又は、
上記中継サービスを上記第３のノードに提供するよう上記第１のノードに指示するために上記第１のメッセージが用いられる場合、上記第２のメッセージを上記第３のノードに送信することであって、上記第２のメッセージは、上記第１のノードと通信を行うよう上記第３のノードに指示するために用いられる、送信すること、又は、
上記第３のノードを上記低コンフィギュレーションモードに設定するよう指示するために上記第１のメッセージが用いられる場合、上記第２のメッセージを上記第３のノードに送信することであって、上記第２のメッセージは、上記第３のノードを上記低コンフィギュレーションモードに設定するよう指示するために用いられる、送信すること、又は、
上記第３のノードを上記高コンフィギュレーションモードに設定するよう指示するために上記第１のメッセージが用いられる場合、上記第２のメッセージを上記第３のノードに送信することであって、上記第２のメッセージは、上記第３のノードを上記高コンフィギュレーションモードに設定するよう指示するために用いられる、送信すること、又は、
上記システム情報を更新するよう指示するために上記第１のメッセージが用いられる場合、上記第２のメッセージを上記第３のノードに送信することであって、上記第２のメッセージは、上記システム情報を更新するよう上記第３のノードに指示するために用いられる、送信すること
を行うように構成される、項目１８に記載のネットワーク制御装置。
（項目２０）
上記プロセッサはさらに、
上記第３のノードを呼び出すために上記第１のメッセージが用いられる場合、上記第３のノードのサービス優先度に基づいて、上記第２のメッセージを上記第３のノードに送信するように構成され、上記第２のメッセージは、上記ネットワークにアクセスするよう上記第３のノードに指示するか、又は上記第１のノードと通信を行うよう上記第３のノードに指示するために用いられる、項目１８又は１９に記載の第１のノード。
（項目２１）
上記プロセッサはさらに、
上記第３のノードが送信する第６のメッセージを受信することであって、上記第６のメッセージは、上記第３のノードが上記第１のノードからページングメッセージを受信することを示すか、又は上記第３のノードが上記第１のノードから上記システム情報を受信することを示すか、又は上記第３のノードのモードが上記高コンフィギュレーションモードに設定されることを示すか、又は上記第３のノードのモードが上記低コンフィギュレーションモードに設定されることを示すために用いられる、受信すること、又は、
第７のメッセージを上記第３のノードに送信することであって、上記第７のメッセージは、上記第１のノードからページングメッセージを受信するよう上記第３のノードに指示するか、又は上記第１のノードから上記システム情報を受信するよう上記第３のノードに指示するか、又は上記第３のノードのモードを上記高コンフィギュレーションモードに設定するよう指示するか、又は上記第３のノードのモードを上記低コンフィギュレーションモードに設定するよう指示する、送信すること
を行うように構成される、項目１７に記載の第１のノード。
（項目２２）
上記第２のメッセージは、以下に挙げるもの、すなわち、上記第１のノードの識別子、上記第１のノードの識別子、上記第３のノードの識別子、システム情報更新指示、上記システム情報、ページング指示、上記第３のノードのサービスタイプ、及び上記第３のノードの上記サービス優先度のうちの少なくとも１つを含む、項目１７から２１のいずれか一項に記載の第１のノード。
（項目２３）
第３のノードであって、上記第３のノードは、プロセッサと、メモリと、送受信機とを備え、上記メモリは１つ又は複数の命令を格納するように構成され、上記命令は上記プロセッサによって実行されるように構成され、
上記プロセッサは、
第１のノード又は第２のノードが送信する第２のメッセージを受信することであって、上記第２のメッセージは、ネットワークにアクセスするよう上記第３のノードに指示するか、又は上記第１のノードと通信を行うよう上記第３のノードに指示するか、又は上記第３のノードを高コンフィギュレーションモードに設定するよう指示するか、又は上記第３のノードを低コンフィギュレーションモードに設定するよう指示するか、又はシステム情報を更新するよう指示するために用いられる、受信することと、
上記第２のメッセージに従って通信を行うことと
を行うように構成され、
上記第２のノードは上記第１のノードのサービング局であるか、又は上記第２のノードは上記第３のノードのサービング局であるか、又は上記第２のノードは上記第１のノード及び上記第３のノードのサービング局である、第３のノード。
（項目２４）
上記プロセッサはさらに、
上記ネットワークにアクセスするよう上記第３のノードに指示するために上記第２のメッセージが用いられる場合、上記ネットワークにアクセスするか、若しくは上記第２のノードにアクセスして上記第２のノードと通信を行う、又は、
上記第１のノードと通信を行うよう上記第３のノードに指示するために上記第２のメッセージが用いられる場合、上記第１のノードとＤ２Ｄ通信を行うか、若しくは上記第３のノードが上記第１のノードへのデバイス間Ｄ２Ｄ接続を確立しているかどうかを検出して、上記第３のノードが上記第１のノードへのＤ２Ｄ接続を確立していない場合には上記第１のノードへのＤ２Ｄ接続を確立し、若しくは上記第３のノードが上記第１のノードへのＤ２Ｄ接続を確立している場合には上記第１のノードとＤ２Ｄ通信を行う、又は、
上記第２のメッセージが上記第３のノードを上記高コンフィギュレーションモードに設定するよう指示する場合、上記第３のノードの通信モードを上記高コンフィギュレーションモードに設定する、又は、
上記第２のメッセージが上記第３のノードを上記低コンフィギュレーションモードに設定するよう指示する場合、上記第３のノードの通信モードを上記低コンフィギュレーションモードに設定する、又は、
上記第２のメッセージが上記システム情報を更新するよう上記第３のノードに指示する場合、上記システム情報をリッスンし、上記システム情報を更新するか、若しくは上記第３のノードの通信モードを上記高コンフィギュレーションモードに設定する
ように構成される、項目２３に記載のネットワーク制御装置。
（項目２５）
上記プロセッサはさらに、
第３のメッセージを上記第１のノードに送信する、又は、
上記第２のメッセージの受信から始まる所定の期間内に上記ネットワークへのアクセスに成功した場合、若しくは上記第２のノードへの通信接続の確立に成功した場合、第３のメッセージを上記第１のノードに送信する
ように構成され、
上記第３のメッセージは、上記第３のノードが上記ネットワークへのアクセスに成功したことを示すか、又は上記第３のノードの呼び出しに成功したことを示すか、又は上記第３のノードが上記第２のノードへの上記通信接続の確立に成功したことを示すか、又は上記第３のノードが既に上記高コンフィギュレーションモードに設定されていることを示すか、又は上記第１のノードと通信を行うことを確認して返信するために用いられるか、又は上記第３のノードが上記システム情報を更新したことを示すために用いられる、項目２３又は２４に記載の第３のノード。
（項目２６）
上記プロセッサはさらに、
上記第１のノードが送信する上記第２のメッセージを受信する前に、上記第３のノードは低コンフィギュレーションモードにある、又は、
上記第１のノードが送信する上記第２のメッセージを受信した後に、上記第３のノードの通信モードを上記低コンフィギュレーションモードに設定するか、若しくは上記第３のノードを上記高コンフィギュレーションモードに設定する、又は、
上記第１のノードが送信する上記第２のメッセージを受信する場合、上記第３のノードは低コンフィギュレーションモードにある、
ように構成される、項目２３に記載の第３のノード。
（項目２７）
上記プロセッサはさらに、
上記システム情報を更新した後に、上記第３のノードを上記低コンフィギュレーションモードに設定する、又は、
上記システム情報を更新して上記第３のノードが所定の条件を満たした後に、上記第３のノードを上記低コンフィギュレーションモードに設定する
ように構成される、項目２４に記載のネットワーク制御装置。
（項目２８）
上記プロセッサはさらに、
第６のメッセージを上記第１のノードに送信することであって、上記第６のメッセージは、上記第３のノードが上記第１のノードからページングメッセージを受信することを示すか、若しくは上記第３のノードが上記第１のノードから上記システム情報を受信することを示すか、若しくは上記第３のノードのモードが上記高コンフィギュレーションモードに設定されることを示すか、若しくは上記第３のノードのモードが上記低コンフィギュレーションモードに設定されることを示すために用いられる、送信すること、又は、
上記第１のノードもしくは上記第２のノードが送信する第７のメッセージを受信することであって、上記第７のメッセージは、上記第１のノードからページングメッセージを受信するよう上記第３のノードに指示するか、若しくは上記第１のノードから上記システム情報を受信するよう上記第３のノードに指示するか、若しくは上記第３のノードのモードを上記高コンフィギュレーションモードに設定するよう指示するか、若しくは上記第３のノードのモードを上記低コンフィギュレーションモードに設定するよう指示するために用いられる、受信すること
を行うように構成される、項目２３に記載の第３のノード。
（項目２９）
上記低コンフィギュレーションモードは以下に挙げることのうちの少なくとも１つであり、それらは、
上記第３のノードは上記第１のノードのカバレッジ内に留まる（ｓｔａｙ）こと、又は、
上記第３のノードは上記第１のノードが送信する情報のみを受信すること、又は、
上記第３のノードは上記第１のノードが送信するシグナリング及び／若しくはデータのみを受信すること、又は、
上記第３のノードはＤ２Ｄ通信ノードが送信するシグナリング及び／若しくはデータのみを受信すること、又は、
上記第３のノードは上記第１のノードが送信するシグナリング及び／若しくはデータを受信すること、又は、
上記第３のノードはＤ２Ｄ通信ノードが送信するシグナリング及び／若しくはデータを受信すること、又は、
上記第３のノードは上記第１のノードが送信するページングメッセージを受信すること、又は、
上記第３のノードは上記第１のノードが送信する上記システム情報を受信すること、又は、
上記第３のノードは上記第１のノードが送信する同期信号を受信すること、又は、
上記第３のノードはセルが送信するシステム情報を受信しないこと、又は、
上記第３のノードはセルが送信するページングメッセージを受信しないこと、又は、
上記第３のノードはセルが送信する同期情報を受信しないこと、又は、
上記第３のノードは上記第１のノードが送信する情報を受信するが、以下に挙げるオペレーション、すなわち、セルのカバレッジ内に留まること、セルが送信するシステム情報を受信すること、セルが送信するページングメッセージを受信すること、セルが送信する同期信号を受信すること、局が送信するシステム情報を受信すること、局が送信するページングメッセージを受信すること、局が送信する同期信号を受信すること、隣接セル測定を行うこと、同一周波数内セル測定を行うこと、及び異周波数間セル測定を行うことのうちの少なくとも１つを行わないこと、又は、
上記第３のノードはＤ２Ｄ通信ノードが送信する情報を受信するが、以下に挙げるオペレーション、すなわち、セルのカバレッジ内に留まること、セルが送信するシステム情報を受信すること、セルが送信するページングメッセージを受信すること、セルが送信する同期信号を受信すること、局が送信するシステム情報を受信すること、局が送信するページングメッセージを受信すること、局が送信する同期信号を受信すること、隣接セル測定を行うこと、同一周波数内セル測定を行うこと、及び異周波数間セル測定を行うことのうちの少なくとも１つを行わないことであり、
上記高コンフィギュレーションモードは以下に挙げることのうちの少なくとも１つを含み、それらは、
上記第３のノードは、セルのカバレッジ内に留まること、又はセルが送信するシステム情報を受信すること、又はセルが送信する同期信号を受信すること、又はセルが送信するページングメッセージを受信すること、又は局が送信するシステム情報を受信すること、又は局が送信する同期信号を受信すること、又は局が送信するページングメッセージを受信すること、又はセル選択を行うこと、又はセル再選択を行うこと、又は隣接セル測定を行うこと、又は同一周波数内セル測定を行うこと、又は異周波数間セル測定を行うことである、項目２３から２８のいずれか一項に記載の第３のノード。
（項目３０）
第２のノードであって、上記第２のノードは、プロセッサと、メモリと、送受信機とを備え、上記メモリは１つ又は複数の命令を格納するように構成され、上記命令は上記プロセッサによって実行されるように構成され、
上記プロセッサは、
第１のメッセージを第１のノード又は第３のノードに送信することであって、上記第１のメッセージは、上記第３のノードを呼び出すために用いられるか、又はネットワークにアクセスするよう上記第３のノードに指示するために用いられるか、又は上記第２のノードと通信を行うよう上記第３のノードに指示するために用いられるか、又は中継サービスを上記第３のノードに提供するよう上記第１のノードに指示するために用いられるか、又は上記第３のノードを高コンフィギュレーションモードに設定するよう指示するために用いられるか、又は上記第３のノードを低コンフィギュレーションモードに設定するよう指示するために用いられるか、又はシステム情報を更新するよう指示するために用いられる、送信することと、
上記第１のメッセージに基づいて通信を行うことと
を行うように構成され、
上記第１のノードは上記中継サービスを上記第３のノードに提供し、上記第２のノードは上記第１のノードのサービング局であるか、又は上記第２のノードは上記第３のノードのサービング局であるか、又は上記第２のノードは上記第１のノード及び上記第３のノードのサービング局である、第２のノード。
（項目３１）
上記プロセッサはさらに、
第１０のメッセージを受信することであって、上記第１０のメッセージは、上記第３のノードと上記第１のノードとの間のペアリング情報を示すために用いられる、受信すること、及び／又は、
第８のメッセージをＭＭＥに送信することであって、上記第８のメッセージは、上記第３のノードに関する情報及び上記第１のノードに関する情報を上記ＭＭＥに通知するために用いられ、上記第１のノードは上記第３のノードの中継ノードである、送信すること、及び／又は、
上記ＭＭＥが送信する第９のメッセージを受信することであって、上記第９のメッセージは上記第１のノードを呼び出すよう上記第２のノードに指示するために用いられ、上記第９のメッセージは上記第３のノード及び上記第１のノードに関する情報を含む、受信すること
を行うように構成される、項目３０に記載のネットワーク制御装置。
（項目３２）
上記第１のメッセージは、以下に挙げるもの、すなわち、上記第１のノードの識別子、上記第１のノードの識別子、上記第３のノードの識別子、システム情報更新指示、システム情報、ページング指示、上記第３のノードのサービスタイプ、及び上記第３のノードのサービス優先度のうちの少なくとも１つを含む、項目３０又は３１に記載の方法。
【国際調査報告】
2019525624.tif 000019
2019525624.tif 000020
2019525624.tif 000021
2019525624.tif 000022
2019525624.tif 000023
2019525624.tif 000024